(57)【要約】【課題】  機構的な遊技媒体の振分装置を備える入賞装置に対する不正行為に基づく強制的な遊技状態の移行を抑制する。【解決手段】  遊技媒体の進入を許容及び禁止する進入許容姿勢及び進入禁止姿勢をとる進入規制機構及び遊技媒体を非特定領域及び特定領域に進入させる非誘導姿勢及び誘導姿勢をとる振分機構を含む利益供与装置と利益供与装置に進入した遊技媒体を検出する進入媒体検出手段とを備えており、所定の有効期間における特定領域に進入する遊技媒体の検出に基づいて特別遊技状態に移行させる遊技機において、所定の有効期間が進入規制機構の進入許容姿勢への移行開始から振分機構の非誘導姿勢への移行開始までの少なくとも一部の期間における進入媒体検出手段による非特定領域及び特定領域に遊技媒体を案内する第１通路及び第２通路の分岐部位より上流での遊技媒体の検出に基づいてのみ設定される構成とする。【選択図】  図３１
2015126933.tif 000002
【特許請求の範囲】
【請求項１】
非特定領域に遊技媒体を案内する第１通路及び前記第１通路の途中から分岐して特定領域に遊技媒体を案内する第２通路が形成され、前記第１通路への遊技媒体の進入を許容する進入許容姿勢と前記第１通路への遊技媒体の進入を禁止する進入禁止姿勢とをとる進入規制機構、及び、前記第１通路に進入した遊技媒体を前記非特定領域に案内する非誘導姿勢と前記第１通路に進入した遊技媒体を前記第２通路に誘導する誘導姿勢とをとる振分機構を含む利益供与装置と、
前記第１通路における前記第２通路への分岐部位より遊技媒体の進行方向の上流で遊技媒体を検出する第１検出手段と、
前記特定領域に誘導された遊技媒体を検出する第２検出手段と、
前記進入規制機構を、進入禁止姿勢から進入許容姿勢への移行開始からの所定の進入許容時間の経過に基づいて進入禁止姿勢となるように制御する進入制御手段と、
前記振分機構を、前記進入規制機構の進入許容姿勢への移行開始後において非誘導姿勢から誘導姿勢となり、当該誘導姿勢への移行開始からの所定の誘導時間の経過に基づいて非誘導姿勢となるように制御する振分制御手段と、
所定の有効期間における前記第２検出手段による遊技媒体の検出に基づいて、遊技状態を遊技媒体の獲得に関して通常遊技状態より有利な遊技状態に移行させる遊技状態移行手段と、
を含む遊技機であって、
前記遊技状態移行手段における前記所定の有効期間は、前記進入規制機構の進入許容姿勢への移行開始から前記振分機構の非誘導姿勢への移行開始までの少なくとも一部の期間における前記第１検出手段による遊技媒体の検出のタイミングに基づいて開始タイミングが変化するように設定される、
ことを特徴とする遊技機。
【発明の詳細な説明】
【技術分野】
【０００１】
本発明は、弾球遊技機に代表される遊技機に関する。
【背景技術】
【０００２】
遊技球の進入規制を変化させる進入規制変化装置と遊技球を非特定領域又は特定領域に振り分ける振分装置とを含む入賞装置を備え、進入規制変化装置の進入許容状態において入賞装置の内部に遊技球が進入すると共に特定領域に遊技球が進入した場合に遊技状態を遊技者にとって遊技球の獲得に関して有利な遊技状態に移行させる弾球遊技機が知られている。このような入賞装置における典型的な振分装置としては、非特定領域や特定領域も遊技球を案内する複数の開口が形成された転動面を備える構成（以下、「単純振分構成」と称す）や、非特定領域や特定領域に遊技球を誘導する複数の陥没穴が形成された回転体を備える構成（以下、「第１の振分変化構成」と称す）や、非特定領域や特定領域に遊技球を案内する複数の通路が形成されており特定領域への通路を開放したり閉鎖したりする振分規制部材を備える構成（以下、「第２の振分変化構成」と称す）が挙げられる。
【０００３】
このような弾球遊技機においては、遊技球の機構的な振り分けによって遊技状態を移行させるために、電子抽選によって遊技状態を移行させる場合よりも、強制的に遊技状態を移行させるような不正行為の対象になり易い。したがって、正常な遊技において遊技球が特定領域に進入する可能性のある期間を制限して、その制限された期間（以下、「有効期間」と称す）内に特定領域へ遊技球が進入した場合にのみ遊技状態を移行させている。従来の単純振分構成の場合には、特定領域に遊技球が進入するか否かを見守る時間が長くかつ不定であるために遊技の趣向性としては優れるものの転動面に誘導された遊技球が転動面に滞在する時間幅が極めて大きくなり、また、従来の第１の振分変化構成の場合には、回転体に誘導された遊技球が特定領域へ進入するまでの時間幅が、遊技球が回転体に誘導された際の回転体の回転姿勢に依存するために大きくなり、進入規制変化装置の進入許容状態への各回の移行に伴う有効期間を短く設定することができなかった。一方、従来の第２の振分変化構成では、特定領域へ遊技球が誘導される可能性のある期間が振分規制部材の動作によって限定されるために、従来の単純振分構成及び第１の振分変化構成に比べて、進入規制変化装置の進入許容状態への各回の移行に伴う有効期間を短く設定できる。
【先行技術文献】
【特許文献】
【０００４】
【特許文献１】特開２００７−３１９３６１号公報
【発明の概要】
【発明が解決しようとする課題】
【０００５】
従来の第２の振分変化構成であれば従来の単純振分構成及び第１の振分変化構成に比べて進入規制変化装置の進入許容状態への各回の移行に伴う有効期間を短く設定できるものの、進入許容状態へ移行したとしても遊技球が入賞装置に進入しない場合や遊技球が入賞装置に進入したとしても進入するタイミングによっては特定領域に振り分けられる可能性がなくなっている場合もあり、有効期間を制限して振分装置を備える入賞装置に対する不正行為を抑制する観点からは更なる改良の余地があった。
【０００６】
そこで、本発明では、遊技状態の移行を好適に行える遊技機を提供する。
【課題を解決するための手段】
【０００７】
上記の課題を解決するために、本発明に係る遊技機は、
非特定領域に遊技媒体を案内する第１通路及び前記第１通路の途中から分岐して特定領域に遊技媒体を案内する第２通路が形成され、前記第１通路への遊技媒体の進入を許容する進入許容姿勢と前記第１通路への遊技媒体の進入を禁止する進入禁止姿勢とをとる進入規制機構、及び、前記第１通路に進入した遊技媒体を前記非特定領域に案内する非誘導姿勢と前記第１通路に進入した遊技媒体を前記第２通路に誘導する誘導姿勢とをとる振分機構を含む利益供与装置と、
前記第１通路における前記第２通路への分岐部位より遊技媒体の進行方向の上流で遊技媒体を検出する第１検出手段と、
前記特定領域に誘導された遊技媒体を検出する第２検出手段と、
前記進入規制機構を、進入禁止姿勢から進入許容姿勢への移行開始からの所定の進入許容時間の経過に基づいて進入禁止姿勢となるように制御する進入制御手段と、
前記振分機構を、前記進入規制機構の進入許容姿勢への移行開始後において非誘導姿勢から誘導姿勢となり、当該誘導姿勢への移行開始からの所定の誘導時間の経過に基づいて非誘導姿勢となるように制御する振分制御手段と、
所定の有効期間における前記第２検出手段による遊技媒体の検出に基づいて、遊技状態を遊技媒体の獲得に関して通常遊技状態より有利な遊技状態に移行させる遊技状態移行手段と、
を含む遊技機であって、
前記遊技状態移行手段における前記所定の有効期間は、前記進入規制機構の進入許容姿勢への移行開始から前記振分機構の非誘導姿勢への移行開始までの少なくとも一部の期間における前記第１検出手段による遊技媒体の検出のタイミングに基づいて開始タイミングが変化するように設定される、
ことを特徴としている。
【発明の効果】
【０００８】
本発明であれば、遊技状態の移行を好適に行える遊技機を提供できる。
【図面の簡単な説明】
【０００９】
【図１】遊技機の一例を表す斜視図
【図２】遊技機の一例を開放状態で表す斜視図
【図３】遊技機の一例を他の開放状態で表す斜視図
【図４】遊技機の一例を更に他の開放状態で表す斜視図
【図５】遊技機の一例を表す正面図
【図６】遊技盤の一例を表す斜視図
【図７】遊技盤の一例を表す正面図
【図８】第２特別図柄に係る始動入賞装置の一例を表す斜視図
【図９】第２特別図柄に係る始動入賞装置の一例を表す断面図
【図１０】上大入賞装置の一例を表す斜視図
【図１１】上大入賞装置の一例を表す正面図
【図１２】遊技機の一例を表す斜視図
【図１３】遊技機の一例を表す背面図
【図１４】遊技機の電気的な構成の一例を表すブロック図
【図１５】主制御メイン処理の一例を表すフローチャート
【図１６】主制御割込み処理の一例を表すフローチャート
【図１７】主制御割込み処理における特別図柄関連処理の一例を表すフローチャート
【図１８】特別図柄関連処理における上大入賞装置作動処理の一例の前半部を表すフローチャート
【図１９】特別図柄関連処理における上大入賞装置作動処理の一例の後半部を表すフローチャート
【図２０】上大入賞装置作動処理における特定通路有効化待機フラグ更新処理を表すフローチャート
【図２１】上大入賞装置作動処理における特定通路有効フラグ更新処理を表すフローチャート
【図２２】特別図柄関連処理における上大入賞装置停止処理の一例を表すフローチャート
【図２３】上大入賞装置の一例を表す前方視の分解斜視図
【図２４】上大入賞装置の一例を表す後方視の分解斜視図
【図２５】上大入賞装置における振分機構及び振分切換ソレノイドの一例を表す斜視図
【図２６】上大入賞装置における遊技球の進行動作の一例を説明するための正面図
【図２７】上大入賞装置における遊技球の進行動作の一例を説明するための断面図
【図２８】遊技球が上大入賞装置に進入しない場合に対する上大入賞装置の動作の一例を表すタイミングチャート
【図２９】振分機構の誘導姿勢への移行前に遊技球が上大入賞スイッチで検出されて非特定通路に案内される場合の上大入賞装置の動作の一例を表すタイミングチャート
【図３０】振分機構の誘導姿勢中に遊技球が上大入賞スイッチで検出されて非特定通路に案内される場合の上大入賞装置の動作の一例を表すタイミングチャート
【図３１】振分機構の非誘導姿勢への移行後に遊技球が上大入賞スイッチで検出されて非特定通路に案内される場合の上大入賞装置の動作の一例を表すタイミングチャート
【図３２】振分機構の誘導姿勢への移行前に遊技球が上大入賞スイッチで検出されて特定通路に誘導される場合の上大入賞装置の動作の一例を表すタイミングチャート
【図３３】実施形態２の上大入賞装置作動処理の一例の前半部を表すフローチャート
【図３４】実施形態２の上大入賞装置作動処理の一例の後半部を表すフローチャート
【図３５】実施形態２の特定通路スイッチに対する有効期間の設定方式の一例を表すタイミングチャート
【図３６】実施形態３の上大入賞装置作動処理の一例の前半部を表すフローチャート
【図３７】実施形態３の特定通路有効化待機フラグ更新処理の一例を表すフローチャート
【図３８】実施形態３の特定通路スイッチに対する有効期間の設定方式の一例を表すタイミングチャート
【図３９】実施形態４の上大入賞装置作動処理の一例の前半部を表すフローチャート
【図４０】実施形態４の特定通路有効フラグ更新処理の一例を表すフローチャート
【図４１】実施形態４の特定通路スイッチに対する有効期間の設定方式の一例を表すタイミングチャート
【図４２】実施形態５の上大入賞装置作動処理の一例の前半部を表すフローチャート
【図４３】実施形態５の上大入賞装置作動処理の一例の後半部を表すフローチャート
【図４４】実施形態５の特定通路スイッチに対する有効期間の設定方式の一例を表すタイミングチャート
【図４５】実施形態６の上大入賞装置作動処理の一例の前半部を表すフローチャート
【図４６】実施形態６の特定通路有効化待機フラグ更新処理の一例を表すフローチャート
【図４７】実施形態６の特定通路スイッチに対する有効期間の設定方式の一例を表すタイミングチャート
【発明を実施するための形態】
【００１０】
本発明に係る遊技機の形態について説明する。なお、本発明に係る遊技機の各種の概念的な構成について説明した後に、それらの具体的な構成について説明する。
【００１１】
［概念的な構成］
本発明に係る遊技機は、上述のように、
遊技媒体の進入規制を変化させる進入規制変化装置、及び、遊技媒体を非特定領域及び特定領域のいずれか一方に選択的に振り分ける振分変化装置を含む利益供与装置と、
前記利益供与装置に進入した遊技媒体を検出する進入媒体検出手段と、
前記特定領域に振り分けられた遊技媒体を検出する特定領域進入媒体検出手段と、
前記進入規制変化装置の動作を制御する進入規制変化制御手段と、
前記振分変化装置の動作を制御する振分変化制御手段と、
所定の有効期間における前記特定領域進入媒体検出手段による遊技媒体の検出に基づいて、遊技状態を遊技媒体の獲得に関して通常遊技状態より有利な特別遊技状態に移行させる特別遊技状態移行手段と、
を含む遊技機であって、
前記利益供与装置の内部に、前記非特定領域に遊技媒体を案内する第１通路と、前記第１通路の途中から分岐して前記特定領域に遊技媒体を案内する第２通路とが形成されており、
前記進入規制変化装置が、前記第１通路への遊技媒体の進入を許容する進入許容姿勢と前記第１通路への遊技媒体の進入を禁止する進入禁止姿勢とをとる進入規制機構と、前記進入規制機構の姿勢を切り換える進入規制切換装置とを含み、
前記振分変化装置が、前記第１通路に進入した遊技媒体を前記非特定領域に案内する非誘導姿勢と前記第１通路に進入した遊技媒体を前記第１通路の途中から離脱させて前記第２通路を通して前記特定領域に誘導する誘導姿勢とをとる振分機構と、前記振分機構の姿勢を切り換える振分切換装置とを含み、
前記進入規制変化制御手段が、前記進入規制切換装置の駆動を制御して、前記進入規制機構を進入禁止姿勢から進入許容姿勢に移行させ、当該進入許容姿勢への移行開始からの所定の進入許容時間の経過に基づいて進入禁止姿勢に復帰させ、
前記振分変化制御手段が、前記振分切換装置の駆動を制御して、前記進入規制機構の進入許容姿勢への移行開始後において前記振分機構を非誘導姿勢から誘導姿勢に移行させ、当該誘導姿勢への移行開始からの所定の誘導時間の経過に基づいて非誘導姿勢に復帰させ、
前記進入媒体検出手段が、前記第１通路における前記第１通路と前記第２通路との分岐部位より遊技媒体の進行方向の上流で遊技媒体を検出し、
前記特別遊技状態移行手段における前記所定の有効期間が、前記進入規制機構の進入許容姿勢への移行開始から前記振分機構の非誘導姿勢への移行開始までの少なくとも一部の期間における前記進入媒体検出手段による遊技媒体の検出に基づいてのみ設定される、
ことを特徴としている。
なお、以下において、この構成の遊技機を「第１概念構成の遊技機」とも称す。
【００１２】
第１概念構成の遊技機であれば、進入規制機構の進入許容姿勢への移行開始から振分機構の非誘導姿勢への移行開始までの少なくとも一部の期間における進入媒体検出手段による遊技媒体の検出に基づいてのみ設定されるために、進入規制機構が進入許容状態へ移行したとしても遊技媒体が利益供与装置に進入しなかった場合や、振分機構が誘導姿勢である間において遊技媒体が振分機構に到達しない場合に、特定領域進入媒体検出手段に対する有効期間が設定されないこととなり、有効期間の制限を強化できる。これによって、振分装置を備える入賞装置に対する不正行為に基づく強制的な遊技状態の移行が抑制される。
【００１３】
上記の第１概念構成の遊技機において、
前記振分機構が、非誘導姿勢及び誘導姿勢の双方において前記第２通路を開放し、
前記特別遊技状態移行手段における前記所定の有効期間が、前記振分機構の非誘導姿勢への移行開始からの所定の延長時間の経過に基づいて終了する、
ことが好ましい。
なお、以下において、この構成の遊技機を「第２概念構成の遊技機」とも称す。
【００１４】
第２概念構成の遊技機であれば、振分機構の誘導姿勢から非誘導姿勢への復帰過程において遊技媒体と振分機構とが干渉したとしても遊技媒体に付加的な力は付与されず、遊技媒体が第２通路に進入したとしても振分機構が誘導姿勢である場合と同様に滑らかに第２通路を通過して特定領域に進行する。なお、本遊技機と異なり、振分機構が非誘導姿勢である場合において特定領域への通路を閉鎖する構成であれば、振分機構による遊技球の誘導先の切換時、特に特定領域へ遊技球を案内する通路の閉鎖動作時において遊技球と振分機構との干渉に基づく振動等によって、振分機構が停止状態である場合と同等に滑らかに遊技球を特定領域に誘導することはできない。これによって、振分機構の非誘導姿勢への復帰開始から遊技媒体が特定領域進入媒体検出手段によって検出されるまでに必要な時間幅が、第２通路を閉鎖するように振分機構を作動させる場合に比べて小さくなる。したがって、振分機構の非誘導姿勢への移行開始から確保しなければならない所定の延長時間を短く設定できることとなり、有効期間の制限を強化できる。また、振分機構の非誘導姿勢において、特定領域へ遊技媒体を案内する分岐経路が開放されているとしても、第２通路を非特定領域に案内する第１通路から分岐させているために、強制的に遊技媒体を特定領域に誘導するような不正行為も行い難くなっている。また、利益供与装置に進入した遊技媒体は、第１通路を通して非特定領域又は第１通路の一部及び第２通路を通して特定領域に連続的に進行するために、従来のように途中で遊技媒体の進行を停止させる構成を含んでおりその停止によって特定領域に誘導されるか否かの判断ができるような場合に比べて、遊技の趣向性が向上する。
【００１５】
上記の第１概念構成〜第２概念構成の遊技機において、
前記第１通路が、前記進入媒体検出手段による遊技媒体の検出部位から前記第１通路と前記第２通路との分岐部位まで遊技媒体を滑らかに案内する構成であることが好ましい。
なお、以下において、この構成の遊技機を「第３概念構成の遊技機」とも称す。
【００１６】
ここで、進入媒体検出手段による遊技媒体の「検出部位」とは、進入媒体検出手段により遊技媒体が検出される際の第１通路中の位置を意味し、また、「分岐部位」とは、振分機構が非誘導姿勢の場合と誘導姿勢の場合とで遊技媒体の進行経路が異なり始める第１通路中の境界位置を意味する。
【００１７】
第３概念構成の遊技機であれば、進入媒体検出手段による遊技媒体の検出部位から分岐部位までの遊技媒体の進行に要する時間分布の広がりを抑制できる。したがって、遊技媒体がその検出部位から分岐部位までの進行に要する最小移動時間を長く設定できると共に遊技媒体がその検出部位から分岐部位までの進行に要する最大移動時間を短く設定できる。
【００１８】
上記の第３概念構成の遊技機において、
前記特別遊技状態移行手段における前記所定の有効期間が、前記振分機構の誘導姿勢への移行開始前までの期間における前記進入媒体検出手段による遊技媒体の検出に基づいて前記振分機構の誘導姿勢への移行開始に応じて開始され、前記振分機構の誘導姿勢への移行開始から非誘導姿勢への移行の開始までの期間における前記進入媒体検出手段による遊技媒体の検出に基づいて当該検出と実質的に同時に開始される構成であることが好ましい。
なお、以下において、この構成の遊技機を「第４概念構成の遊技機」とも称す。
【００１９】
第４概念構成の遊技機であれば、進入規制機構が進入許容状態へ移行したとしても遊技球が利益供与装置に進入しなかった場合や、振分機構が誘導姿勢である間において遊技球が振分機構に確実に到達しない場合にのみ有効期間が設定されないために、特定領域に遊技媒体が進入したにも関らず特別遊技状態に移行しないような現象の発生を確実に防止できる。
【００２０】
上記の第３概念構成の遊技機において、
前記振分機構の誘導姿勢への移行の開始から非誘導姿勢への移行の開始までの時間が、進入媒体検出手段による遊技媒体の検出部位から前記第１通路と前記第２通路との分岐部位までの遊技媒体の進行に対する所定の下限移動時間より短く、
前記特別遊技状態移行手段における前記所定の有効期間が、
前記振分機構の誘導姿勢への移行開始前までの期間における前記進入媒体検出手段による遊技媒体の検出に基づいて前記振分機構の誘導姿勢への移行開始に応じて開始され、
前記振分機構の誘導姿勢への移行開始から非誘導姿勢への移行の開始までの期間における前記進入媒体検出手段による遊技媒体の検出に基づいて開始されない
構成であることが好ましい。
なお、以下において、この構成の遊技機を「第５概念構成の遊技機」とも称す。
【００２１】
ここで、進入媒体検出手段による遊技媒体の検出部位から分岐部位までの遊技媒体の進行に対する「所定の下限移動時間」とは、遊技媒体が第１通路における進入媒体検出手段によって遊技媒体が検出される検出部位から分岐部位までは実質的に進行できない時間を意味し、その下限移動時間としては、例えば、正常な遊技において利益供与装置に進入した少なくとも９５％の遊技媒体が進入媒体検出手段による検出部位から分岐部位まで到達できない最大時間以下の時間が挙げられる。
【００２２】
第５概念構成の遊技機であれば、進入媒体検出手段による遊技媒体の検出部位から分岐部位までの遊技媒体の進行に対する下限移動時間を考慮して特定領域進入媒体検出手段に対する有効期間の開始判定が余裕をもって行われるために、その有効期間の制限を良好に強化できると共に特定領域に遊技媒体が進入したにも関らず特別遊技状態に移行しないような現象の発生を極めて良好に抑制できる。
【００２３】
上記の第３概念構成の遊技機において、
前記振分機構の誘導姿勢への移行の開始から非誘導姿勢への移行の開始までの時間が、進入媒体検出手段による遊技媒体の検出部位から前記第１通路と前記第２通路との分岐部位までの遊技媒体の進行に対する所定の下限移動時間より短く、
前記特別遊技状態移行手段における前記所定の有効期間が、前記振分機構の誘導姿勢への移行開始前までの期間における前記進入媒体検出手段による遊技媒体の検出に基づいて前記振分機構の誘導姿勢への移行開始より前記分岐部位から特定領域進入媒体検出手段による遊技媒体の検出部位までの遊技媒体の進行に対する所定の下限移動時間の経過に応じて開始され、前記振分機構の誘導姿勢への移行開始から非誘導姿勢への移行開始までの期間における前記進入媒体検出手段による遊技媒体の検出に基づいて開始されない構成であることが好ましい。
なお、以下において、この構成の遊技機を「第６概念構成の遊技機」とも称す。
【００２４】
ここで、分岐部位から特定領域進入媒体検出手段による遊技媒体の検出部位までの遊技媒体の進行に対する「所定の下限移動時間」とは、遊技媒体が分岐部位から第１通路における特定領域進入媒体検出手段によって遊技媒体が検出される検出部位までは実質的に進行できない時間を意味し、その下限移動時間としては、例えば、正常な遊技において利益供与装置に進入した少なくとも９５％の遊技媒体が分岐部位から特定領域進入媒体検出手段による検出部位まで到達できない最大時間以下の時間が挙げられる。
【００２５】
第６概念構成の遊技機であれば、進入媒体検出手段による遊技媒体の検出部位から分岐部位までの遊技媒体の進行に対する下限移動時間を考慮して特定領域進入媒体検出手段に対する有効期間の開始判定が行われると共に分岐部位から特定領域進入媒体検出手段による遊技媒体の検出部位までの遊技媒体の進行に対する下限移動時間を考慮して特定領域進入媒体検出手段に対する有効期間が短く設定されるために、特定領域に遊技媒体が進入したにも関らず特別遊技状態に移行しないような現象の発生を良好に抑制しつつ、その有効期間の制限を極めて良好に強化できる。
【００２６】
上記の第３概念構成の遊技機において、
前記振分機構の誘導姿勢への移行の開始から非誘導姿勢への移行の開始までの時間が、進入媒体検出手段による遊技媒体の検出部位から前記第１通路と前記第２通路との分岐部位までの遊技媒体の進行に対する所定の下限移動時間より短く、
前記特別遊技状態移行手段における前記所定の有効期間が、前記振分機構の非誘導姿勢への移行開始より前記下限移動時間だけ前までの期間における前記進入媒体検出手段による遊技媒体の検出に基づいて前記振分機構の誘導姿勢への移行開始に応じて開始され、前記振分機構の非誘導姿勢への移行開始より前記下限移動時間だけ前から前記振分機構の非誘導姿勢への移行開始までの期間における前記進入媒体検出手段による遊技媒体の検出に基づいて開始されない構成であることが好ましい。
なお、以下において、この構成の遊技機を「第７概念構成の遊技機」とも称す。
【００２７】
第７概念構成の遊技機であれば、進入媒体検出手段による遊技媒体の検出部位から分岐部位までの遊技媒体の進行に対する下限移動時間を考慮して特定領域進入媒体検出手段に対する有効期間の開始判定が行われるために、特定領域に遊技媒体が進入したにも関らず特別遊技状態に移行しないような現象の発生を良好に抑制しつつ、その有効期間の制限を良好に強化できる。
【００２８】
上記の第３概念構成の遊技機において、
前記振分機構の誘導姿勢への移行の開始から非誘導姿勢への移行の開始までの時間が、進入媒体検出手段による遊技媒体の検出部位から前記第１通路と前記第２通路との分岐部位までの遊技媒体の進行に対する所定の下限移動時間より短く、
前記特別遊技状態移行手段における前記所定の有効期間が、前記振分機構の非誘導姿勢への移行開始より前記下限移動時間だけ前までの期間における前記進入媒体検出手段による遊技媒体の検出に基づいて前記振分機構の誘導姿勢への移行開始より前記分岐部位から特定領域進入媒体検出手段による遊技媒体の検出部位までの遊技媒体の進行に対する所定の下限移動時間の経過に応じて開始され、前記振分機構の非誘導姿勢への移行開始より前記下限移動時間だけ前から前記振分機構の非誘導姿勢への移行開始までの期間における前記進入媒体検出手段による遊技媒体の検出に基づいて開始されない構成であることが好ましい。
なお、以下において、この構成の遊技機を「第８概念構成の遊技機」とも称す。
【００２９】
第８概念構成の遊技機であれば、進入媒体検出手段による遊技媒体の検出部位から分岐部位までの遊技媒体の進行に対する下限移動時間及びを考慮して特定領域進入媒体検出手段に対する有効期間の開始判定が行われると共に分岐部位から特定領域進入媒体検出手段による遊技媒体の検出部位までの遊技媒体の進行に対する下限移動時間を考慮して特定領域進入媒体検出手段に対する有効期間が短く設定されるために、特定領域に遊技媒体が進入したにも関らず特別遊技状態に移行しないような現象の発生を良好に抑制しつつ、その有効期間の制限を極めて良好に強化できる。
【００３０】
上記の第３概念構成の遊技機において、
前記振分機構の誘導姿勢への移行の開始から非誘導姿勢への移行の開始までの時間が、進入媒体検出手段による遊技媒体の検出部位から前記第１通路と前記第２通路との分岐部位までの遊技媒体の進行に対する所定の下限移動時間より長く、
前記特別遊技状態移行手段における前記所定の有効期間が、前記振分機構の非誘導姿勢への移行開始より前記下限移動時間だけ前までの期間における前記進入媒体検出手段による遊技媒体の検出に基づいて前記振分機構の誘導姿勢への移行開始に応じて開始され、前記振分機構の非誘導姿勢への移行開始より前記下限移動時間だけ前から非誘導姿勢への移行の開始までの期間における前記進入媒体検出手段による遊技媒体の検出に基づいて当該検出と実質的に同時に開始される構成であることが好ましい。
なお、以下において、この構成の遊技機を「第９概念構成の遊技機」とも称す。
【００３１】
第９概念構成の遊技機であれば、進入媒体検出手段による遊技媒体の検出部位から分岐部位までの遊技媒体の進行に対する下限移動時間を考慮して特定領域進入媒体検出手段に対する有効期間の開始判定が行われるために、特定領域に遊技媒体が進入したにも関らず特別遊技状態に移行しないような現象の発生を良好に抑制しつつ、その有効期間の制限を良好に強化できる。
【００３２】
上記の第３概念構成〜第９概念構成の遊技機において、
前記第１通路が、前記進入媒体検出手段による検出部位から前記第１通路と前記第２通路との分岐部位までの間において曲折している構成であることが好ましい。
なお、以下において、この構成の遊技機を「第１０概念構成の遊技機」とも称す。
【００３３】
第１０概念構成の遊技機であれば、第１通路における曲折する部位においてその直前における遊技媒体ごとの速度及び速度の差が低減されために、進入媒体検出手段による遊技媒体の検出部位から分岐部位までの進行に要する遊技媒体ごとの時間の差が低減され、また、遊技媒体が第２通路に誘導される際の進行経路が一定化されて第１通路から第２通路へ更に滑らかに進行することとなり、分岐部位から特定領域進入媒体検出手段による遊技媒体の検出部位までの進行に要する遊技媒体ごとの時間の差が低減される。これによって、進入媒体検出手段による遊技媒体の検出部位から分岐部位までの遊技媒体の進行に対する下限移動時間や分岐部位から特定領域進入媒体検出手段による遊技媒体の検出部位までの遊技媒体の進行に対する下限移動時間を長く設定でき、逆に、進入媒体検出手段による遊技媒体の検出部位から分岐部位までの遊技媒体の進行に対する上限移動時間や分岐部位から特定領域進入媒体検出手段による遊技媒体の検出部位までの遊技媒体の進行に対する上限移動時間を短く設定でき、また、振分機構の非誘導姿勢への移行開始から確保される延長時間を短く設定できる。したがって、特定領域に遊技媒体が進入したにも関らず特別遊技状態に移行しないような現象の発生を良好に抑制しつつ、特定領域進入媒体検出手段に対する有効期間の制限を更に強化できる。また、第１０概念構成の遊技機であれば、振分機構や特定領域進入媒体検出手段が利益供与装置の進入口から曲折する第１通路を隔てて離隔されているために、振分機構が不正に作動させられたり、特定領域進入媒体検出手段を不正に感知させられたりする不正行為が更に行われ難くなる。
【００３４】
上記の第１０概念構成の遊技機において、
前記第１通路が、前記進入媒体検出手段による検出部位より遊技媒体の進行経路の上流側において曲折している構成であることが好ましい。
なお、以下において、この構成の遊技機を「第１１概念構成の遊技機」とも称す。
【００３５】
第１１概念構成の遊技機であれば、第１通路における曲折する部位においてその直前における遊技媒体ごとの速度及び速度の差が更に低減されるために、第１０概念構成の遊技機において説明したのと同様の理由によって、特定領域に遊技媒体が進入したにも関らず特別遊技状態に移行しないような現象の発生を良好に抑制しつつ、特定領域進入媒体検出手段に対する有効期間の制限を更に強化できる。また、第１１概念構成の遊技機であれば、振分機構や特定領域進入媒体検出手段が利益供与装置の進入口から曲折する第１通路を隔てて離隔されているために、振分機構が不正に作動させられたり、特定領域進入媒体検出手段を不正に感知させられたりする不正行為が更に行われ難くなる。
【００３６】
上記の第１１概念構成の遊技機において、
前記第１通路が、前記進入媒体検出手段による検出部位より遊技媒体の進行経路の上流側において実質的に垂直に屈曲する構成であることが好ましい。
なお、以下において、この構成の遊技機を「第１２概念構成の遊技機」とも称す。
【００３７】
第１２概念構成の遊技機であれば、第１通路における屈曲する部位においてその直前における遊技媒体ごとの速度及び速度の差が更に低減されるために、第１０概念構成の遊技機において説明したのと同様の理由によって、特定領域に遊技媒体が進入したにも関らず特別遊技状態に移行しないような現象の発生を良好に抑制しつつ、特定領域進入媒体検出手段に対する有効期間の制限を更に強化できる。
【００３８】
上記の第１１概念構成〜第１２概念構成の遊技機において、
前記第１通路において、前記検出部位より遊技媒体の進行経路の上流側における曲折方向と前記検出部位から前記分岐部位までの間における曲折方向とが異なる構成であることが好ましい。
なお、以下において、この構成の遊技機を「第１３概念構成の遊技機」とも称す。
【００３９】
第１３概念構成の遊技機であれば、第１通路において複数の曲折する部位を有することとなり、曲折する各部位において遊技媒体ごとの速度及び速度の差が低減されるために、また、第１通路において曲折方向が異なる複数の曲折する部位を有することとなり、遊技媒体ごとの速度の複数の方向成分の差が低減されるために、第１０概念構成の遊技機において説明したのと同様の理由によって、特定領域に遊技媒体が進入したにも関らず特別遊技状態に移行しないような現象の発生を良好に抑制しつつ、特定領域進入媒体検出手段に対する有効期間の制限を更に強化できる。また、第１３概念構成の遊技機であれば、振分機構や特定領域進入媒体検出手段が利益供与装置の進入口から複数段階で曲折する第１通路を隔てて離隔されているために、振分機構が不正に作動させられたり、特定領域進入媒体検出手段を不正に感知させられたりする不正行為が更に行われ難くなる。
【００４０】
上記の第１３概念構成の遊技機において、
前記第１通路が、前記進入規制機構により捕捉された遊技媒体を後方へ案内する進入通路と、前記進入通路を通過した遊技媒体を下方へ案内する垂下通路と、前記垂下通路を通過した遊技媒体を左下方及び右下方へ案内する傾斜通路と、前記傾斜通路を通過した遊技媒体を前記非特定領域に誘導する誘導通路とを含み、
前記第２通路が、前記誘導通路の途中から分岐している、
構成であることが好ましい。
なお、以下において、この構成の遊技機を「第１４概念構成の遊技機」とも称す。
【００４１】
第１４概念構成の遊技機であれば、進入通路と垂下通路との境界で屈曲し、垂下通路と傾斜通路との境界において進入通路と垂下通路との境界の場合と異なる方向に曲折するために、それらの境界において遊技媒体ごとの速度及び速度の差が良好に低減され、第１０概念構成の遊技機において説明したのと同様の理由によって、特定領域に遊技媒体が進入したにも関らず特別遊技状態に移行しないような現象の発生を良好に抑制しつつ、特定領域進入媒体検出手段に対する有効期間の制限を良好に強化できる。
【００４２】
上記の第３概念構成〜第１４概念構成の遊技機において、
前記進入規制機構が、回動自在に軸支された進入規制部材を含み、
前記進入規制部材が、前記進入禁止姿勢においては前記利益供与装置への遊技媒体の進入口を閉鎖し、前記進入許容姿勢においては前記進入口を開放すると共に遊技媒体を捕捉でき、
前記進入規制部材が、捕捉した遊技媒体を前記進入口の所定の部位まで誘導して前記第１通路に１つずつ進入させる、
構成であることが好ましい。
なお、以下において、この構成の遊技機を「第１５概念構成の遊技機」とも称す。
【００４３】
第１５概念構成の遊技機であれば、複数の遊技媒体が進入規制部材に略同時に捕捉されたとしてもそれらの遊技媒体は離隔した状態で第１通路を進行することとなり、第１通路において先行の遊技媒体や後続の遊技媒体との干渉が抑制され、進入媒体検出手段による遊技媒体の検出部位から分岐部位までの進行に要する遊技媒体ごとの時間の差が低減され、また、遊技媒体が第２通路に誘導される際の進行経路が一定化されて第１通路から第２通路へ更に滑らかに進行することとなり、分岐部位から特定領域進入媒体検出手段による遊技媒体の検出部位までの進行に要する遊技媒体ごとの時間の差が低減される。これによって、進入媒体検出手段による遊技媒体の検出部位から分岐部位までの遊技媒体の進行に対する下限移動時間や分岐部位から特定領域進入媒体検出手段による遊技媒体の検出部位までの遊技媒体の進行に対する下限移動時間を短く設定でき、逆に、進入媒体検出手段による遊技媒体の検出部位から分岐部位までの遊技媒体の進行に対する上限移動時間や分岐部位から特定領域進入媒体検出手段による遊技媒体の検出部位までの遊技媒体の進行に対する上限移動時間を短く設定でき、また、振分機構の非誘導姿勢への移行開始から確保される延長時間を短く設定できる。したがって、特定領域に遊技媒体が進入したにも関らず特別遊技状態に移行しないような現象の発生を良好に抑制しつつ、特定領域進入媒体検出手段に対する有効期間の制限を更に強化できる。
【００４４】
上記の第１５概念構成の遊技機において、
前記進入規制部材による遊技媒体の誘導方向と前記第１通路への進入方向とが実質的に直交する構成であることが好ましい。
なお、以下において、この構成の遊技機を「第１６概念構成の遊技機」とも称す。
【００４５】
第１６概念構成の遊技機であれば、第１通路へ進入する遊技媒体ごとの速度及び速度の差が極めて良好に低減されるために、第１通路における第２通路への分岐部位に到達する際の速度が極めて均一化される。これによって、第１５概念構成の遊技機において説明したのと同様の理由によって、特定領域に遊技媒体が進入したにも関らず特別遊技状態に移行しないような現象の発生を良好に抑制しつつ、特定領域進入媒体検出手段に対する有効期間の制限を極めて良好に強化できる。
【００４６】
上記の第１６概念構成の遊技機において、
前記進入規制部材は、進入禁止姿勢における底面が右下方へ傾斜し、前記底面の傾斜方向に沿った長さが２つの遊技媒体の直径の和より長く、
前記進入規制部材が進入禁止姿勢である場合には、前記底面の傾斜により前記底面と前記進入口の上面との間隙が右方に向かって広くなり、前記底面の最右端部位に誘導された遊技媒体のみが前記第１通路に進入できる、
構成であることが好ましい。
なお、以下において、この構成の遊技機を「第１７概念構成の遊技機」とも称す。
【００４７】
第１７概念構成の遊技機であれば、確実に、進入規制部材によって捕捉された遊技媒体が第１通路に１つずつ進入し、進入規制部材による遊技媒体の誘導方向と第１通路への進入方向とが実質的に直交する。
【００４８】
上記の第６概念構成及び第８概念構成の遊技機において、
前記第１通路が、前記振分機構の誘導姿勢において前記第１通路と前記第２通路との分岐部位から前記特定領域進入媒体検出手段による検出部位まで遊技媒体を滑らかに案内する構成であることが好ましい。
なお、以下において、この構成の遊技機を「第１８概念構成の遊技機」とも称す。
【００４９】
第１８概念構成の遊技機であれば、分岐部位から特定領域進入媒体検出手段による遊技媒体の検出部位までの遊技媒体の進行に要する時間分布の広がりを抑制できる。したがって、遊技媒体が分岐部位からその検出部位までの進行に要する最小移動時間を長く設定できると共に遊技媒体が分岐部位からその検出部位までの進行に要する最大移動時間を短く設定できる。
【００５０】
上記の第１８概念構成の遊技機において、
前記振分機構が、回動自在に軸支された誘導部材を含み、
前記誘導部材が、非誘導姿勢においては前記第１通路の前記第２通路と反対側の側壁の一部を形成するように前記第１通路の外部に位置し、誘導姿勢においては前記第１通路を進行する遊技媒体が衝突するように前記第１通路の内部に突出し、前記誘導姿勢から前記非誘導姿勢への移行過程において前記第２通路を常に開放している、
構成であることが好ましい。
なお、以下において、この構成の遊技機を「第１９概念構成の遊技機」とも称す。
【００５１】
第１９概念構成の遊技機であれば、誘導部材が非誘導姿勢である場合には遊技媒体を確実に非特定領域に進行させることができ、また、誘導部材が誘導姿勢である場合には遊技媒体を確実に特定領域に進行させることができる。また、第１９概念構成の遊技機であれば、振分機構の誘導姿勢から非誘導姿勢への復帰過程において遊技媒体と振分機構とが干渉したとしても、遊技媒体が第２通路に進入することを抑制でき、振分機構の非誘導姿勢への移行開始から確保しなければならない所定の延長時間を更に短く設定できる。
【００５２】
上記の第１９概念構成の遊技機において、
前記振分切換装置が、プル型ソレノイドであり、
前記振分機構が、前記プル型ソレノイドの消磁状態において非誘導姿勢をとり、前記プル型ソレノイドの励磁状態において誘導姿勢をとる、
構成であることが好ましい。
なお、以下において、この構成の遊技機を「第２０概念構成の遊技機」とも称す。
【００５３】
第２０概念構成の遊技機であれば、振分機構の誘導姿勢から非誘導姿勢への復帰過程において遊技媒体と振分機構とが干渉したとしても、遊技媒体が第２通路に進入することを更に確実に抑制でき、振分機構の非誘導姿勢への移行開始から確保しなければならない所定の延長時間を更に短く設定できる。これは、振分機構の誘導姿勢から非誘導姿勢への復帰過程においてプル型ソレノイドは既に消磁状態であるために、遊技媒体と振分機構とが干渉して振分機構に非誘導姿勢への復帰を強制的に促進する力が与えられたとしても、その力に対するプル型ソレノイドからの抗力が実質的に発生せず、遊技媒体は振分機構を押し退けて進行するからである。なお、モータ等によって振分機構を駆動する構成であれば、振分機構に非誘導姿勢への復帰を促進する力が与えられた場合には、その力に対してモータからの強い抗力が発生し、反跳によって遊技媒体が第２通路に進入する場合がある。また、第３概念構成の遊技機であれば、振分機構の誘導姿勢への移行完了後や振分機構の非誘導姿勢から誘導姿勢への移行過程において遊技媒体と振分機構とが干渉したとしても、振分機構によって遊技媒体の反跳が緩和されて第２通路に送り出されるために、遊技媒体は滑らかに第２通路を通過して特定領域に進行する。これは、モータ等によって振分機構を駆動する構成であれば、振分機構に非誘導姿勢への移行を促進する力が与えられた場合にはその力に対してモータからの強い抗力が発生するが、プル型ソレノイドである場合には振分機構の強制的な移動量に応じて抗力が増加するからである。
【００５４】
上記の第３概念構成〜第１４概念構成の遊技機において、
前記特別遊技状態移行手段における前記所定の有効期間が、前記振分機構の誘導姿勢への移行開始より進入媒体検出手段による遊技媒体の検出部位から分岐部位までの遊技媒体の進行に対する上限移動時間以上前までの期間における前記進入媒体検出手段による遊技媒体の検出に基づいて開始されない構成であることが好ましい。
なお、以下において、この構成の遊技機を「第２１概念構成の遊技機」とも称す。
【００５５】
ここで、進入媒体検出手段による遊技媒体の検出部位から分岐部位までの遊技媒体の進行に対する「所定の上限移動時間」とは、遊技媒体が第１通路において進入媒体検出手段によって遊技媒体が検出される検出部位から分岐部位まで進行するにあたり実質的に要しない時間を意味し、その上限移動時間としては、例えば、正常な遊技において利益供与装置に進入した少なくとも９５％の遊技媒体が進入媒体検出手段による検出部位から分岐部位まで到達する最小時間以上の時間が挙げられる。
【００５６】
第２１概念構成の遊技機であれば、進入媒体検出手段による遊技媒体の検出部位から分岐部位までの遊技媒体の進行に対する上限移動時間を考慮して特定領域進入媒体検出手段に対する有効期間の開始判定が行われるために、特定領域に遊技媒体が進入したにも関らず特別遊技状態に移行しないような現象の発生を抑制しつつ、その有効期間の制限を更に強化できる。
【００５７】
上記の第６概念構成、第７概念構成、第１８概念構成〜第２０概念構成の遊技機において、
前記特別遊技状態移行手段における前記所定の有効期間が、前記振分機構の非誘導姿勢への移行開始からの前記所定の延長時間の経過及び前記進入媒体検出手段による遊技媒体の検出からの前記進入媒体検出手段による遊技媒体の検出部位から前記特定領域進入媒体検出手段による遊技媒体の検出部位までの遊技媒体の進行に対する所定の上限移動時間の経過のうち早い方の条件の成立に基づいて終了させる構成であることが好ましい。
なお、以下において、この構成の遊技機を「第２２概念構成の遊技機」とも称す。
【００５８】
ここで、進入媒体検出手段による遊技媒体の検出部位から特定領域進入媒体検出手段による遊技媒体の検出部位までの遊技媒体の進行に対する「所定の上限移動時間」とは、遊技媒体が進入媒体検出手段によって遊技媒体が検出される検出部位から特定領域進入媒体検出手段によって遊技媒体が検出される検出部位まで進行するにあたり実質的に要しない時間を意味し、その上限移動時間としては、例えば、正常な遊技において利益供与装置に進入した少なくとも９５％の遊技媒体が進入媒体検出手段による遊技媒体の検出部位から特定領域進入媒体検出手段による遊技媒体の検出部位まで到達する最小時間以上の時間が挙げられる。
【００５９】
第２２概念構成の遊技機であれば、進入媒体検出手段による遊技媒体の検出部位から特定領域進入媒体検出手段による遊技媒体の検出部位までの遊技媒体の進行に対する上限移動時間を考慮して特定領域進入媒体検出手段に対する有効期間の終了判定が行われて、振分機構の非誘導姿勢への移行開始からの前記所定の延長時間の経過よりも早く前記進入媒体検出手段による遊技媒体の検出からの進入媒体検出手段による遊技媒体の検出部位から特定領域進入媒体検出手段による遊技媒体の検出部位までの遊技媒体の進行に対する所定の上限移動時間が経過した場合には有効期間が短縮されるために、特定領域に遊技媒体が進入したにも関らず特別遊技状態に移行しないような現象の発生を抑制しつつ、その有効期間の制限を更に強化できる。
【００６０】
上記の第１概念構成〜第２２概念構成の遊技機において、
前記特別遊技状態移行手段における前記所定の有効期間が、前記進入規制機構の進入許容姿勢への移行開始から進入禁止姿勢への移行開始までの一部の期間である構成であることが好ましい。
なお、以下において、この構成の遊技機を「第２３概念構成の遊技機」とも称す。
【００６１】
第２３概念構成の遊技機であれば、有効期間を設定すべき状況が進入規制機構の進入許容姿勢の場合に限定されるために、利益供与装置に対する不正行為を行い難くなる。また、有効期間を設定するための制御が簡素化される。
【００６２】
上記の第１概念構成〜第２３概念構成の遊技機において、
前記振分変化制御手段が、前記所定の誘導時間の経過前における前記特定領域進入媒体検出手段による遊技媒体の検出に基づいて非誘導姿勢に復帰させる構成であることが好ましい。
なお、以下において、この構成の遊技機を「第２４概念構成の遊技機」とも称す。
【００６３】
第２４概念構成の遊技機であれば、有効期間内に前記特定領域進入媒体検出手段によって検出される遊技媒体の個数が１つに限定されるために、利益供与装置に対する不正行為を行い難くなる。また、特別遊技状態への移行を判定する制御が簡素化される。
【００６４】
上記の第１概念構成〜第２４概念構成の遊技機において、
前記遊技状態制御手段における前記所定の有効期間が、前記所定の延長時間の経過前における前記特定領域進入媒体検出手段による遊技媒体の検出に基づいて終了する構成であることが好ましい。
なお、以下において、この構成の遊技機を「第２５概念構成の遊技機」とも称す。
【００６５】
第２５概念構成の遊技機であれば、特定領域進入媒体検出手段による遊技媒体が検出された場合に有効期間が短縮されるために、利益供与装置に対する不正行為を行い難くなる。また、特別遊技状態への移行を判定する制御が簡素化される。
【００６６】
上記の第１概念構成〜第２５概念構成の遊技機において、
前記非特定領域に振り分けられた遊技媒体を検出する非特定領域進入媒体検出手段を更に含み、
前記遊技状態制御手段は、前記所定の有効期間における前記特定領域進入媒体検出手段による遊技媒体の検出と、前記特定領域進入媒体検出手段による遊技媒体の検出より前における前記進入媒体検出手段による遊技媒体の検出とに基づいて前記通常遊技状態から前記特別遊技状態への移行を決定し、前記進入規制機構の進入許容姿勢から進入禁止姿勢への移行開始からの所定の排出待機時間の経過後における前記特定領域進入媒体検出手段及び前記非特定領域進入媒体検出手段により検出された遊技媒体の個数の総和が前記進入媒体検出手段により検出された遊技媒体の個数以上であることの検知に応じて前記通常遊技状態を前記特別遊技状態に移行させる、
構成であることが好ましい。
なお、以下において、この構成の遊技機を「第２６概念構成の遊技機」とも称す。
【００６７】
第２６概念構成の遊技機であれば、特別遊技状態への移行後に非特定領域進入媒体検出手段や特定領域進入媒体検出手段によって遊技媒体が検出されことが防止され、特別遊技状態中に異常が報知されたり遊技進行が停止されたりすることが防止される。
【００６８】
第１の始動入賞装置と、
前記第１の始動入賞装置に進入した遊技媒体を検出する第１の始動入賞媒体検出手段と、
前記第１の始動入賞媒体検出手段による遊技媒体の検出に基づいて第１特別図柄を抽選により決定する第１特別図柄決定手段と、
遊技媒体の進入規制を変化させる進入規制変化装置を含む第２の始動入賞装置と、
前記第２の始動入賞装置に進入した遊技媒体を検出する第２の始動入賞媒体検出手段と、
前記第２の始動入賞媒体検出装置による遊技媒体の検出に基づいて第２特別図柄を抽選により決定する第２特別図柄決定手段と、
始動装置と、
前記始動装置に進入した遊技媒体を検出する始動媒体検出手段と、
前記始動媒体検出手段による遊技媒体の検出に基づいて普通図柄を抽選により決定する普通図柄決定手段と、
遊技媒体の進入規制を変化させる進入規制変化装置を含む第１の大入賞装置と、
遊技媒体の進入規制を変化させる進入規制変化装置、及び、遊技媒体を非特定領域及び特定領域のいずれか一方に選択的に振り分ける振分変化装置を含む第２の大入賞装置と、
前記第２の大入賞装置に進入した遊技媒体を検出する進入媒体検出手段と、
前記第２の大入賞装置の前記特定領域に進入した遊技媒体を検出する特定領域進入媒体検出手段と、
前記普通図柄決定手段により普通図柄が当り図柄に決定された場合に、前記第２の始動入賞装置における前記進入規制変化装置の動作を制御する始動入賞動作制御手段と、
前記第２特別図柄決定手段により第２特別図柄が第１の小当り図柄及び第２の小当り図柄のいずれか一方に決定された場合に、前記第２の大入賞装置における前記進入規制変化装置及び前記振分変化装置の動作を制御する第２の大入賞動作制御手段と、
前記第１特別図柄決定手段により前記第１特別図柄が第１の大当り図柄に決定された第１作動契機、前記第１特別図柄決定手段により第１特別図柄が第２の大当り図柄に決定された第２作動契機、前記第２特別図柄決定手段により第２特別図柄が第１の大当り図柄に決定された第３作動契機、前記第２特別図柄決定手段により第２特別図柄が第２の大当り図柄に決定された第４作動契機、前記第２特別図柄決定手段により第２特別図柄が第１の小当り図柄に決定されたときであって所定の有効期間に前記特定領域進入媒体検出手段により遊技媒体が検出された第５作動契機、及び、前記第２特別図柄決定手段により第２特別図柄が第２の小当り図柄に決定されたときであって前記所定の有効期間に前記特定領域進入媒体検出手段により遊技媒体が検出された第６作動契機のいずれか１つの作動契機が成立した場合に、遊技状態を遊技媒体の獲得に関して通常遊技状態より有利な特別遊技状態に移行させる特別遊技状態移行手段と、
前記特別遊技状態において前記第１の大入賞装置の前記進入規制変化装置の動作を制御する第１の大入賞動作制御手段と、
前記第１の大入賞動作制御手段における前記第１作動契機、前記第３作動契機及び前記第５作動契機に伴う前記第１の大入賞装置の動作の終了に基づいて遊技状態を前記通常遊技状態に設定し、前記第１大入賞動作制御手段における前記第２作動契機、前記第４作動契機及び前記第６作動契機に伴う前記第１の大入賞装置の動作の終了に基づいて遊技状態を遊技媒体の獲得に関して前記通常遊技状態より有利な特定遊技状態に設定する遊技状態更新手段と、
を備えており、
前記普通図柄決定手段により前記普通図柄が当り図柄に決定されたことに伴う前記第２の始動入賞装置への遊技媒体の進入を許容する期間が、前記通常遊技状態より前記特定遊技状態の方が長く、前記第２特別図柄決定手段による前記第２特別図柄の抽選を受けられる単位時間当りの頻度が、前記通常遊技状態においては前記第１特別図柄決定手段による前記第１特別図柄の抽選を受けられる単位時間当りの頻度より低く、前記特定遊技状態においては前記第１特別図柄決定手段による前記第１特別図柄の抽選を受けられる単位時間当りの頻度より高い、
遊技機であって、
前記第２の大入賞装置の内部に、前記非特定領域に遊技媒体を案内する第１通路と、前記第１通路の途中から分岐して前記特定領域に遊技媒体を案内する第２通路とが形成されており、
前記振分変化装置が、前記第１通路に進入した遊技媒体を前記非特定領域に案内する非誘導姿勢と前記第１通路に進入した遊技媒体を前記第１通路の途中から離脱させて前記第２通路を通して前記特定領域に誘導する誘導姿勢とをとる振分機構と、前記振分機構の姿勢を切り換える振分切換装置とを含み、
前記第２の大入賞動作制御手段が、前記進入規制切換装置の駆動を制御して、前記進入規制機構を進入禁止姿勢から進入許容姿勢に移行させ、当該進入許容姿勢への移行開始からの所定の進入許容時間の経過に基づいて進入禁止姿勢に復帰させ、
前記振分変化制御手段が、前記振分切換装置の駆動を制御して、前記進入規制機構の進入許容姿勢への移行開始後において前記振分機構を非誘導姿勢から誘導姿勢に移行させ、当該誘導姿勢への移行開始からの所定の誘導時間の経過に基づいて非誘導姿勢に復帰させ、
前記進入媒体検出手段が、前記第１通路における前記第１通路と前記第２通路との分岐部位より遊技媒体の進行方向の上流で遊技媒体を検出し、
前記特別遊技状態移行手段における前記所定の有効期間が、前記進入規制機構の進入許容姿勢への移行開始から前記振分機構の非誘導姿勢への移行開始までの少なくとも一部の期間における前記進入媒体検出手段による遊技媒体の検出に基づいてのみ設定される、
ことを特徴としている。
なお、以下において、この構成の遊技機を「第２７概念構成の遊技機」とも称す。
【００６９】
第２７概念構成の遊技機であれば、進入規制機構の進入許容姿勢への移行開始から振分機構の非誘導姿勢への移行開始までの少なくとも一部の期間における進入媒体検出手段による遊技媒体の検出に基づいてのみ設定されるために、進入規制機構が進入許容状態へ移行したとしても遊技球が利益供与装置に進入しなかった場合や、振分機構が誘導姿勢である間において遊技球が振分機構に到達しない場合に、特定領域進入媒体検出手段に対する有効期間が設定されないこととなり、有効期間の制限を強化できる。これによって、振分装置を備える入賞装置に対する不正行為に基づく強制的な遊技状態の移行が抑制される。なお、正常な遊技においても、一旦特定遊技状態へ移行した場合には特定遊技状態から通常遊技状態に戻るまで主に第５作動契機及び第６作動契機に基づく特別遊技状態が短期間で発生し、第２の大入賞装置に対する不正行為によって短期間に特別遊技状態に移行させられたとしてもそれらを識別することが難しくなるために、特に、第２７概念構成の遊技機において、第２の大入賞装置に対する不正行為を行い難くすることが重要となる。
【００７０】
上記の第２７概念構成の遊技機に対して、上記の第２概念構成の遊技機〜第２６概念構成の遊技機の構成を複合的に適用することもでき、同様の効果を奏する。
【００７１】
［具体的な構成］
本発明に係る遊技機の具体的な形態について図面を参照しながら詳細に説明する。ここでは、遊技機として弾球遊技機の一具体例を挙げて説明するが、本発明の主旨から逸脱しない限り適宜に設計が変更されてもよい。
【００７２】
［実施形態１］
実施形態１の遊技機について説明する。なお、以下においては、遊技機の構造的な構成と電気的な構成、各種の制御処理について概説した後に、本実施形態の特徴部分について纏めて説明する。
【００７３】
（構造的な構成）
図１〜図４は遊技機の一例を表す斜視図であり、図１には遊技機１００の閉鎖状態が示され、図２には外枠１０１に対して前ブロック１０２及び中間ブロック１０３が一体的に開放されている状態が示され、図３には中間ブロック１０３に対して前ブロック１０２が開放されている状態が示され、図４には中間ブロック１０３に対して後ブロック１０４が開放されている状態が示されている。なお、図２〜図４において各種の配線は省略されており、また、図３において遊技盤４００の詳細な構成は省略されている。
【００７４】
遊技機１００は、図１〜図４に示されたように、外枠１０１と、前ブロック１０２と、中間ブロック１０３と、後ブロック１０４と、外枠１０１に対して中間ブロック１０３を開閉自在及び着脱自在に支持する中間ブロック支持機構と、中間ブロック１０３に対して前ブロック１０２を開閉自在及び着脱自在に支持する前ブロック支持機構と、中間ブロック１０３に対して後ブロック１０４を開閉自在及び着脱自在に支持する後ブロック支持機構とを備えている。
【００７５】
外枠１０１は、図２に示されたように、天板１１１、底板１１２、左側板１１３及び右側板１１４が組み付けられた略四辺形状の枠体であり、遊技機１００を設置する遊技ホールに設けられた遊技機設置設備（通称、「島設備」：図示せず）に嵌め込まれると共に固定具（図示せず）によって強固に固定される。外枠１０１は、更に、外枠１０１に対する中間ブロック１０３の閉鎖状態において中間ブロック１０３が載置される台座板１１５を備えている。天板１１１、底板１１２及び左側板１１３は木材であり、右側板１１４は木材よりも剛性の高い金属材であり、台座板１１５は樹脂材である。
【００７６】
中間ブロック支持機構は、図１に示されたように、外枠１０１に設けられた上側軸受け構造体１２１及び下側軸構造体１２２と、中間ブロック１０３に設けられた上側軸構造体１２６及び下側軸受け構造体１２７とを備えており、上側軸構造体１２６及び下側軸構造体１２２が、それぞれ、上側軸受け構造体１２１及び下側軸受け構造体１２７に装着されることによって、中間ブロック１０３が外枠１０１に対して支持される。
【００７７】
前ブロック支持機構は、図１又は図３に示されたように、中間ブロック１０３に設けられた上側軸構造体１３１（図３のみ）及び下側軸構造体１３２（図１のみ）と、前ブロック１０２に設けられた上側軸受け構造体１３３（図３のみ）及び下側軸受け構造体１３４（図１のみ）とを備えており、上側軸受け構造体１３３及び下側軸受け構造体１３４が、それぞれ、上側軸構造体１３１及び下側軸構造体１３２に装着されることによって、前ブロック１０２が中間ブロック１０３に対して支持される。同様に、後ブロック支持機構は、図４に示されたように、中間ブロック１０３に設けられた上側軸受け構造体１３６及び下側軸受け構造体１３７（図１２参照）と、前ブロック１０２に設けられた上側軸構造体１３８及び下側軸構造体１３９（図１２参照）とを備えており、上側軸構造体１３８及び下側軸構造体１３９が、それぞれ、上側軸受け構造体１３６及び下側軸受け構造体１３７に装着されることによって、後ブロック１０４が中間ブロック１０３に対して支持される。
【００７８】
また、遊技機１００は、外枠１０１に対する中間ブロック１０３の開閉を規制する中間ブロック施錠機構と、中間ブロック１０３に対する前ブロック１０２の開閉を規制する前ブロック施錠機構と、中間ブロック施錠機構及び前ブロック施錠機構の開錠や閉錠を行うために操作される錠開閉操作機構とを備えている。図３に示されたように、中間ブロック１０３に設けられ、前ブロック１０２の開口を通して遊技機１００の前面側に露出している錠開閉操作機構のキーシリンダ１４１（図１も参照）に対する所定の操作キー（図示せず）による右回転操作に応じて、中間ブロック１０３に設けられた中間ブロック施錠機構の可動爪１４３が作動し、外枠１０１に設けられた中間ブロック施錠機構の固定爪１４２と可動爪１４３との係合が解除されて、中間ブロック１０３は外枠１０１に対して開閉許容状態となる。一方、キーシリンダ１４１に対する所定の操作キーによる左回転操作に応じて、中間ブロック１０３に設けられた前ブロック施錠機構の可動爪１４４と前ブロック１０２に設けられた前ブロック施錠機構の固定爪１４５との係合が解除されて、前ブロック１０２は中間ブロック１０３に対して開閉許容状態となる。
【００７９】
また、遊技機１００は、中間ブロック１０３に対する後ブロック１０４の開閉を規制する後ブロック開閉規制機構を備えている。後ブロック開閉規制機構は、図２及び図４に示されたように、３つの開閉規制部１５０Ａ〜１５０Ｃで構成され、それらの各々において、中間ブロック１０３に設けられ、後ブロック１０４に形成された開口１０４Ａ〜１０４Ｃを通して遊技機１００の背面側に突出している回動片１５１Ａ〜１５１Ｃに対する回転操作に応じて、回動片１５１Ａ〜１５１Ｃが開口１０４Ａ〜１０４Ｃを通過できない開閉禁止姿勢から回動片１５１Ａ〜１５１Ｃが開口１０４Ａ〜１０４Ｃを通過できる開閉許容姿勢へ移動すると、中間ブロック１０３と回動片１５１Ａ〜１５１Ｃとによる後ブロック１０４に形成された被挟持片１５２Ａ〜１５２Ｃ（図４のみ）の挟持が解除されて、後ブロック１０４は中間ブロック１０３に対して開閉許容状態となる。
【００８０】
また、遊技機１００は、中間ブロック１０３から前ブロック１０２への遊技球の移動を規制する遊技球移動規制機構を備えている。遊技球移動規制機構は、図３に示されたように、中間ブロック１０３に設けられ、前面ブロック１０２側へ付勢された流下規制片１６１と、前ブロック１０２に設けられた規制変更突起１６２とを備えており、中間ブロック１０３から前ブロック１０２への遊技球の移動は、中間ブロック１０３に対する前ブロック１０２の閉鎖状態において流下規制片１６１が規制変更突起１６２により中間ブロック１０２側へ押圧された移動許容姿勢となることによって許容され、一方、中間ブロック１０３に対する前ブロック１０２の開放状態において流下規制片１６１が規制変更突起１６２による押圧が解除されて前ブロック１０２側へ突出する移動禁止姿勢となることによって禁止される。
【００８１】
また、遊技機１００は、前ブロック１０２における後述の中央パネル２２０と中間ブロック１０３における後述の遊技盤４００との間隔の一定性を厳密化する間隔規制機構を備えている。間隔規制機構は、図３に示されたように、中央パネル２２０に設けられ、前ブロック１０２の背面側において中間ブロック１０３と前面ブロック１０２との開閉軸側に突出する突出片１７１と、中間ブロック１０３に設けられ、中間ブロック１０３の正面側においてその開閉軸側と反対側に突出する突出片１７２とを備えており、中間ブロック１０３に対する前ブロック１０２の閉鎖方向への移動に伴って突出片１７１が突出片１７２の後方側に入り込み、最終的に中間ブロック１０３に対する前ブロック１０２の閉鎖状態において突出片１７１の前面と突出片１７２の後面とが押圧状態で当接する。
【００８２】
また、遊技機１００は、図２に示されたように、外枠１０１に対して中間ブロック１０３が開放されているか閉鎖されているか否かを検出する開閉検出スイッチ１０８と、図３に示されたように、中間ブロック１０３に対して前ブロック１０２が閉鎖されているか否かを検出する開閉検出スイッチ１０９とを備えている。
【００８３】
前ブロック１０２は、図１及び図３に示されたように、開口２０１Ａ（図３のみ）を有する基枠２０１と、基枠２０１の前面側に設けられ、開口２０１Ａの一部に連通する開口２１０Ａ（図１のみ）を有する前面パネル２１０と、開口２０１Ａを塞ぐように基枠２０１の背面側に設けられた中央パネル２２０と、遊技球を貯留する主貯留機構２３０（図１のみ）と、遊技球を貯留する補助貯留機構２４０（図１のみ）と、主貯留機構２３０に貯留されている遊技球を順次に遊技盤４００（図３のみ）に発射するために遊技者によって操作される発射操作装置２５０（図１のみ）とを備えている。
【００８４】
前面パネル２１０は、図１に示されたように、開口２１０Ａの周縁の開口周縁部２１１と、開口周縁部２１１の下方において前方に突出し、主貯留機構２３０が配置される上側突出部２１７と、上側突出部２１７の下方において前方に突出し、補助貯留機構２４０が配置される下側突出部２１８と、下側突出部２１８の右方において概ね平坦であり、発射操作装置２５０が配置される平坦部２１９とを含んでいる。
【００８５】
中央パネル２２０は、図１又は図３に示されたように、基枠２０１の後方側から取着されるパネル枠２２１（図３のみ）と、パネル枠２２１に嵌め込まれた光透過性の前方板２２２（図１のみ）と、パネル枠２２１に前方板２２２と所定の間隙を隔てて略平行に嵌め込まれた光透過性の後方板２２３（図３のみ）とを備えている。なお、上述の間隔規制機構の突出片１７１は、パネル枠２２１と一体形成されている。
【００８６】
主貯留機構２３０は、図１に示されたように、遊技球の流入口２３１Ａ、流出口（図示せず）及び流出口より上流側に形成される放出口（図示せず）を有する貯留桶２３１と、放出口の開閉により貯留桶２３１から放出される遊技球の放出先を流出口と放出口との間で切り換える球抜き機構と、その球抜き機構を作動させる球抜き操作部材２３２とを備えている。遊技進行に応じて獲得した遊技球や後述する貸出操作装置２９２に対する貸出操作に応じて貸し出された遊技球は主に流入口２３１Ａを通して貯留桶２３１に流入し、貯留桶２３１に流入した遊技球は一列に整列させられながら流出口及び放出口の形成されている方向（図５中の右方）へ順次に案内される。球抜き操作部材２３２に対する球抜き操作（例えば、押下操作）が行われていない場合には遊技球は流出口を通して中間ブロック１０３における後述する発射装置３３０（図３参照）に誘導される。一方、球抜き操作部材２３２に対する球抜き操作が行われている場合には、遊技球は放出口を通して補助貯留機構２４０（図１参照）に誘導される。
【００８７】
補助貯留機構２４０は、図１又は図５に示されたように、遊技球の流入口２４１Ａ（図５のみ）及び放出口２４１Ｂを有する貯留桶２４１と、放出口２４１Ｂを開閉させる球抜き機構２４３と、その球抜き機構を作動させる球抜き操作部材２４２とを備えている。遊技進行に応じて獲得した遊技球等は主に主貯留機構２３０に流入するが貯留桶２３１が満杯であれば流入口２４１Ａを通して貯留桶２４１に流入し、また、球抜き操作部材２３２に対する球抜き操作に応じて貯留桶２３１から誘導された遊技球は流入口２４１Ｃを通して貯留桶２４１に流入する。貯留桶２４１の底面は放出口２４１Ｂに向けてすり鉢上に傾斜しており、球抜き操作部材２４２に対する球抜き操作（例えば、右スライド操作）に応じた放出口２４１Ｂの開放によって、貯留桶２４１に貯留されている全ての遊技球を順次に遊技機１００の外部に放出できる。なお、球抜き操作部材２４２に対する球抜き操作によって放出口２４１Ｂが完全に開放された場合には、球抜き操作部材２４２に対する復帰操作（例えば、押圧操作又は微少な左スライド操作）がなされるまで、その状態に維持される。流入口２４１Ａの奥方には貯留桶２４１に過剰に遊技球が貯留されているか否かを検出する球溢れ検出スイッチ２４９（図１４参照）が設けられている。
【００８８】
発射操作装置２５０は、図１及び図５に示されたように、周縁パネル２１０の平坦部２１９から前方に突出する台座２５１と、台座２５１の周囲に設けられた回動自在な発射ハンドル２５２と、発射ハンドル２５２の回転操作量を検出する可変抵抗器２５３（図１４参照）と、発射ハンドル２５２に遊技者が接触していることを検出する接触センサ２５４（図１４参照）と、遊技者によって操作され、発射ハンドル２５２の回転操作に伴う遊技球の射出を無効化する発射停止スイッチ２５５（図５のみ）とを含んでいる。遊技者による発射ハンドル２５２の回転操作に応じて、その回転操作量に対応する強度で発射装置３３０（図３参照）から遊技球が射出される。なお、接触センサ２５４によって発射ハンドル２５２と遊技者との接触が検出されていない場合や、発射停止スイッチ２５５の操作によって発射操作が無効化されている場合には、発射ハンドル２５２が回転操作されていても発射装置３３０から遊技球は射出されない。
【００８９】
前ブロック１０２は、基枠２０１に設けられ、前面パネル２１０の開口周縁部２１１の奥方に配置された発光装置群を備えており、枠発光装置群は、図５に示されたように、開口周縁部２１１における上方中央部２１１Ａ、上方中央部２１１Ａの左方の上方左角部２１１Ｂ、上方中央部２１１Ａの右方の上方右角部２１１Ｃ、上方左角部２１１Ｂの下方の左中間部２１１Ｄ及び上方右角部２１１Ｃの下方の右中間部２１１Ｅのそれぞれに対応して配置された上中央枠発光装置２７１、左上枠発光装置２７２、右上枠発光装置２７３、左中間枠発光装置２７４及び右中間枠発光装置２７５（図１４参照）で構成されている。
【００９０】
また、前ブロック１０２は、基枠２０１に設けられ、前面パネル２１０の開口周縁部２１１の奥方において、開口周縁部２１１に形成された左上音響出力口２１１Ｆ及び右上音響出力口２１１Ｇのそれぞれに対応して配置された左上音響装置２８１及び右上音響装置２８２を備えている。
【００９１】
また、前ブロック１０２は、図１に示されたように、上側突出部２１７に設けられた遊技球貸出装置２９０を備えており、遊技球貸出装置２９０は、遊技機１００の側方に配置され遊技機１００の構成要素でないカードユニット（図示せず）に投入された紙幣やカード等の残額に応じた数値を表示する度数表示装置（図示せず）と、遊技球の貸し出しを受ける際に遊技者によって操作される貸出操作装置２９２と、カードユニットに投入された紙幣やカード等を返却させる際に遊技者によって操作される返却操作装置２９３とを含んでいる。カードユニットに紙幣やカード等の投入によってそれらの金額に対応する数値が度数表示装置に表示されている有効状態において貸出操作装置２９２に対して貸出操作が行われると、貸出操作に応じて所定の個数の遊技球が後ブロック１０４の払出装置５４０から貸し出され、遊技球の貸し出しに伴って度数表示装置の表示が更新される。一方、有効状態において返却操作装置２９３に対して返却操作が行われると、返却操作に応じて残額に対応する紙幣の等価物や残額を記録したカードがカードユニットから返却される。
【００９２】
中間ブロック１０３は、図３及び図４に示されたように、開口（図示せず）を有する基枠３０１と、基枠３０１の前面側に取着されて開口を覆う遊技盤４００（図３のみ）と、基枠３０１に対して遊技盤４００を回動自在及び着脱自在に支持する遊技盤支持機構と、基枠３０１に対して遊技盤４００の位置を固定する遊技盤固定機構と、遊技盤４００に遊技球を射出する発射装置３３０（図３のみ）と、遊技盤４００の背面側に設けられた取り付け台３６０（図４のみ）と、取り付け台３６０に装着された遊技進行を統括的に制御する主制御装置３７０（図４のみ）と、主制御装置３７０からの命令に基づいて遊技演出や状態報知を制御する副制御装置３９０（図４のみ）とを備えている。
【００９３】
基枠３０１には、後述する払出装置５４０（図１２参照）から放出された遊技球を前ブロック１０２に誘導する誘導通路３０１Ａや前ブロック１０２の基枠２０１に設けられた各種の枠発光装置２７１〜２７５や音響装置２８１，２８２と主制御装置３７０や副制御装置３９０とを電気的に接続するための配線（図示せず）や信号中継装置（図示せず）が挿通される遊技盤４００の切り欠きに基づく開孔３０１Ｂが形成されている。
【００９４】
遊技盤４００は、図６及び図７に示されたように、排出口４０１Ａ等の各種の貫通孔（図示せず）を有する平板状の基体４０１と、基体４０１の左下から右上に亘り滑らかに湾曲し、後述する発射装置３３０から発射された遊技球を誘導する外レール４０２と、基体４０１の右下から左上に亘り滑らかに湾曲する内レール４０３と、内レール４０３の左上側の先端に取着され、外レール４０２及び内レール４０３が平行に対向する部分で形成される発射通路４０１Ｂから一旦放出された遊技球が発射通路４０１Ｂに戻ることを防止する戻り球防止機構４０４と、外レール４０２の右上側の先端に取着され、遊技盤４００の中央を越えて左側に移動するような遊技球の大幅な反跳を防止する反跳防止部材４０５と、発射通路４０１Ｂを構成する部分の外レール４０２の外縁を保護する保護部材４０６とを備えている。図３に示されたように、発射装置３３０から発射通路４０１Ｂへ遊技球を誘導する誘導部材３３５と外レール４０２との間には間隙があり、発射装置３３０から発射されたが戻り球防止機構４０４を超えるに至らず発射通路４０１Ｂを逆戻りする遊技球は、基枠２０１に形成され、この間隙の下方に配置される戻り球通路２０１Ｂを介して流入口２４１Ｂ（図５参照）から補助貯留機構２４０（図５参照）に返却される。なお、概ね外レール４０２及び内レール４０３とで区画され、戻り球防止機構４０４を超えた遊技球が移動可能な略円形状の遊技領域に設けられる構造物については後述する。
【００９５】
遊技盤支持機構は、図３に示されたように、保護部材４０６に設けられた支軸部３１１（図７も参照）と、基枠３０１に形成され、遊技盤４００の基体４０１の一部が載置される載置部３１２と、基枠３０１に形成され、支軸部３１１と係合する軸受け部３１３とで構成され、遊技盤４００を回動自在かつ着脱自在に支持している。遊技盤４００が回動自在に支持されている場合において、所定の角度以上だけ回転させた後に、基体４０１における載置部３１２と当接する部位を支点として遊技盤４００を回転軸から傾けると、支軸部３１１と軸受け部３１３との係合が外れる。これによって、遊技盤４００を基枠３０１から離脱させることができる。逆に、遊技盤４００を基枠３０１に装着する場合には、遊技盤４００の所定の部位を載置部３１２に載置した後に、支軸部３１１を軸受け部３１３に係合させる。
【００９６】
遊技盤固定機構は、基枠３０１に設けられた３つの固定具３２０（図３において２つの固定具のみが図示されている）で構成され、それらの各々は、基枠３０１から前方に突出する回動自在な回転軸体（図示せず）と、回転軸体の先端に固着され、遊技盤４００の基体４０１に形成された切り欠き部４０１Ｃを通して通過できない挿抜禁止姿勢と切り欠き部４０１Ｃを通して通過できる挿抜許容姿勢とをとる回動片３２２と、回動片３２２より後方に配置された押圧板（図示せず）と、回動片３２２が挿抜禁止姿勢である場合に押圧板を回動片３２２側に付勢する付勢体（図示せず）とを備えている。遊技盤４００が基枠３０１に固定されている着脱禁止状態において、回動片３２２は、切り欠き部４０１Ｃを通して基体４０１の前方に突出すると共に挿抜禁止姿勢となっており、基体４０１は、回動片３２２と押圧板とによって押圧状態で挟持されている。これによって、基枠３０１に対する遊技盤４００の前後方向の位置決めが正確に行えるために、誘導部材３３５から発射通路４０１Ｂへの遊技球の移動が阻害されることを防止できる。回動片３２２対する回転操作に応じて、回動片３２２が挿抜禁止姿勢から回動片３２２が切り欠き部４０１Ｃを通過できる挿抜許容姿勢へ回転すると、付勢体からの押圧板の付勢が解除され、また、回動片３２２と押圧板とによる基体４０１の挟持が解除される。全ての回動片３２２が挿抜許容姿勢である場合には、基枠３０１に対して遊技盤４００が回動自在になる。逆に、遊技盤４００を基枠３０１に固定する場合には、全ての回動片３２２が挿抜許容姿勢である状態で、遊技盤４００を回転させて各回動片３２２を切り欠き部４０１Ｃに挿通させた後に、全ての回動片３２２を挿抜禁止姿勢に回転させる。
【００９７】
発射装置３３０は、図３に示されたように、主貯留機構２３０に貯留されている遊技球を順次に発射位置に送り出す球送り機構３３１と、球送り機構３３１を駆動する球送りソレノイド３３２（図１４参照）と、発射位置に配置された遊技球を射出する発射機構３３３と、発射機構３３３を駆動する発射ソレノイド３３４（図１４参照）と、発射機構３３３から発射された遊技球を遊技盤４００の発射通路４０１Ｂに誘導する誘導部材３３５とを備えている。発射装置３３０は、上述のように発射操作装置２５０に対する発射操作に応じて作動する。
【００９８】
取り付け台３６０は、図４に示されたように、基枠３０１に設けられた軸受け構造体（図示せず）と、取り付け台３６０に形成され、軸受け構造体に係合する軸構造体（図示せず）とを含む支持機構を介して、基枠３０１に対して回動自在に支持されている。
【００９９】
主制御装置３７０は、図４に示されたように、主制御基板９２０（図１４参照）と、主制御基板９２０を収容する２つ割り構造の基板ケース３７１とを備えている。主制御基板９２０は、痕跡を残さずには開封できないように基板ケース３７１に封止されている。
【０１００】
副制御装置３９０は、副制御基板９４０（図１４参照）と、副制御基板９４０を収容する２つ割り構造の基板ケース３９１とを備えており、副制御基板９４０は、基板ケース３９１に封止されている。
【０１０１】
ここで、遊技盤４００において、遊技領域に配置される各種の構造物について詳細に説明する。図６は、遊技盤の一例を表す斜視図であり、図７は、遊技盤の一例を表す正面図である。図８及び図９は、それぞれ、遊技盤における第２特別図柄に係る始動入賞装置の一例を表す斜視図及び断面図である。図８（Ａ）及び図９（Ａ）には始動入賞装置における進入規制機構が進入禁止姿勢である場合が示され、図８（Ｂ）及び図９（Ｂ）には進入規制機構が進入許容姿勢である場合が示されている。なお、図９は図７におけるＸ−Ｘ’矢視断面である。図１０は、遊技盤における上大入賞装置の一例を表す斜視図であり、図１０（Ａ）及び図１０（Ｂ）にそれぞれ上大入賞装置における進入規制機構の進入禁止姿勢及び進入許容姿勢である場合が示されている。なお、図１０（Ｂ）においては、一部の部材を省略している。図１１は、遊技盤における上大入賞装置の一例を表す正面図であり、図１１（Ａ）及び図１１（Ｂ）にそれぞれ上大入賞装置における振分機構の誘導姿勢及び非誘導姿勢が示されている。
【０１０２】
遊技盤４００は、図６及び図７に示されたように、基体４０１と、遊技球の流下方向や流下速度に変化を与える釘４１１や風車（図示せず）等の流下変化部材と、基体４０１の概ね中央に配置され、進入口４２１Ａから流入した遊技球を第１特別図柄に係る始動入賞装置４３１の近傍に誘導する中央構造体４２０と、中央構造体４２０の中央の下方に配置された第１特別図柄に係る始動入賞装置４３１と、始動入賞装置４３１に進入した遊技球を検出する始動入賞スイッチ４４１（以下において「中始動入賞スイッチ」とも称す）（図１４参照）と、中央構造体４２０の中央の右側に配置された第２特別図柄に係る始動入賞装置４３２と、始動入賞装置４３２に進入した遊技球を検出する始動入賞スイッチ４４２（以下において「右始動入賞スイッチ」とも称す）（図９及び図１４参照）と、始動入賞装置４３１の下方に配置された下大入賞装置４３３と、下大入賞装置４３３に進入した遊技球を検出する下大入賞スイッチ４４３（図１４参照）と、始動入賞装置４３２の下方に配置された上大入賞装置４３４と、上大入賞装置４３４に進入した遊技球を検出する上大入賞スイッチ４４４（図１４参照）と、上大入賞装置４３４の内部に形成された非特定通路６０Ｃ（図１１参照）に進入した遊技球を検出する非特定通路スイッチ４４７（図１１及び図１４参照）と、上大入賞装置４３４の内部に形成された特定通路６０Ｅ（図１１参照）に進入した遊技球を検出する特定通路スイッチ４４８（図１１及び図１４参照）と、始動入賞装置４３２の上側に配置された普通図柄に係る始動装置４３６と、始動装置４３６に進入した遊技球を検出する始動スイッチ４４６（図１４参照）と、下大入賞装置４３３の左上方に配置された３つの一般入賞装置４３９Ａと、下大入賞装置４３３の右上方に配置された一般入賞装置４３９Ｂと、３つの一般入賞装置４３９Ａに進入した遊技球を共通で検出する一般入賞スイッチ４４９Ａ（図１４参照）と、一般入賞装置４３９Ｂに進入した遊技球を検出する一般入賞スイッチ４４９Ｂ（図１４参照）とを備えている。中央構造体４２０、始動装置４３６に進入した遊技球は遊技領域に放出されるが、各入賞装置、具体的には、始動入賞装置４３１、始動入賞装置４３２、下大入賞装置４３３、上大入賞装置４３４及び一般入賞装置４３９Ａ，４３９Ｂに進入した遊技球は基体４０１に形成された貫通孔を通して基体４０１の背面側に形成された回収排出通路（図示せず）に案内される。また、各入賞装置に進入しなかった遊技球は排出口４０１Ａを通して回収排出路へ案内される。回収排出通路に案内された遊技球は、遊技機１００から遊技機設置設備（図示せず）に設けられた遊技球循環装置（図示せず）に排出される。いずれかの入賞装置に遊技球が進入した場合には、入賞装置の種類に応じた所定の個数の遊技球が払出装置５４０から払い出されることとなる。
【０１０３】
第１特別図柄に係る始動入賞装置４３１及び一般入賞装置４３９Ａ，４３９Ｂの各々は、それらへの遊技球の進入確率を変化させず、進入した遊技球を基体４０１の背面側へ誘導する。
【０１０４】
第２特別図柄に係る始動入賞装置４３２は、図８及び図９に示されたように、進入禁止姿勢（図８（Ａ）及び図９（Ａ））と進入許容姿勢（図８（Ｂ）及び図９（Ｂ））との間の移行によって進入確率を変化させる進入規制機構４５２と、進入規制機構４５２を駆動する進入規制ソレノイド（以下において「右進入規制ソレノイド」とも称す）４６２とを備えている。進入規制機構４５２は、右進入規制ソレノイド４６２によって駆動される可動爪片４５２Ａと、可動爪片４５２Ａと連動する可動舌片４５２Ｂとを備えており、進入規制機構４５２が進入禁止姿勢である場合には、可動舌片４５２Ｂが進入口４３２Ａの奥方に陥入配置されると共に可動爪片４５２Ａが進入口４３２Ａを狭窄することによって遊技球は始動入賞装置４３２に進入できないが、進入規制機構４５２が進入許容姿勢である場合には、可動舌片４５２Ｂの少なくとも一部が進入口４３２Ａよりも前面側に突出配置されると共に可動爪片４５２が進入口４３２Ａを開放することによって遊技球は始動入賞装置４３２に進入できるようになる。進入規制機構４５２は、普通図柄に係る始動装置４３６へ進入した遊技球の始動スイッチ４４６による検出に基づく抽選（以下において「普通図柄抽選」とも称す）で当りに当選した場合に、右進入規制ソレノイド４６２による駆動に応じて所定の回数及び所定の時間だけ進入許容姿勢に移行する。
【０１０５】
下大入賞装置４３３は、進入禁止姿勢と進入許容姿勢とをとり、その内部への遊技球の進入を規制する進入規制機構４５３と、進入規制機構４５３の姿勢を変化させる進入規制ソレノイド（以下において「下進入規制ソレノイド」とも称す）４６３（図１４参照）とを備えている。進入規制機構４５３が進入禁止姿勢である場合には、進入規制機構４５３が進入口を閉鎖することによって遊技球は下大入賞装置４３３に進入できないが、進入規制機構４５３が進入許容姿勢である場合には、進入規制機構４５３が進入口を開放することによって遊技球は下大入賞装置４３３に進入できるようになる。
【０１０６】
上大入賞装置４３４は、図１０（Ａ）及び図１０（Ｂ）並びに図１１（Ａ）及び図１１（Ｂ）に示されたように、進入禁止姿勢（図１０（Ａ））と進入許容姿勢（図１０（Ｂ）、図１１（Ａ）及び図１１（Ｂ））とをとり、その内部への遊技球の進入を規制する進入規制機構４５４と、進入規制機構４５４の姿勢を変化させる進入規制ソレノイド（以下において「上進入規制ソレノイド」とも称す）４６４（図１４参照）と、非誘導姿勢（図１１（Ａ））と誘導姿勢（図１１（Ｂ））とをとり、上大入賞装置４３４に進入した遊技球を特定通路６０Ｅ（図１１のみ）又は非特定通路６０Ｃ（図１１のみ）に振り分ける振分機構４５５（図１１のみ）と、振分機構４５５の姿勢を変化させて遊技球の誘導先を切り換える振分切換ソレノイド４６５（図１４参照）とを備えている。上大入賞装置４３４の進入規制機構４５４が図１０（Ａ）に示されたような進入禁止姿勢である場合には、進入規制機構４５４が進入口４３４Ａを閉鎖することによって遊技球は上大入賞装置４３４に進入できないが、進入規制機構４５４が図１０（Ｂ）に示されたような進入許容姿勢である場合には、進入規制機構４５４が進入口４３４Ａを開放することによって遊技球は大入賞装置４３４に進入できるようになる。また、大入賞装置４３４に進入した遊技球は、振分機構４５５が図１１（Ａ）に示されたような非誘導姿勢である場合には非特定通路６０Ｃに案内され、振分機構４５５が図１１（Ｂ）に示されたような誘導姿勢である場合には特定通路６０Ｅに誘導される。
【０１０７】
上大入賞装置４３４の進入規制機構４５４は、第２特別図柄に係る始動入賞装置４３２へ進入した遊技球の右始動入賞スイッチ４４２による検出に基づく抽選（以下において「第２特別図柄抽選」とも称す）によって小当りに当選した場合に、上進入規制ソレノイド４６４の作動に応じて所定の時間だけ進入許容姿勢に移行する。また、振分機構４５５は、進入規制機構４５４の進入許容姿勢への移行から所定の時間後に振分切換ソレノイド４６５の作動に応じて誘導姿勢に移行し、更に誘導姿勢への移行から所定の時間後に振分切換ソレノイド４６５の停止に応じて誘導姿勢に戻る。
【０１０８】
下大入賞装置４３３の進入規制機構４５３は、第１特別図柄に係る始動入賞装置４３１へ進入した遊技球の中始動入賞スイッチ４４１による検出に基づく抽選（以下において「第１特別図柄抽選」とも称す）によって大当りに当選した場合と、第２特別図柄抽選によって大当りに当選した場合と、第２特別図柄抽選によって小当りに当選すると共に所定の期間内において特定通路６０Ｅに流入した遊技球が特定通路スイッチ４４８で検出された場合とに、下進入規制ソレノイド４６３の作動に応じて所定の回数及び所定の時間だけ進入許容姿勢に移行する。
【０１０９】
また、遊技盤４００は、図６及び図７に示されたように、第１特別図柄抽選に伴って、第１特別図柄を変動表示したり、第１特別図柄を抽選結果に応じた停止図柄で確定表示したりする第１特別図柄に係る特別図柄表示装置４７１と、第２特別図柄抽選に伴って、第２特別図柄を変動表示したり、第２特別図柄を抽選結果に応じた停止図柄で確定表示したりする第２特別図柄に係る特別図柄表示装置４７２と、第１特別図柄に係る単位遊技の保留回数を表示する特別図柄保留表示装置４７６とを備えている。第１特別図柄に係る単位遊技は最大４回まで保留される。なお、第１特別図柄に係る単位遊技が最大回数まで保留されている場合に、第１始動入賞装置４３１に進入した遊技球が中始動入賞スイッチ４４１によって検出されたとしても第１特別図柄に係る単位遊技の権利は追加されない。また、第２特別図柄に係る単位遊技は保留されない。
【０１１０】
第１特別図柄に係る特別図柄表示装置４７１は、４個の単色の発光部（図示せず）で構成されており、主制御基板９２０（図１４参照）によって第１特別図柄の表示が制御される。第１特別図柄は、４個の発光部の発光パターンによって表現される。第２特別図柄に係る特別図柄表示装置４７２は、１２個の単色の発光部（図示せず）で構成されており、主制御基板９２０によって第２特別図柄の表示が制御される。第２特別図柄は、１２個の発光部の発光パターンによって表現される。特別図柄保留表示装置４７６は、２個の単色の発光部（図示せず）の発光状態（消灯、点灯、点滅）の組合せによって保留回数を表示する。
【０１１１】
また、遊技盤４００は、普通図柄抽選に伴って、普通図柄を変動表示したり、普通図柄を抽選結果に応じた停止図柄で確定表示したりする普通図柄表示装置４７３と、普通図柄抽選の権利の保留状態（保留個数）を表示する普通図柄保留表示装置４７８とを備えている。普通図柄に係る単位遊技は最大４回まで保留される。なお、普通図柄に係る単位遊技が最大回数まで保留されている場合に、始動装置４３６に進入した遊技球が始動スイッチ４４６によって検出されたとしても普通図柄に係る単位遊技の権利は追加されない。
【０１１２】
普通図柄表示装置４７３は、２個の２色の発光部（図示せず）で構成されており、主制御基板９２０（図１４参照）によって表示が制御される。各発光部は、例えば赤色と緑色との２色で選択的に発光し、普通図柄は、２個の発光部の発光色の組合せによって表現される。また、普通図柄保留表示装置４７８は、２個の単色の発光部（図示せず）の発光状態（消灯、点灯、点滅）の組合せによって保留回数を表示する。
【０１１３】
また、遊技盤４００は、中央構造体４２０に設けられ、第１特別図柄及び第２特別図柄の少なくとも一方に係る単位遊技において、装飾図柄を変動表示したり、装飾図柄を確定表示したりする装飾図柄表示装置４７９を備えている。副制御基板９４０による制御に基づく装飾図柄の変動表示及び確定表示は、主制御基板９２０による第１特別図柄や第２特別図柄の変動表示及び確定表示と実質的に同期している。装飾図柄の変動表示においては、第１特別図柄や第２特別図柄の変動表示よりも複雑かつ多様な演出が実行される。
【０１１４】
中央構造体４２０は、枠体４２１と、進入口４２１Ａから進入し、転動ステージ４２１Ｂに案内された遊技球を第１特別図柄に係る始動入賞装置４３１に極めて高確率で案内する誘導通路４２１Ｃへの誘導を規制する誘導規制機構４２２と、誘導規制機構４２２を駆動する誘導規制モータ４２３（図１４参照）とを備えている。
【０１１５】
また、遊技盤４００は、各種の構造物の裏側に設けられた盤面発光装置４９０（図１４参照）を備えており、盤面発光装置４９０は、副制御装置９４０による制御に基づいて遊技進行に伴う各種の発光演出や発光による状態報知を実行する。
【０１１６】
ここで、遊技盤４００の主要な装置の動作について説明する。なお、それらの説明に先立って、各種の遊技状態及び遊技状態間の移行について説明する。通常時の遊技状態（以下において「通常遊技状態」とも略記する）は、第１特別図柄及び普通図柄の変動表示時間が長い状態（以下において「非時短状態」とも称す）である。第１特別図柄抽選又は第２特別図柄抽選において時短大当りに当選した場合には、特別遊技状態を経て第１特別図柄及び普通図柄の変動表示時間が非時短状態よりも短い状態（以下において「時短状態」とも称す）である遊技状態（以下において「時短遊技状態」とも称す）となり、一方、第１特別図柄抽選又は第２特別図柄抽選において通常大当りに当選した場合には、特別遊技状態を経て通常遊技状態となる。時短遊技状態は、第１特別図柄及び第２特別図柄に係る単位遊技の総数が所定の回数（例えば、１００回）となるまで維持されるが、その後は通常遊技状態に戻る。また、第２特別図柄抽選において通常移行可能小当りに当選した場合であって所定の期間内に特定通路スイッチ４４８によって遊技球が検出された場合には、特別遊技状態を経て通常遊技状態となり、一方、第２特別図柄抽選において時短移行可能小当りに当選した場合であって所定の期間内に特定通路スイッチ４４８によって遊技球が検出された場合には、特別遊技状態を経て時短遊技状態となる。なお、時短移行可能小当り又は通常移行可能小当りに当選した場合であっても所定の期間内に特定通路スイッチ４４８によって遊技球が検出されなかった場合には、現在の遊技状態が維持される。但し、上述のように、時短遊技状態における最終回の単位遊技であった場合にはその終了に基づいて、遊技状態は通常遊技状態に戻ることとなる。また、特別遊技状態は、非時短状態である。
【０１１７】
遊技盤４００の主要な装置の動作について概ね時系列に沿って説明する。主制御基板９２０において、特別図柄（第１特別図柄及び第２特別図柄で共通）に係る当選乱数、大当り図柄乱数、小当り図柄乱数、停止パターン乱数、各種の変動パターン乱数が生成されており、各種の遊技状態において第１特別図柄に係る始動入賞装置４３１に進入した遊技球が中始動入賞スイッチ４４１によって検出されると、第１特別図柄に係る単位遊技の権利が最大回数まで保留されていない場合には、特別図柄に係る当選乱数、大当り図柄乱数及び停止パターン乱数が取得されて、主制御基板９２０のＲＡＭの所定の領域に格納される。このとき、特別遊技状態でなく、第１特別図柄又は第２特別図柄に係る単位遊技制御中でもなく、第１特別図柄に係る単位遊技の権利が保留されていない場合には、それらの格納の直後に、その取得された当選乱数に基づいて大当りに当選したか否かが判定され、また、特別遊技状態でない場合であって、第１特別図柄又は第２特別図柄に係る単位遊技制御中や第１特別図柄に係る単位遊技の権利が保留されている場合には、既得の全ての特別図柄に係る単位遊技の権利に基づく単位遊技制御の終了後にその判定が行われ、特別遊技状態である場合には、特別遊技状態後であって既得の全ての第１特別図柄に係る単位遊技の権利に基づく単位遊技制御の終了後にその判定が行われる。第１特別図柄抽選において大当りに当選した場合には、更に、取得された大当り図柄乱数に基づいて第１特別図柄に係る停止図柄が決定される。この停止図柄の種類によって、通常大当り及び時短大当りのいずれの大当りであるかが決定される。なお、各種の大当りの振分確率は、現在の遊技状態（時短遊技状態又は通常遊技状態）によって変化し、具体的には、時短大当りへの振分確率が時短遊技状態において通常遊技状態よりも高い。また、第１特別図柄抽選において大当りに当選しなかった場合には、停止図柄として所定のハズレ図柄が設定される。
【０１１８】
第１特別図柄抽選の後に、現在の遊技状態、抽選結果、停止パターン乱数の値、各種の変動パターン乱数の値、第１特別図柄に係る単位遊技の権利の保留回数に基づいて、第１特別図柄の変動表示時間が決定されると共に、装飾図柄の変動パターンが選択される。その後、第１特別図柄表示装置４７１における第１特別図柄の変動表示及び装飾図柄表示装置４７９における装飾図柄の変動表示（変動演出）が開始され、第１特別図柄にあっては変動表示時間に亘って一定のパターンによる変動表示が継続され、装飾図柄にあっては変動表示時間に亘って変動パターンに従った変動表示が継続される。変動表示時間の経過に伴って、第１特別図柄に係る停止図柄が確定表示され、また、装飾図柄として第１特別図柄の停止図柄に対応する図柄が確定表示される。第１特別図柄及び装飾図柄の確定表示は少なくとも所定の一定時間に亘って継続される。
【０１１９】
第１特別図柄に係る停止図柄が大当り図柄である場合には、第１特別図柄の確定表示後に、遊技状態は特別遊技状態に移行する。特別遊技状態において、下大入賞装置４３３の進入規制機構４５３が所定の回数だけ間欠的に進入許容姿勢となる。進入規制機構４５３の各回の進入許容姿勢中において、所定の個数（例えば、１０球）の遊技球が下大入賞スイッチ４４３によって検出された場合及び所定の最大進入許容時間が経過した場合のいずれかの場合に、進入規制機構４５３は進入許容姿勢に移行する。その後、所定の進入禁止時間の経過後に、再度、進入規制機構４５３は進入許容姿勢に移行する。この進入規制動作が所定の回数だけ繰り返される。なお、特別遊技状態の開始から所定の待機時間が経過した後（オープニング期間後）に進入規制機構４５３は初回の進入許容姿勢に移行し、また、最終回の進入禁止姿勢への移行から進入禁止時間が経過し、更にその後に所定の待機時間が経過した後（エンディング期間後）に特別遊技状態は終了する。特別遊技状態の終了後には、上述のように、今回の大当りの種類に応じた遊技状態に移行する。
【０１２０】
各種の遊技状態において、第２特別図柄に係る始動入賞装置４３２に進入した遊技球が右始動入賞スイッチ４４２によって検出されると、特別遊技状態でなく第１特別図柄又は第２特別図柄に係る単位遊技制御中でもない場合には、特別図柄に係る当選乱数、大当り図柄乱数、小当り図柄乱数及び停止パターン乱数が取得されて、主制御基板９２０のＲＡＭの所定の領域に格納され、その格納の直後に、その取得された当選乱数の値に基づいて大当りに当選したか否かが判定される。なお、第２特別図柄に係る単位遊技の権利について第１特別図柄の場合のような保留機能を備えておらず、また、第２特別図柄に係る単位遊技制御よりも第１特別図柄に係る単位遊技制御が優先して実行される。第２特別図柄抽選において大当りに当選した場合には、更に、取得された大当り図柄乱数の値に基づいて第２特別図柄の停止図柄が決定される。この停止図柄の種類によって、通常大当り及び時短大当りのいずれの大当りであるかが決定される。なお、各種の大当りの振分確率は、現在の遊技状態（時短遊技状態又は通常遊技状態）によって変化し、具体的には、時短大当りへの振分確率が時短状態において通常遊技状態よりも高い。また、第２特別図柄抽選において大当りに落選したときであっても小当りに当選した場合には、取得された小当り図柄乱数の値に基づいて第２特別図柄の停止図柄が決定される。この停止図柄の種類によって、通常移行可能小当り及び時短移行可能小当りのいずれの小当りであるかが決定される。また、大当りにも小当りにも当選しなかった場合には、停止図柄として所定のハズレ図柄が設定される。
【０１２１】
第２特別図柄抽選の後に、現在の遊技状態、抽選結果、停止パターン乱数の値に基づいて、装飾図柄の変動パターンが選択される。その後、第２特別図柄表示装置４７２における第２特別図柄の変動表示が開始され、変動表示時間に亘って一定のパターンによる変動表示が継続され、所定の変動表示時間の経過に伴って、第２特別図柄に係る停止図柄が確定表示される。第２特別図柄の確定表示は少なくとも所定の一定時間に亘って継続される。また、装飾図柄表示装置４７３においては、変動パターンに基づく演出が変動表示時間に亘って継続され、変動表示時間の経過に伴って、第２特別図柄の停止図柄に対応する演出が行われる。
【０１２２】
第２特別図柄に係る停止図柄が大当り図柄である場合には、第２特別図柄の確定表示後に、遊技状態は特別遊技状態に移行する。特別遊技状態において、下大入賞装置４３３の進入規制機構４５３が所定の回数だけ間欠的に進入許容姿勢となる。特別遊技状態の終了後には、上述のように、今回の大当りの種類に応じた遊技状態に移行する。
【０１２３】
第２特別図柄に係る停止図柄が小当り図柄である場合には、第２特別図柄の確定表示後に、上大入賞装置４３４の進入規制機構４５４が進入許容姿勢に移行する。進入規制機構４５４の進入許容姿勢中において、所定の個数（例えば１０球）の遊技球が上大入賞スイッチ４４４によって検出された場合及び所定の最大進入許容時間が経過した場合のいずれかの場合に、進入規制機構４５４は進入禁止姿勢に移行する。また、進入規制機構４５４の進入許容姿勢中において、その進入許容姿勢への移行から所定の時間後に振分機構４５５が遊技球を特定通路６０Ｅに誘導する誘導姿勢に移行し、更に誘導姿勢への移行から所定の時間後に遊技球を特定通路６０Ｅに誘導せず遊技球が非特定通路６０Ｃに案内されることとなる非誘導姿勢に戻る。所定の期間内に特定通路６０Ｅに流入した遊技球が特定通路スイッチ４４８によって検出された場合には、特別遊技状態を経て、今回の小当りの種類に応じた遊技状態に移行する。特別遊技状態において、下大入賞装置４３３の進入規制機構４５３が所定の回数だけ間欠的に進入許容姿勢となる。一方、所定の有効期間内に遊技球が特定通路スイッチ４４８によって検出されなかった場合には、遊技状態は特別遊技状態に移行することなく現在の遊技状態に維持される。
【０１２４】
各種の遊技状態において、始動装置４３６に進入した遊技球が始動スイッチ４４６によって検出されると、普通図柄に係る単位遊技の権利が最大回数まで保留されていない場合には、普通図柄に係る当選乱数が取得されて、主制御基板９２０のＲＡＭの所定の領域に格納される。このとき、普通図柄に係る単位遊技制御中でなければ格納の直後に、また、普通図柄に係る単位遊技制御中であれば既得の普通図柄に係る単位遊技の権利に基づく単位遊技制御の終了後に、その取得された普通図柄に係る当選乱数の値に基づいて当りに当選したか否かが判定される。なお、上述のように、普通図柄抽選において当りに当選した場合には、停止図柄として所定の当り図柄が設定され、普通図柄抽選において当りに当選しなかった場合には、停止図柄として所定のハズレ図柄が設定される。普通図柄抽選後に、普通図柄表示装置４７３において普通図柄の変動表示が開始され、非時短状態にあっては所定の変動表示時間に亘って一定のパターンによる変動表示が継続され、時短状態にあっては非時短状態よりも短い所定の変動表示時間に亘って一定のパターンによる変動表示が継続される。遊技状態に応じた所定の時間の経過に伴って、普通図柄に係る停止図柄が一定時間に亘って確定表示される。
【０１２５】
普通図柄に係る停止図柄が当り図柄である場合には、普通図柄の確定表示後に、第２特別図柄に係る始動入賞装置４３２の進入規制機構４５２が少なくとも１回は進入許容姿勢に移行する。具体的には、非時短状態（通常遊技状態及び特別遊技状態）において当りに当選した場合には、始動入賞装置４３２が所定の回数（例えば、１回）だけ所定の最大進入許容時間（例えば、０．２秒）に亘って進入許容状態へ移行し、時短状態（時短遊技状態）における当選の場合には、始動入賞装置４３２が非時短状態の場合よりも多い所定の回数（例えば、２回）だけ非時短状態の場合より長い所定の最大進入許容時間（例えば、４．８秒）に亘って間欠的に進入許容姿勢に移行する。但し、所定の個数（例えば、１０球）の遊技球が右始動入賞スイッチ４３２によって検出された場合には、進入規制機構４５２は最大進入許容時間の経過を待たずに進入禁止姿勢に移行し、また、進入許容姿勢への移行回数が所定の回数に到達していなくても、今回の普通図柄に係る単位遊技における始動入賞装置４３２の動作が終了する。
【０１２６】
本実施形態の遊技機１００の遊技性について簡単に説明する。第２特別図柄抽選を受けるためには、まず、普通図柄抽選において当りに当選しなければならず、更に、その当選に基づく第２特別図柄に係る始動入賞装置４３２の進入許容状態において遊技球が始動入賞装置４３２へ進入しなければならない。通常遊技状態における普通図柄に係る当りの当選確率は時短遊技状態における当選確率と同一であるが、通常遊技状態における当りの当選に基づく始動入賞装置４３２の進入許容状態の滞在時間（例えば、約０．１秒×１回）が時短遊技状態における滞在時間（例えば、約４．８秒×３回）に比べて極めて短く設定されているために、通常遊技状態において、第２特別図柄抽選を受けられる単位時間当りの頻度は、第１特別図柄抽選を受けられる単位時間当りの頻度よりも大幅に小さい。また、時短遊技状態において第２特別図柄抽選を経由して特別遊技状態へ移行した場合には時短遊技状態へ移行する確率（例えば、６６／１００）は比較的に高く設定されているが、通常遊技状態において第２特別図柄抽選を経由して特別遊技状態へ移行したとしても時短遊技状態へ移行する確率（例えば、０／１００）は極めて低く設定されている。また、時短遊技状態において第１特別図柄抽選を経由して特別遊技状態へ移行した場合と第２特別図柄抽選を経由して特別遊技状態へ移行した場合とで、その特別遊技状態後に時短遊技状態へ移行する確率は略同一（例えば、約２／３）に設定されている。更に、時短遊技状態において、始動入賞装置４３２や上大入賞装置４３４への頻繁な遊技球の進入が期待できるために、それらの進入に基づいて獲得する遊技球によって、遊技者は、少なくとも遊技球を大幅に減らすことなく遊技を行える。
【０１２７】
したがって、通常遊技状態においては、第１特別図柄に係る大当りの当選確率と第２特別図柄に係る大当りの当選確率とは同一であるが、上述のように、通常遊技状態における第１特別図柄に係る単位時間当りの抽選頻度が第２特別図柄に係る単位時間当りの抽選頻度よりも大幅に大きいために、遊技者は、第１特別図柄抽選における大当りの当選、特に、時短大当りの当選を目指して遊技することとなる。一方、時短遊技状態においては、第１特別図柄に係る大当りの当選確率と第２特別図柄に係る大当りの当選確率とが同一であったとしても、上述のように、通常遊技状態の場合とは逆に、第２特別図柄に係る単位時間当りの抽選頻度が第１特別図柄に係る単位時間当りの抽選頻度よりも大きく、更に、第２特別図柄に係る小当りの当選率（例えば、４４０／４４３）が極めて高くかつその小当りの当選ごとに特別遊技状態へ移行する可能性（例えば、特定通路６０Ｅへの振分率；約１／５）があるために、第２特別図柄抽選において大当りや小当りに当選することを目指して遊技することとなる。具体的には、遊技盤４００（図６及び図７参照）の構造から分かるように、主に中央構造体４２０の左側から遊技球を流下させる遊技手法（左打ち遊技手法）と、主に中央構造体４２０の右側から遊技球を流下させる遊技手法（右打ち遊技手法）とが選択的に行える構成となっており、遊技者は、通常遊技状態においては、左打ち遊技手法によって遊技を行い、時短遊技状態に移行した後は、右打ち遊技手法によって遊技を行うこととなる。また、遊技盤４００の構造から分かるように、中央構造体４２０の左側から遊技球を流下させるよりもその右側から遊技球を流下させた方が遊技球は下大入賞装置４３３に効率よく誘導されるために、特別遊技状態においても右打ち遊技手法によって遊技を行うこととなる。
【０１２８】
後ブロック１０４について説明する。図１２及び図１３は、それぞれ、遊技機の一例を表す斜視図及び背面図である。後ブロック１０４は、図１２及び図１３に示されたように、基体５０１と、中間ブロック１０３に対して基体５０１を開閉自在に支持する支持機構（図示せず）と、基体５０１に取着され、遊技機固定設備（図示せず）から供給される遊技球を貯留する遊技球タンク５１０と、遊技球タンク５１０の下流側において基体５０１に取着され、積層貯留されている遊技球を２条に整流させると共に１段に整列させるタンクレール５２０と、タンクレール５２０の下流側において基体５０１に取着され、タンクレール５２０から流入した遊技球を誘導するケースレール５３０と、ケースレール５３０の下流側において基体５０１に取着され、遊技球の払い出しや遊技球の貸し出しを実行する払出装置５４０と、払出装置５４０の下流側において基体５０１に取着され、払出装置５４０から流出した遊技球を基体５０１に形成された誘導通路（図示せず）に誘導する誘導部材５５０と、払出装置５４０による遊技球の払い出しや遊技球の貸し出しを制御する払出制御装置５６０と、外部電力を各種の装置等で必要とする所定の電圧の電力に変換して出力すると共に、発射操作装置２５０に対する発射操作に基づく遊技球の射出を主制御基板９２０と協同して制御する電源・発射制御装置９００と、払出制御装置５６０及び遊技球貸出装置２９０（図１参照）と遊技機１００の側方に配置されるカードユニット（図示せず）との間の信号を中継する中継装置９５０とを備えている。
【０１２９】
基体５０１は、樹脂（例えば、ＡＢＳ樹脂）により一体成型されており、略平坦状のベース部５０２と、ベース部５０２よりも後方に突出した保護カバー部５０３とを含んでいる。保護カバー部５０３は左右側方及び上方が閉鎖されかつ下方の一部のみが開放されている。保護カバー部５０３の背面には、主制御装置３７０及び副制御装置３９０における発熱の放熱性を向上させる多数の通気孔５０２Ａが形成されている。
【０１３０】
遊技球タンク５１０は、上方に開口した横長の箱型容器であり、その長手方向の一端から遊技機固定設備の球循環装置（図示せず）から供給される遊技球が逐次補給される。遊技球タンク５１０における遊技球の供給される側と異なる長手方向の一端の底面には開口（図示せず）が形成されている。遊技球タンク５１０の底面は長手方向に緩やかに傾斜し、遊技球タンク５１０に供給された遊技球は開口側に自重によって移動する。また、長手方向と直交する方向（前後方向）に対して更に穏やかに傾斜し、前方側（基体５０１への取り付け面側）に優位に遊技球を誘導する。また、遊技球タンク５１０には、球循環装置から遊技球の供給される一端から中央近傍にかけて少なくとも一部の底部を覆う帯電防止板５１１（図８のみ）が取着されており、帯電防止板５１１は接地電位に接続されている。
【０１３１】
タンクレール５２０は、遊技球タンク５１０の下方に取り付けられ、タンクレール５２０には遊技球タンク５１０の開口を通して遊技球が流入する。タンクレール５２０は、仕切り片（図示せず）によって仕切られた２列（２条）の樋状通路（図示せず）を形成する桶状部材５２１と、桶状部材５２１に対して回動自在に軸支され桶状部材５２１を流下する遊技球の球詰まりを防止させながら２条に整流させると共に１段に整列させる一対の整流部材５２２とを備えている。各樋状通路５２１は、下流側に向けて緩やかに傾斜しており、遊技球タンク５１０から流入した側と長手方向の反対側へ遊技球を誘導する。整流部材５２２は遊技球との接触によって振り子のように動作する。
【０１３２】
ケースレール５３０は、保護カバー部５０３の一側面部に沿うように縦向きに配置されており、タンクレール５２０からの遊技球が流入する。ケースレール５３０には、遊技球が勢いよく流れないように波状のうねりをもって前後左右に湾曲する２条の球通路（図示せず）が形成されている。また、球通路の上流側には、球切れ検出スイッチ５３９が取着されている。球切れ検出スイッチ５３９は、ケースレール５３０の内部に遊技球が十分にないこと、つまりケースレール５３０よりも上流側で球詰りが発生してケースレール５３０に遊技球が補給されていないこと等を検出する。
【０１３３】
払出装置５４０は、遊技球を送り出す送出機構５４１と、送出機構を駆動する払出モータ５４２とを備えている。払出制御装置５６０による制御に基づく払出モータ５４２の作動に応じて、２条の球通路に貯留されている遊技球を交互に放出する。
【０１３４】
払出制御装置５６０は、払出制御基板９３０と、払出制御基板９３０を収容する基板ケースとを備えており、払出制御基板９３０は、主制御基板９２０と同様に、開封の痕跡を残さずに開封できないように基板ケースによって実質的に封止されている。
【０１３５】
（電気的な構成及び各種制御処理）
次に、遊技機１００の電気的構成について説明する。図１４は、遊技機の電気的構成の一例を表すブロック図である。遊技機１００は、図１４に示されたように、電源・発射制御装置９００、電源監視基板９１０、主制御基板９２０、払出制御基板９３０、副制御基板９４０等の制御回路装置を備えている。なお、図１４において、各種の信号を中継するだけの中継回路装置については省略している。以下に、これらの主要な制御回路装置を個別に詳細に説明する。
【０１３６】
電源・発射制御装置９００は、遊技機１００の各部に電源供給路（図中の破線）を介して所定の電圧の電力を供給する電源部９０１と、発射操作装置２５０の操作に応じて発射装置３３０の駆動を制御する発射制御部９０２と、初期化スイッチ９０７からの初期化信号や球溢れ検出スイッチ２４９からの球溢れ信号を中継する信号中継部９０３とを備えている。
【０１３７】
電源部９０１は、外部より供給される外部電力（例えば、交流２４ボルト）を取り込んで内部電力（例えば、直流２４ボルト）に変換すると共に、その内部電力から各種のソレノイドや各種のモータ等の機器を駆動するための駆動用電圧（例えば、直流１２ボルト）の電力、各種のスイッチを駆動したり制御処理を実行したりするための制御用電圧（例えば、直流５ボルト）の電力、主制御基板９２０のＲＡＭ及び払出制御基板９３０のＲＡＭの内容を保持させるためのバックアップ用電圧の電力等を生成して、電源監視基板９１０、主制御基板９２０、払出制御基板９３０、副制御基板９４０等に供給する。具体的には、電源監視基板９１０に対して内部電力、駆動用電圧、制御用電圧及びバックアップ電圧の電力が供給され、主制御基板９２０に対して駆動用電圧、制御用電圧及びバックアップ電圧の電力が電源監視基板９１０の電源監視部９１１を介して供給され、払出制御基板９３０に対して駆動用電圧、制御用電圧及びバックアップ電圧の電力が直接的に供給され、副制御基板９４０に対して駆動用電圧及び制御用電圧の電力が直接的に供給され、発射制御部９０２に対して駆動用電圧及び制御用電圧の電力が供給される。電源部９０１には、電源スイッチ９０９が接続されており、電源スイッチ９０９がオフ状態である場合には外部電力の取り込みが停止される。なお、電源スイッチ９０９をオフ状態にしたり、電源スイッチ９０９を介して電源部９０１に接続される電源プラグ（図示せず）を外部電力の供給コンセント（図示せず）から抜脱したりすることによって遊技機１００の内部への電力の供給が停止している状態や、外部電力自体の供給が停止している状態を「停電状態」と総称する。電源部９０１は、停電状態への移行後においても所定の期間にわたり制御用電圧の電力を正常に出力するように構成されている。これによって、主制御基板９２０及び払出制御基板９３０は、現在の制御状態に復帰できるように状態を保存して制御を終了させることができる。
【０１３８】
発射制御部９０２は、主制御基板９２０と協同して、発射装置２５０（図１参照）の球送りソレノイド３３２及び発射ソレノイド３３４の駆動を制御する。なお、球送りソレノイド３３２及び発射ソレノイド３３４は、所定条件が整っている場合に作動が許可される。具体的には、遊技者が発射ハンドル２５２（図１参照）に触れていることが接触センサ２５４からの接触センサ信号に基づいて検知されていること、発射を停止させるための発射停止スイッチ２５５が操作されていないことを条件に、発射制御部９０２はオン状態の発射許可信号を主制御基板９２０に出力する。また、発射許可信号と発射異常信号とに基づいて主制御基板９２０は発射ソレノイド制御信号及び球送りソレノイド制御信号を発射制御部９０２に出力する。発射制御部９０２は、オン状態の球送り制御信号に基づいて球送りソレノイド３３２を作動させ、オン状態の発射ソレノイド制御信号の受信と可変抵抗器２５３の抵抗値とに基づいて発射ソレノイド３３４を作動させる。これによって、発射装置２５０から可変抵抗器２５３の抵抗値（発射ハンドル２５２の回転操作量）に応じた強さで遊技球が順次に発射される。
【０１３９】
信号中継部９０３は、初期化スイッチ９０７が押下された場合に、主制御基板９２０へオン状態の初期化信号を出力する。なお、主制御基板９２０においては、オン状態の初期化信号の受信に応じて主制御基板９２０のＲＡＭに保存された保存情報が初期化されることとなる。また、信号中継部９０３は、球溢れ検出スイッチ２４９が遊技球を検出した場合に、主制御基板９２０へオン状態の球溢れ信号を出力する。なお、主制御基板９２０においては、オン状態の球溢れ信号の検知に基づいて払出制御基板９３０に低速払出信号を出力することとなり、低速払出信号を受信した払出制御基板９３０は、払出モータ５４２の回転速度（払出装置５４０からの遊技球の払出速度）を低速化させることとなる。逆に、オフ状態の球溢れ信号の検知に基づいて払出制御基板９３０に高速払出信号を出力することとなり、高速払出信号を受信した払出制御基板９３０は、払出モータ５４２の回転速度を高速化させることとなる。
【０１４０】
電源監視基板９１０は、電源・発射制御装置９００からの電力供給状態を監視し、停電状態への移行に応じて、主制御基板９２０及び払出制御基板９３０へ停電信号を出力する電源監視部９１１と、電源・発射制御装置９００と主制御基板９２０との間の電力供給及び各種の信号の伝達を中継する信号中継部９１２とを含んでいる。電源監視部９１１は、具体的には、電源部９０１から出力される最大電圧である直流安定２４ボルトの電圧を監視しており、この電圧が２２ボルト未満である状態が所定の時間だけ継続した場合に停電状態であると判断して、オン状態の停電信号を主制御基板９２０及び払出制御基板９３０へ出力する。主制御基板９２０及び払出制御基板９３０は、オン状態の停電信号の受信によって停電状態への移行を認識することとなる。
【０１４１】
主制御基板９２０は、遊技機１００の動作を統括的に制御する。主制御基板９２０には、１チップマイコンとしてのＭＰＵ（図示せず）が搭載されている。ＭＰＵは、演算処理装置としてのＣＰＵ（図示せず）と、ＣＰＵにより実行される各種の制御プログラムや固定データを記憶したＲＯＭ（図示せず）と、制御プログラムの実行に際して一時的に各種のデータ等を記憶するＲＡＭ（図示せず）とを含んでいる。主制御基板９２０には、その他、タイマ回路（図示せず）、カウンタ回路（図示せず）、クロック発生回路（図示せず）、信号送受信回路（図示せず）等の各種回路が搭載されている。主制御基板９２０のＲＡＭは、停電状態への移行後においても電源・発射制御装置９００からのバックアップ電圧の電力供給によって内部データを維持（バックアップ）できる構成となっている。
【０１４２】
払出制御基板９３０は、主制御基板９２０からの指示に応じた払出装置５４０による遊技球の払い出し動作や遊技球貸出装置２９０の操作に応じた払出装置５４０による遊技球の貸し出し動作を制御する。払出制御基板９３０は、主制御基板９２０と同様に、ＣＰＵ（図示せず）、ＲＯＭ（図示せず）及びＲＡＭ（図示せず）を含む１チップマイコンとしてのＭＰＵ（図示せず）、タイマ回路（図示せず）、カウンタ回路（図示せず）、クロック発生回路（図示せず）、信号送受信回路（図示せず）等の各種回路が搭載されている。払出制御基板９３０のＲＡＭも、主制御基板９２０のＲＡＭと同様に、停電状態においても内部データを維持できる構成となっている。
【０１４３】
副制御基板９４０は、主制御基板９２０からの指示に基づいて、各種の演出装置や各種の発光装置や各種の音響装置等の動作を制御する。
【０１４４】
（主制御基板における制御処理）
主制御基板９２０によって実行される各種の制御処理について説明する。主制御基板９２０における制御処理は、大別すると、停電状態からの復帰に伴い起動されるメイン処理と、定期的に（本形態では４ｍｓ（ミリ秒）」周期で）メイン処理に割込みをかけて実行されるタイマ割込み処理とで構成されている。
【０１４５】
主制御基板９２０によって実行されるメイン処理について説明する。図１５は主制御基板のメイン処理の一例を表すフローチャートである。主制御基板９２０のメイン処理（図中では「主制御メイン処理」と略記）において、図１５に示されたように、まず、主制御基板９２０の立ち上げや各種の情報を初期設定するための一連の制御開始処理（Ｓ１００１〜Ｓ１０２０）が一度だけ実行され、その後は、割込みを禁止する割込み禁止処理Ｓ１０２１と、特別図柄に係る当選乱数初期値カウンタ（ＲＡＭの一部の領域）、特別図柄に係る大当り図柄乱数初期値カウンタ（ＲＡＭの一部の領域）、特別図柄に係る小当り図柄乱数初期値カウンタ（ＲＡＭの一部の領域）、普通図柄に係る当選乱数初期値カウンタ（ＲＡＭの一部の領域）及び普通図柄に係る当選乱数初期値カウンタ（ＲＡＭの一部の領域）の値を更新する乱数初期値更新処理Ｓ１０２２と、変動時間や変動パターン等を決定するための第１の変動種別カウンタ〜第４の変動種別カウンタ（ＲＡＭの一部の領域）の値を更新する変動用カウンタ更新処理Ｓ１０２３と、割込みを許可する割込み許可処理Ｓ１０２４とが繰り返し実行される。なお、タイマ割込みの要求が発生した場合には、割込み許可処理Ｓ１０２４の直後にタイマ割込み処理が実行される。
【０１４６】
制御開始処理において、まず、プログラムの実行を制御するスタックポインタ（ＲＡＭの一部の領域）に初期値を設定するプログラム開始処理Ｓ１００１と、割込みモードを設定する割込みモード設定処理Ｓ１００２と、払出制御基板９３０及び副制御基板９４０等が立ち上がるまで所定の時間だけ待機する立上待機処理Ｓ１００３とが実行される。その後、電源・発射制御装置９００の初期化スイッチ９０７からの初期化信号の出力状態の判定Ｓ１００４、停電情報（ＲＡＭの一部の領域）の値の判定Ｓ１００５及び保存情報の記憶状態の判定Ｓ１００７に基づいてＲＡＭの実質的に全領域の情報を消去する否かが判定される。なお、保存情報の記憶状態は、ＲＡＭの所定の範囲の記憶領域に対するチェックサム値を算出して（Ｓ１００６）、その現在のチェックサム値と前回の停電状態への移行に伴い停電情報更新処理Ｓ１１０２において算出されたチェックサム値の２の補数であるＲＡＭ判定値との排他的論理和が「０」であるか否か（Ｓ１００７）によって現在のチェックサム値と停電状態への移行時のチェックサム値とが同一であるか否かが判定される。初期化信号がオン状態である場合（Ｓ１００４：Ｙ）や停電情報が停電状態への移行時に保存情報を保存して終了したことを表す所定の停電値でない場合（Ｓ１００５：Ｎ）や保存情報が正常に保持されていない場合（Ｓ１００７：Ｎ）には、ＲＡＭの実質的に全領域の情報を消去するＲＡＭクリア処理Ｓ１００８が実行される。また、主制御基板９２０に接続されている各種の装置を初期化するハードウェア初期化処理Ｓ１００９が実行され、また、停電情報が停電値である場合（Ｓ１０１０：Ｎ）には、保持情報の復帰を含め各種の情報を初期設定するＲＡＭ復帰設定処理Ｓ１０１１とその設定完了を表す復帰コマンドを設定する復帰コマンド設定処理Ｓ１０１２とが実行され、一方、停電情報が停電値でない場合（Ｓ１０１０：Ｙ）には、保持情報の復帰は行わずに各種の情報を初期設定するＲＡＭ初期設定処理Ｓ１０１３とその設定完了を表す初期化コマンドを設定する初期化コマンド設定処理Ｓ１０１４とが実行される。ＲＡＭ復帰設定処理Ｓ１０１１における保持情報の復帰によって、前回の停電状態への移行直前の制御状態に復帰することとなる。なお、ＲＡＭ復帰設定処理Ｓ１０１１及びＲＡＭ初期設定処理Ｓ１０１３において、停電情報も停電値と異なる所定の通電値に設定され、また、前回の停電状態への移行直前において不正検知エラー等の各種のエラー状態が発生していたとしてもそれらのエラー状態は全て解除される。また、復帰コマンドや初期化コマンドが主制御基板９２０から払出制御基板９３０及び副制御基板９４０の双方に出力されることとなり、復帰コマンドや初期化コマンドを受信した払出制御基板９３０及び副制御基板９４０の各々においても所定の初期化処理が実行されることとなる。
【０１４７】
また、スイッチ異常信号の出力状態が判定され（Ｓ１０１５）、オン状態である場合（Ｓ１０１５：Ｙ）には、接続異常コマンドを設定する接続異常コマンド設定処理Ｓ１０１６が実行される。なお、接続異常コマンドは副制御基板９４０に出力されることとなり、副制御基板９４０は、そのコマンドの受信に基づいて接続異常の発生状態であることを装飾図柄表示装置４７９に報知させることとなる。また、時短状態であるか非時短状態であるかが判定され（Ｓ１０１７）、時短状態である場合（Ｓ１０１７：Ｙ）には時短コマンドを設定する時短コマンド設定処理Ｓ１０１８が実行され、一方、非時短状態である場合（Ｓ１０１７：Ｎ）には時短コマンドを設定する非時短コマンド設定処理Ｓ１０１９が実行される。また、特別図柄に係る当選乱数カウンタ（ＲＡＭの一部の領域）の値を初期化する乱数初期設定処理Ｓ１０２０が実行される。
【０１４８】
主制御基板９２０によって実行されるタイマ割込み処理について説明する。図１６は、主制御基板によって実行されるタイマ割込み処理を示したフローチャートである。主制御基板９２０のタイマ割込み処理（図中では「主制御割込み処理」と略記）では、図１６に示されたように、まず、タイマ割込みを開始させるための割込み開始処理Ｓ１１０１が実行される。具体的には、割込み制御レジスタに所定の値が設定される。その後に、遊技機１００の実質的な制御に係る停電情報更新処理Ｓ１１０２〜外部情報設定処理Ｓ１１２１が順次に実行される。最後に、次回のタイマ割込みを許可するタイマ割込み許可処理が実行されて、今回のタイマ割込み処理が終了する。但し、各種の不正の検知に基づいて遊技進行が停止されている場合（Ｓ１００７：Ｙ）には、制御信号出力処理Ｓ１１０８〜外部情報設定処理Ｓ１１２１は実行されない。以下において、各種の主要な処理について個別に説明する。
【０１４９】
停電情報更新処理Ｓ１１０２において、電源監視装置９１０の電源監視部９１１から出力されている停電信号の出力状態に基づいて停電情報（ＲＡＭの一部の領域）の値が更新される。具体的には停電信号の出力状態が３度に亘り確認され、３度ともオン状態の停電信号が検出された場合に停電状態であると判定され、停電情報の値がＲＡＭ復帰設定処理Ｓ１０１１及びＲＡＭ初期設定処理Ｓ１０１３において設定された通電値から所定の停電値に変更される。一方、停電状態であると判定されなかった場合には、停電情報は通電値に維持される。また、停電情報が停電値に変更された場合には、ＲＡＭの所定の範囲の記憶領域に対するチェックサム値を算出し、そのチェックサム値の２の補数をＲＡＭ判定値として設定する。
【０１５０】
乱数更新処理Ｓ１１０３において、特別図柄に係る当選乱数カウンタ、大当り図柄乱数カウンタ、小当り図柄乱数カウンタ、停止パターン選択カウンタ及び普通図柄に係る当選乱数カウンタが更新される。具体的には、特別図柄に係る当選乱数カウンタの値が、規定最大値（例えば、「５７６」）と異なる値である場合には、現在値より「１」だけ大きい値に変更され、特別図柄に係る当選乱数カウンタの値が規定最大値である場合には、規定最小値（「０」）に変更される。但し、変更後の値が特別図柄に係る当選乱数カウンタに対する循環初期値と同一の値となる場合には、特別図柄に係る当選乱数カウンタの値が、特別図柄に係る当選乱数初期値カウンタと同一の値に設定され、また、循環初期値も当選乱数初期値カウンタと同一の値に設定される。大当り図柄乱数カウンタ、小当り図柄乱数カウンタ、停止パターン選択カウンタ及び普通図柄に係る当選乱数カウンタについても、規定最大値や規定最小値がそれらのカウンタに固有の値であること及びそれらのカウンタごとの循環初期値に基づく初期設定においてそれらのカウンタに固有の初期値カウンタが参照される以外は特別図柄に係る当選乱数カウンタの場合と同様にして更新される。なお、特別図柄に係る当選乱数カウンタと特別図柄に係る当選乱数初期値カウンタとは値の範囲が同一であり、大当り図柄乱数カウンタと大当り図柄乱数初期値カウンタとは値の範囲が同一であり、小当り図柄乱数カウンタと小当り図柄乱数初期値カウンタとは値の範囲が同一であり、普通図柄に係る当選乱数カウンタと普通図柄に係る当選乱数初期値カウンタとは値の範囲が同一である。
【０１５１】
乱数初期値更新処理Ｓ１１０４において、特別図柄に係る当選乱数初期値カウンタ、大当り図柄乱数初期値カウンタ、小当り図柄乱数初期値カウンタ及び普通図柄に係る当選乱数初期値カウンタが更新される。具体的には、特別図柄に係る当選乱数初期値カウンタの値が規定最大値（例えば、「５７６」）と異なる値である場合には、現在値より「１」だけ大きい値に変更され、特別図柄に係る当選乱数初期値カウンタの値が規定最大値である場合には、規定最小値（「０」）に変更される。特別図柄に係る図柄乱数初期値カウンタ及び普通図柄に係る当選乱数初期値カウンタについても、規定最大値や規定最小値がそれらのカウンタに固有の値であること以外は、特別図柄に係る当選乱数初期値カウンタの場合と同様にして更新される。
【０１５２】
変動用カウンタ更新処理Ｓ１１０５において、変動時間や変動パターン等を決定するための第１の変動種別カウンタ〜第４の変動種別カウンタの値が更新される。具体的には、第１の変動種別カウンタの値が規定最大値（例えば、「１８７」）と異なる値である場合には、現在値より「１」だけ大きい値に変更され、特別図柄に係る当選乱数初期値カウンタの値が規定最大値である場合には、規定最小値（「０」）に変更される。第２の変動種別カウンタ〜第４の変動種別カウンタについても、規定最大値や規定最小値がそれらのカウンタに固有の値であること以外は、第１の変動種別カウンタの場合と同様にして更新される。
【０１５３】
遊技停止判定処理Ｓ１１０６において、不正検知情報が不正検知値である場合には、遊技停止値に更新されると共に、遊技進行を停止させるための各種の情報が設定される。一方、不正検知情報が不正検知値でない場合や既に遊技停止値である場合には、実質的な処理は実行されずに遊技停止判定処理Ｓ１１０６は終了する。なお、不正検知情報は、不正検知処理Ｓ１１１１において各種の不正の発生が検知された場合に不正検知値に設定される。また、判定処理Ｓ１１０７においては、不正検知情報が遊技停止値であるか否かによって遊技停止中であるか否かが判定される。
【０１５４】
制御信号出力処理Ｓ１１０８において、出力バッファに格納された制御データに基づいて、第１の特別図柄に係る特別図柄表示装置４７１、第２の特別図柄に係る特別図柄表示装置４７２及び普通図柄に係る普通図柄表示装置４７３等の各種の報知装置を制御する信号が出力される。また、出力バッファに格納された制御データに基づいて、球送りソレノイド３３２、発射ソレノイド３３４、各種の進入規制ソレノイド４６２，４６３，４６４、誘導規制モータ４２３等の各種のアクチュエータを制御する信号が出力される。
【０１５５】
スイッチ読込処理Ｓ１１０９において、中始動入賞スイッチ４４１、右始動入賞スイッチ４４２、下大入賞スイッチ４４３、上大入賞スイッチ４４４、始動スイッチ４４６及び一般入賞スイッチ４４９Ａ，４４９Ｂの各々からの信号状態が読み込まれて、各種のスイッチによる遊技球の検出状態の変化が検知される。具体的には、スイッチ読込処理Ｓ１００９において、各種のスイッチからの信号状態が所定の時間間隔を隔てて２度に亘り入力バッファ（ＲＡＭの一部の領域）に読み込まれ、各種のスイッチからの信号ごとに、１回目に読み込まれた信号状態（以下において「第１の信号状態」と略記する）と、２回目に読み込まれた信号状態（以下において「第２の信号状態」と略記する）と、前回のタイマ割込みで検知された検出状態（以下において「前回の検出状態」と略記する）とに基づいて、各種のスイッチの検出状態の変化が検知される。更に具体的には、各スイッチに対して、前回の検出状態がオフ状態である場合において、第１の信号状態がオン状態であり、第２の信号状態がオン状態である場合にオン状態移行と判断されて、スイッチの種類に応じた検出フラグ（ＲＡＭの一部の領域）が設定される。
【０１５６】
タイマ更新処理Ｓ１１１０において、特別図柄関連制御タイマ、普通図柄関連制御タイマ、上大入賞制御タイマ、不正下大入賞監視遅延タイマ、不正上大入賞監視遅延タイマ、整合エラー解除遅延タイマ、振動センサ遊技停止監視タイマ及び電波センサ監視遅延タイマ等の各種のタイマ（ＲＡＭの所定の領域）が更新される。具体的には、特別図柄関連制御タイマの値が所定の解除値（例えば「０」）でない場合には、現在値から「１」だけ減じた値に変更され、現在の値が解除値である場合には解除値に維持される。
【０１５７】
不正検知処理Ｓ１１１１において、各種の入賞装置に強制的に遊技球を進入させたり、各種の入賞装置に強制的に作動させたりするような不正行為が検知される。
【０１５８】
入賞検知応答処理Ｓ１１１２において、中始動入賞スイッチ４４１による遊技球の検出に基づいて中始動入賞カウンタ（ＲＡＭの所定の領域）及び第１払出カウンタ（ＲＡＭの所定の領域）が更新され、右始動入賞スイッチ４４２による遊技球の検出に基づいて第１払出カウンタが更新され、上大入賞スイッチ４４４による遊技球の検出に基づいて上大入賞カウンタ（ＲＡＭの所定の領域）及び第１払出カウンタが更新され、下大入賞スイッチ４４３による遊技球の検出に基づいて第２払出カウンタ（ＲＡＭの所定の領域）が更新され、一般入賞スイッチ４４９Ａ，４４９Ｂのいずれかによる遊技球の検出に基づいて第２払出カウンタが更新される。
【０１５９】
発射制御処理Ｓ１１１３において、発射装置３３０による遊技球の発射を制御するための発射関連情報が更新される。具体的には、球送り機構３３１を駆動する球送りソレノイド３３２の作動フラグ及び発射機構３３３を駆動する発射ソレノイド３３４の作動フラグが更新される。
【０１６０】
入力信号監視処理Ｓ１１１４において、払出制御基板９３０を介した開閉検出スイッチ１０８からの信号の出力状態に基づいて、外枠１０１に対して中間ブロック１０３が開放されているか閉鎖されているか否かが検知される。また、払出制御基板９４０を介した開閉検出スイッチ１０９からの信号の出力状態に基づいて、中間ブロック１０３に対して前ブロック１０２が閉鎖されているか否かが検知される。
【０１６１】
払出状態監視処理Ｓ１１１５において、払出制御基板９３０から出力される払出制御状態を表す情報が監視され、必要に応じて、払出制御状態に応じた各種の払出状態コマンドが設定される。なお、払出状態コマンドを受信した副制御基板９４０は、払出状態コマンドの種類に応じた報知を装飾図柄表示装置４７９及び音響装置２８１，２８２等に実行させることとなる。
【０１６２】
払出信号出力処理Ｓ１１１６において、必要に応じて、第１払出カウンタ及び第２払出カウンタの値に基づいて各種の賞球コマンドを設定し、払出制御基板９３０に出力する。なお、第１払出カウンタ及び第２払出カウンタは、賞球コマンドの設定に応じて更新される。
【０１６３】
特別図柄関連処理Ｓ１１１７において、第１特別図柄に係る単位遊技の権利の保留制御並びに第１特別図柄及び第２特別図柄に係る単位遊技制御が実行される。具体的には、第１特別図柄に係る単位遊技の権利の保留制御において、特別図柄保留表示装置４７６の動作制御が実行される。また、第１特別図柄に係る単位遊技制御において、第１特別図柄に係る特別図柄表示装置４７１の動作制御が実行され、第１特別図柄抽選において大当りに当選した場合には、下大入賞装置４３３の動作制御が更に実行される。また、第２特別図柄に係る単位遊技制御において、第２特別図柄に係る特別図柄表示装置４７２の動作制御が実行され、第２特別図柄抽選において大当りに当選した場合には、下大入賞装置４３３の動作制御が更に実行され、一方、第２特別図柄抽選において小当りに当選した場合には、上大入賞装置４３４の動作制御が更に実行される。更に、大入賞装置４３４の作動中において所定の条件を満たした場合には、下大入賞装置４３３の動作制御も実行される。
【０１６４】
普通図柄関連処理Ｓ１１１８において、普通図柄に係る単位遊技の権利の保留制御並びに普通図柄に係る単位遊技制御が実行される。具体的には、普通図柄に係る単位遊技の権利の保留制御において、普通図柄保留表示装置４７８の動作制御が実行される。普通図柄に係る単位遊技制御において、普通図柄に係る普通図柄表示装置４７３の動作制御が実行され、普通図柄抽選において当りに当選した場合には更に右始動入賞装置４３２の動作制御が実行される。
【０１６５】
表示制御処理Ｓ１１１９において、特別図柄関連処理Ｓ１１１７における第１特別図柄に係る特別図柄表示装置４７１、第２特別図柄に係る特別図柄表示装置４７２及び特別図柄保留表示装置４７６等の動作を制御するために更新される各種の情報に基づいて、それらの装置を具体的に作動させるための出力データが合成される。なお、合成された出力データは、次回の割込み処理における制御信号出力処理Ｓ１１０８において各装置に出力されることとなる。
【０１６６】
モータ制御処理Ｓ１１２０において、中央構造体４２０の誘導規制機構４２１を駆動する誘導規制モータ４２３の動作制御が実行される。具体的には、誘導規制モータ４２３としてのステッピングモータを作動させるための励磁パターンデータが設定される。なお、設定された励磁パターンデータは、次回の割込み処理における制御信号出力処理Ｓ１１０８において誘導規制モータ４２３に出力されることとなる。
【０１６７】
外部情報設定処理Ｓ１１２１において、遊技機１００に電気的に接続されるデータ表示装置（図示せず）や管理装置（図示せず）等の外部装置に出力する出力データが設定される。なお、この出力データは、次回の割込み処理における制御信号出力処理Ｓ１１０８において各装置に出力されることとなる。
【０１６８】
ここで、特別図柄関連処理Ｓ１１１７について詳細に説明する。図１７は、特別図柄関連処理の一例を表すフローチャートである。また、図１８及び図１９は、それぞれ、特別図柄関連処理における上大入賞装置作動処理の一例の前半部及び後半部を表すフローチャートであり、図２０は、上大入賞装置作動処理における特定通路有効化待機フラグ更新処理を表すフローチャートであり、図２１は上大入賞装置作動処理における特定通路有効フラグ更新処理を表すフローチャートであり、図２２は、特別図柄関連処理における上大入賞装置停止処理の一例を表すフローチャートである。
【０１６９】
特別図柄関連処理Ｓ１１１７において、図１７に示されたように、中始動入賞スイッチ４４１の検出フラグが設定されているか否かが判定され（Ｓ１２０１）、その検出フラグが設定されている場合には、中始動入賞処理Ｓ１２０２が実行される。また、特別図柄関連制御タイマが設定されているか（その値が「０」以外であるか）又は解除されているか（その値が「０」であるか）が判定されて、特別図柄関連制御タイマが解除されている場合には、ゼロフラグが設定される。なお、特別図柄変動開始処理Ｓ１２０４〜上大入賞装置停止処理Ｓ１２１２における特別図柄関連制御タイマが設定されているか（作動中）又は解除されているか（停止中）は、ゼロフラグに基づいて判定される。その後、特別図柄関連状態識別値に応じて、特別図柄変動開始処理Ｓ１２０４〜上大入賞装置停止処理Ｓ１２１２のいずれか１つが選択的に実行される。ここで、特別図柄関連状態識別値は、第１特別図柄及び第２特別図柄に係る単位遊技制御の進行段階を識別する値であり、特別図柄関連制御タイマは、各進行段階における時間制御を行うためのタイマであり、全ての進行段階において共通で使用される。以下において、主要な処理について処理別に説明する。
【０１７０】
中始動入賞処理Ｓ１２０２において、第１特別図柄に係る単位遊技の権利の保留数（以下において「特別図柄保留数」とも略記する）が最大許容数以上でない場合には、特別図柄保留数が更新され、特別図柄に係る当選乱数カウンタ、大当り図柄カウンタ及び停止パターン選択カウンタから一組の乱数が取得され、また、副制御基板９４０に送信されることとなる特別図柄保留数の情報を含むコマンドが設定される。
【０１７１】
特別図柄変動開始処理Ｓ１２０４において、特別図柄保留数が「０」であるか否かが判定され、特別図柄保留数が「０」でない場合には、第１特別図柄に係る単位遊技制御を開始させるために各種の情報が初期設定されると共に、既に取得されている特別図柄に係る当選乱数カウンタ、大当り図柄カウンタ及び停止パターン選択カウンタに基づく各組の乱数がＲＡＭ（図示せず）の所定の領域に取得順序を保持して順送りされる。これによって、最先で取得された一組の乱数が今回の第１特別図柄抽選における当選判定対象に決定される。一方、特別図柄保留数が「０」である場合には、右始動入賞スイッチ４４２の検出フラグが設定されているか否かが判定され、その検出フラグが設定されている場合には、第２特別図柄に係る単位遊技制御を開始させるために各種の情報が初期設定されると共に、特別図柄に係る当選乱数カウンタ、大当り図柄カウンタ、小当り図柄カウンタ及び停止パターン選択カウンタから一組の乱数が取得される。これによって、取得された一組の乱数が今回の第２特別図柄抽選における当選判定対象に決定される。
【０１７２】
また、今回の当選判定対象である一組の乱数のうち当選乱数カウンタから取得された乱数に基づいて当選判定が行われる。具体的には、第１特別図柄に係る単位遊技制御においては、大当りであるかハズレであるかが決定され、大当りである場合には、大当りフラグ（ＲＡＭの所定の領域）が設定されると共に、今回の当選判定対象である一組の乱数のうち大当り図柄カウンタから取得された乱数に基づいて第１特別図柄に係る停止図柄が非時短大当りに対応する図柄（以下において「非時短大当り図柄」とも略記する）及び時短大当りに対応する図柄（以下において「時短大当り図柄」とも略記する）のいずれであるかが決定される。なお、ハズレである場合には、第１特別図柄に係る停止図柄が所定のハズレ図柄に決定される。また、第２特別図柄に係る単位遊技制御においては、大当りであるか小当りであるかハズレであるかが決定され、大当りである場合には、大当りフラグが設定されると共に、今回の当選判定対象である一組の乱数のうち大当り図柄カウンタから取得された乱数に基づいて第２特別図柄に係る停止図柄が非時短大当り図柄であるか時短大当り図柄であるかが決定され、一方、小当りである場合には、小当りフラグが設定されると共に、今回の抽選対象である一組の乱数のうち小当り図柄カウンタから取得された乱数に基づいて通常移行可能小当りに対応する図柄（以下において「通常移行可能小当り図柄」とも略記する）であるか時短移行可能小当りに対応する図柄（以下において「時短移行可能小当り図柄」とも略記する）であるかが決定される。なお、ハズレである場合には、第２特別図柄に係る停止図柄が所定のハズレ図柄に決定される。停止図柄の決定後に、特別図柄の種類及び停止図柄の種類に応じて、大当りの種類を表す停止パターン識別値、特別遊技状態における遊技態様を表す特別遊技態様識別値、並びに、特別遊技状態後の遊技状態の態様を表す時短フラグが設定される。
【０１７３】
また、今回の当選判定対象である一組の乱数のうち停止パターン選択カウンタから取得された乱数及び新たに第１変動種別カウンタ〜第４変動種別カウンタから取得される乱数に基づいて第１特別図柄や第２特別図柄に係る変動表示時間が決定され、その変動表示時間に対応する値に特別図柄関連制御タイマが設定され、装飾図柄に係る演出態様を決定する変動パターンが選択されて変動コマンドが設定される。その後、第１特別図柄や第２特別図柄の変動表示を開始させるために各種の情報が設定される。このとき、特別図柄関連状態識別値は「１」に変更される。これによって、次回以降のタイマ割込みにおいては、特別図柄変動表示処理Ｓ１２０５が実行されることとなる。
【０１７４】
また、特別図柄保留数が「０」であって右始動入賞スイッチ４４２の検出フラグが設定されていない場合には、装飾図柄表示装置４７９の表示を所定のデモンストレーション表示へ変更させるか否かを判定するための処理が実行される。
【０１７５】
特別図柄変動表示処理Ｓ１２０５において、第１特別図柄の変動表示制御や第２特別図柄の変動表示制御が実行される。具体的には、変動表示の開始から変動表示時間が経過しておらず特別図柄関連制御タイマが設定されている場合には、第１特別図柄や第２特別図柄の変動表示が継続される。なお、副制御装置９４０における変動コマンドの受信によって、特別図柄変動開始処理Ｓ１２０４において選択された変動パターンに応じた変動演出態様で装飾図柄の演出表示も行われる。一方、変動表示の開始から変動表示時間が経過したことによって特別図柄関連制御タイマが解除されている場合には、第１特別図柄や第２特別図柄の確定表示を開始させるために、第１特別図柄や第２特別図柄に係る停止図柄が表示図柄として設定され、特別図柄関連制御タイマが所定の確定表示時間に対応する値に設定され、特別図柄関連状態識別値が「２」に変更される。これによって、次回以降のタイマ割込みにおいては、特別図柄確定表示処理Ｓ１２０６が実行されることとなる。
【０１７６】
特別図柄確定表示処理Ｓ１２０６において、第１特別図柄の確定表示制御や第２特別図柄の確定表示制御が実行される。具体的には、確定表示の開始から確定表示時間が経過しておらず特別図柄関連制御タイマが設定されている場合には、第１特別図柄や第２特別図柄の確定表示が継続される。なお、副制御装置９４０における変動コマンドの受信によって、特別図柄変動開始処理Ｓ１２０４において選択された変動パターンに応じた確定演出態様で装飾図柄の演出表示も行われる。一方、確定表示の開始から確定表示時間が経過したことによって特別図柄関連制御タイマが解除されている場合には、抽選結果に応じて、大当りに当選している場合にあっては下大入賞装置４３３の作動制御に移行させるために、小当りに当選している場合にあっては上大入賞装置４３４の作動制御に移行させるために、大当りにも小当りにも当選していない場合にあっては第１特別図柄や第２特別図柄に係る次回の単位遊技制御に移行させるために各種の情報が更新される。このとき、大当りに当選している場合には、特別図柄関連状態識別値は「３」に変更され、特別図柄関連制御タイマは下大入賞装置４３４に対する所定の作動開始待機時間（オープニング時間）に対応する値に設定され、小当りに当選している場合には、特別図柄関連状態識別値は「７」に変更され、ハズレである場合には、特別図柄関連状態識別値は「０」に変更され、特別図柄関連制御タイマは解除される。特別図柄関連状態識別値の変更に応じて、次回以降のタイマ割込みにおいて、下大入賞装置作動開始処理Ｓ１２０７、上大入賞装置作動処理Ｓ１２１１又は特別図柄変動開始処理Ｓ１２０４が実行されることとなる。また、大当たりフラグが設定されていないときであって時短遊技状態における最終回の単位遊技制御である場合には、時短遊技状態を終了させて通常遊技状態に移行させるために各種の情報が更新される。なお、小当りに当選している場合には、上進入規制ソレノイド４５４の作動フラグが設定されるために、次回のタイマ割込みにおいて、上大入賞装置４３４が進入許容状態への移行を開始することとなる。
【０１７７】
下大入賞装置作動開始処理Ｓ１２０７において、下大入賞装置４３３の作動を開始させるための処理が実行される。具体的には、確定表示の終了から作動開始待機時間が経過しておらず特別図柄関連制御タイマが設定されている場合には、待機状態が継続される。一方、確定表示の終了から作動開始待機時間が経過したことによって特別図柄関連制御タイマが解除されている場合には、特別図柄関連制御タイマが下大入賞装置４３３の各回の最大進入許容時間に対応する値に設定され、特別図柄関連状態識別値が「４」に変更され、下大入賞装置４３３に進入する遊技球の個数を各回の進入許容状態ごとに計測する大入賞カウンタが解除され、下進入規制ソレノイド４６３の作動フラグが設定される。これによって、次回のタイマ割込みにおいて下大入賞装置４３３が初回の進入許容状態への移行を開始し、また、次回以降のタイマ割込みにおいて、特別図柄関連状態識別値が「４」に変更されたことによって下大入賞許容中処理Ｓ１２０８が実行されることとなる。また、下大入賞装置４３３を進入許容状態に移行させる残り回数を表す大入賞許容カウンタが現在の値から「１」だけ減じた値に変更され、下大入賞装置４３３を進入許容状態に移行させる回数を表す副大入賞許容カウンタが現在の値から「１」だけ加えた値に変更され、変更後の大入賞許容カウンタの値に応じた大入賞許容コマンドが設定される。
【０１７８】
下大入賞許容中処理Ｓ１２０８において、下大入賞装置４３３が進入許容状態である場合の処理が実行される。具体的には、下大入賞装置４３３の進入許容状態への移行の開始から最大進入許容時間が経過しておらず特別図柄関連制御タイマが設定されているときであって大入賞カウンタの値が規定数（例えば、１０球）未満である場合には、進入許容状態が継続される。一方、下大入賞装置４３３の進入許容状態への移行の開始から最大進入許容時間が経過したことによって特別図柄関連制御タイマが解除されている場合又は大入賞カウンタの値が規定数以上である場合には、特別図柄関連制御タイマが、最終回の進入許容状態にあっては下大入賞装置４３３の最終回の進入禁止時間に対応する値に、最終回以外の進入許容状態にあっては下大入賞装置４３３の進入禁止時間に対応する値に設定され、特別図柄関連状態識別値が「５」に変更され、下大入賞規制ソレノイド４６３の作動フラグが解除され、不正下大入賞監視遅延タイマが所定の下大入賞監視遅延時間に対応する値に設定される。
【０１７９】
下大入賞禁止中処理Ｓ１２０９において、下大入賞装置４３３が進入禁止状態である場合の処理が実行される。具体的には、下大入賞装置４３３の進入禁止状態への移行の開始から最終回の進入許容状態後にあっては最終回の進入禁止時間、最終回以外の進入許容状態後にあっては進入禁止時間が経過しておらず特別図柄関連制御タイマが設定されている場合には、進入禁止状態が継続される。一方、下大入賞装置４３３の進入禁止状態への移行の開始から進入禁止時間が経過したことによって特別図柄関連制御タイマが解除されている場合には、次回の進入許容状態に移行させるために、特別図柄関連制御タイマが下大入賞装置４３３の各回の最大進入許容時間に対応する値に設定され、特別図柄関連状態識別値が「４」に変更され、大入賞カウンタが解除され、不正下大入賞監視遅延タイマが解除され、下進入規制ソレノイド４６３の作動フラグが設定され、大入賞許容カウンタが現在の値から「１」だけ減じた値に変更され、副大入賞許容カウンタが現在の値から「１」だけ加えた値に変更され、変更後の副大入賞許容カウンタに応じた大入賞許容コマンドが設定される。また、下大入賞装置４３３の進入許容状態への移行の開始から最終回の最大進入許容時間が経過したことによって特別図柄関連制御タイマが解除されている場合には作動終了待機状態に移行させるために、図柄関連制御タイマが下大入賞装置４３３の作動終了待機時間（エンディング時間）に対応する値に設定され、特別遊技状態への移行契機の種類に応じて第１特別図柄及び第２特別図柄の通常大当りに基づく特別遊技状態並びに第２特別図柄の通常移行可能小当りを経由した特別遊技状態にあっては通常状態移行演出コマンド、第１特別図柄及び第２特別図柄の時短大当りに基づく特別遊技状態並びに第２特別図柄の時短移行可能小当りを経由した特別遊技状態にあっては時短状態移行演出コマンドが設定され、特別図柄関連状態識別値が「６」に変更される。これによって、最終回以外の進入禁止状態にあっては、次回のタイマ割込みにおいて下大入賞装置４３３が進入許容状態への移行を開始し、また、次回以降のタイマ割込みにおいて下大入賞許容中処理Ｓ１２０８が実行されることとなり、一方、最終回の進入禁止状態にあっては、次回以降のタイマ割込みにおいて下大入賞装置４３３の進入禁止状態が維持され、下大入賞装置作動終了処理Ｓ１２１０が実行されることとなる。
【０１８０】
下大入賞装置作動終了処理Ｓ１２１０において、下大入賞装置４３３の作動制御を終了させるための処理が実行される。具体的には、下大入賞装置４３３の作動終了待機状態の開始から作動終了待機時間が経過しておらず特別図柄関連制御タイマが設定されている場合には、作動終了待機状態が継続される。一方、下大入賞装置４３３の作動終了待機状態の開始から作動終了待機時間が経過しており特別図柄関連制御タイマが解除されているときであって、第１特別図柄及び第２特別図柄に係る時短大当りに基づく特別遊技状態並びに第２特別図柄に係る時短移行可能小当りを経由した特別遊技状態である場合には、時短状態フラグが設定され、時短状態カウンタが最大時短遊技回数に設定され、第１特別図柄及び第２特別図柄に係る通常大当りに基づく特別遊技状態並びに第２特別図柄の通常移行可能小当りを経由した特別遊技状態である場合には、時短状態フラグが解除状態に維持され、時短状態カウンタの解除状態が維持される。また、時短状態フラグが設定されない場合には、特別遊技状態後の所定の規定回数の単位遊技制御における第１特別図柄に係る変動パターンの選択を他の単位遊技制御と異ならせるための変動選択状態カウンタが所定の規定回数に対応する規定値（例えば、「２０」）に設定されると共に非時短コマンドが設定され、一方、時短状態フラグが設定される場合には、変動選択状態カウンタが解除状態に維持されると共に時短コマンドが設定される。最後に、下大入賞装置４３３を停止させるために各種の情報が更新される。
【０１８１】
上大入賞装置作動処理Ｓ１２１１において、上大入賞装置４３４の作動を制御するための処理が実行される。具体的には、図１８に示されたように、非特定通路スイッチ４４７の検出フラグが設定されているか否かが判定され（Ｓ１３０１）、その検出フラグが設定されている場合（Ｓ１３０１：Ｎ）には、排出カウンタが現在値に「１」だけ加えた値に変更される（Ｓ１３０２）。また、特定通路スイッチ４４８の検出フラグが設定されているか否かが判定され（Ｓ１３０３）、その検出フラグが設定されている場合（Ｓ１３０３：Ｎ）には、排出カウンタ（ＲＡＭの所定の領域）が現在値に「１」だけ加えた値に変更され（Ｓ１３０４）、更に、特定通路有効フラグ（ＲＡＭの所定の領域）が設定されている場合（Ｓ１３０５：Ｙ）には、特別遊技状態に移行させるために各種の情報が設定される（Ｓ１３０６）。また、上大入賞スイッチ４４４が設定されているか否かが判定され（Ｓ１３０７）、その検出フラグが設定されている場合（Ｓ１３０７：Ｎ）には、上大入賞カウンタ（ＲＡＭの所定の領域）が現在値に「１」だけ加えた値に変更され（Ｓ１３０８）、特定通路有効化待機フラグが必要に応じて設定される（Ｓ１３０９）と共に特定通路有効フラグが必要に応じて設定され（Ｓ１３１０）、更に、大入賞カウンタが所定の規定数（例えば、「１０」）未満である場合（Ｓ１３１１：Ｎ）には、大入賞カウンタも現在値に「１」だけ加えた値に変更される（Ｓ１３１２）。変更後の大入賞カウンタが規定数以上であり上進入規制ソレノイド４５４の作動フラグが設定されている場合（Ｓ１３１３：Ｎ，Ｓ１３１４：Ｎ）には、上進入規制ソレノイド４５４の作動フラグが解除され（Ｓ１３１５）、特別図柄関連制御タイマが上大入賞スイッチ４４４の検出許容延長時間に対応する値に再設定される（Ｓ１３１６）。これによって、上大入賞装置４３４に対する最大進入許容時間に関わらず上大入賞装置４３４が進入禁止状態となる。
【０１８２】
また、図１９に示されたように、上大入賞装置４３４の進入許容状態への移行の開始から最大進入許容時間が経過しておらず特別図柄関連制御タイマが設定されているとき（Ｓ１３１７：Ｎ）には、特別図柄関連制御タイマの値に応じて、上大入賞装置４３３の進入許容状態への移行の開始から所定の誘導開始待機時間が経過したことを表す誘導開始値である場合（Ｓ１３１９：Ｙ）にあっては振分切換ソレノイド４６４の作動フラグが設定され（Ｓ１３２０）、また、特定通路有効化フラグが設定されていれば特定通路有効フラグが設定される（Ｓ１３２２）と共に特定通路有効化フラグが解除され（Ｓ１３２３）、誘導開始待機時間の経過から更に最大誘導時間が経過したことを表す誘導終了値である場合（Ｓ１３２４：Ｙ）にあっては振分切換ソレノイド４６４の作動フラグが解除され（Ｓ１３２５）、上大入賞装置４３４の進入許容状態への移行の開始から最大進入許容時間が経過すると共に最大誘導時間の経過から更に特定通路スイッチ４４８の検出許容延長時間が経過したことを表す有効期間終了値である場合（Ｓ１３２６：Ｙ）にあっては上進入規制ソレノイド４６４の作動フラグが解除され（Ｓ１３２７）、特定通路有効フラグが解除され（Ｓ１３２８）、ソレノイド作動終了フラグ（ＲＡＭの所定の領域）が設定される（Ｓ１３２９）。なお、ソレノイド作動終了フラグの設定後においては、特別図柄関連制御タイマの中間値に応じた判定を行う必要がなくなるために各種の判定処理及び判定に伴う各種の処理は実行されない（Ｓ１３１８：Ｙ；Ｓ１３１９〜Ｓ１３２９のスキップ）。一方、上大入賞装置４３４の進入許容状態への移行の開始から大入賞スイッチ４４４の最大有効時間が経過しており特別図柄関連制御タイマが解除されている場合（Ｓ１３１７：Ｙ）には、上大入賞装置４３４を停止するために各種の情報が更新される（Ｓ１３３０）。これによって、特別図柄関連制御タイマは下大入賞装置４３３の作動終了待機時間に対応する値に設定され、特別図柄関連状態識別値は「８」に変更される。
【０１８３】
ここで、特定通路有効化待機フラグ更新処理Ｓ１３０９及び特定通路有効フラグ更新処理Ｓ１３１０について詳細に説明する。特定通路有効化待機フラグ設定処理Ｓ１３０９において、図２０に示されたように、特別図柄関連制御タイマが誘導開始値を越えて大きいか否かが判定され（Ｓ１０１）、特別図柄関連制御タイマが誘導開始値を超えて大きいとき（Ｓ１０１：Ｙ）、つまり、振分切換ソレノイド４６４の作動フラグを設定するタイミングに到達していないときであって、まだ特定通路有効化待機フラグが設定されていない場合（Ｓ１０２：Ｎ）には、特定通路有効化待機フラグが設定される。なお、特定通路有効化待機フラグが設定されると、図１９に示されたように、特別図柄関連制御タイマが誘導開始値に到達した場合に（Ｓ１３２１：Ｙ）、特定通路有効フラグが設定されることとなる（Ｓ１３２２）。また、特定通路有効フラグ更新処理Ｓ１３１０において、図２１に示されたように、特別図柄関連制御タイマが誘導開始値を越えて大きいか否かと特別図柄関連制御タイマが誘導終了値未満であるか否かとが判定されて（Ｓ２０１，Ｓ２０２）、特別図柄関連制御タイマが誘導開始値以下で誘導終了値以上であるとき（Ｓ２０１：Ｎ，Ｓ２０２：Ｎ）、つまり、振分切換ソレノイド４６４の作動フラグが設定されているときであって、まだ特定通路有効フラグが設定されていない場合には、特定通路有効フラグが設定される。
【０１８４】
図２２に示された上大入賞装置停止処理Ｓ１２１２において、上大入賞装置４３４を停止するための処理が実行される。具体的には、図２２に示されたように、上大入賞装置４３４の作動終了待機状態の開始から上大入賞装置４３４の最短作動終了待機時間が経過しておらず特別図柄関連制御タイマが設定されているとき（Ｓ１４０１：Ｙ）には、特定通路スイッチ４４８の検出フラグが設定されている場合（Ｓ１４０６：Ｙ）に排出カウンタを現在値から「１」だけ加えた値に変更する（Ｓ１４０７）と共に非特定通路スイッチ４４７の検出フラグが設定されている場合（Ｓ１４０８：Ｙ）に排出カウンタを現在値から「１」だけ加えた値に変更する（Ｓ１４０９）ことによって排出カウンタの値が上大入賞カウンタの値以上となる（Ｓ１４１０：Ｙ）まで、作動終了待機状態が継続される（Ｓ１４１１〜Ｓ１４１５のスキップ）。また、排出カウンタの値が上大入賞カウンタの値以上とならずに上大入賞装置４３４の作動終了待機状態の開始から上大入賞装置４３４の作動終了待機時間が経過しており特別図柄関連制御タイマが解除されている場合（Ｓ１４０１：Ｎ）には、整合異常解除遅延タイマが所定の整合異常解除遅延時間に対応する値に設定され（Ｓ１４０２）、更に、排出異常送信済フラグが設定されていない場合（Ｓ１４０３：Ｎ）には排出異常送信済フラグが設定されると共に排出異常コマンドが設定され（Ｓ１４０４，Ｓ１４０５）、その後は上記の場合と同様に、排出カウンタの値が上大入賞カウンタの値以上となるまで作動終了待機状態が継続される。
【０１８５】
上大入賞装置４３４の作動終了待機状態において、排出カウンタの値が上大入賞カウンタの値以上となったとき（Ｓ１４１０：Ｎ）には、整合コマンドが設定される（Ｓ１４１１）と共に、大当りフラグが設定されていない場合（Ｓ１４１２：Ｎ）にあっては次回の特別図柄に係る単位遊技に移行するために各種の情報が更新され（Ｓ１４１３）、大当りフラグが設定されている場合にあっては特別遊技状態に移行させるために各種の情報が更新される（Ｓ１４１４）。その後、上大入賞装置４３４の作動を終了させるために各種の情報が更新される（Ｓ１４１５）。これによって、大当りフラグが設定されていない場合には、特別図柄関連制御タイマは解除されると共に特別図柄関連状態識別値は「０」に変更されて、次回以降のタイマ割込みにおいて特別図柄変動開始処理Ｓ１２０４が実行されることとなり、大当たりフラグが設定されている場合には、特別図柄関連制御タイマは所定の下大入賞装置４３３の作動開始待機時間に対応する値に設定されると共に特別図柄関連状態識別値は「３」に変更されて、次回以降のタイマ割込みにおいて下大入賞装置作動開始処理Ｓ１２０７が実行されることとなる。
【０１８６】
（本発明の特徴部分の構成）
本発明の主たる特徴部分である上大入賞装置４３４及びその作動に基づく特別遊技状態への移行制御並びにそれらに関連する構成について纏めて詳細に説明する。遊技機１００は、既述のように、遊技盤４００（図７参照）と、主制御基板９２０（図１４参照）とを備えている。
【０１８７】
遊技盤４００は、既述のように、第１特別図柄に係る始動入賞装置４３１（〔第１の始動入賞装置〕の一種；図６及び図７参照）と、中始動入賞スイッチ４４１（〔第１の始動入賞媒体検出手段〕；図１４参照）と、進入規制機構４５２（〔進入規制変化装置〕の一種の一部；図６及び図７参照）及び右進入規制ソレノイド４６２（〔進入規制変化装置〕の一種の一部；図１４参照）を含む第２特別図柄に係る始動入賞装置４３２（〔第２の始動入賞装置〕の一種；図６及び図７参照）と、右始動入賞スイッチ４４２（〔第２の始動入賞媒体検出手段〕；図１４参照）と、進入規制機構４５３（〔進入規制変化装置〕の一種の一部；図６及び図７参照）及び下進入規制ソレノイド４６３（〔進入規制変化装置〕の一種の一部；図１４参照）を含む下大入賞装置４３３（〔第１の大入賞装置〕の一種；図６及び図７参照）と、下大入賞スイッチ４４３（図１４参照）と、進入規制機構４５４（〔進入規制変化装置〕の一種の一部；図６及び図７参照）、上進入規制ソレノイド４６４（〔進入規制変化装置〕の一種の一部：〔進入規制切換装置〕の一種；図１４参照）、振分機構４５５（〔振分変化装置〕の一種の一部；図１１参照）及び振分切換ソレノイド４６５（〔振分変化装置〕の一種の一部，〔振分切換装置〕の一種；図１４参照）を含む上大入賞装置４３４（〔利益供与装置〕の一種：〔第２の大入賞装置〕の一種；図６及び図７参照）と、上大入賞スイッチ４４４（〔進入媒体検出手段〕の一種；図１４参照）と、非特定通路スイッチ４４７（〔非特定領域進入媒体検出手段〕の一種；図１０及び図１４参照）と、特定通路スイッチ４４８（〔特定領域進入媒体検出手段〕の一種；図１０及び図１４参照）と、普通図柄に係る始動装置４３６（〔始動装置〕の一種；図６及び図７参照）と、始動スイッチ４４６（〔始動媒体検出手段〕の一種；図１４参照）と、を備えている。
【０１８８】
主制御基板９２０は、既述のように、中始動入賞スイッチ４４１による遊技媒体の検出に基づいて第１特別図柄を抽選により決定し（〔第１特別図柄決定手段〕の一種）、右始動入賞スイッチ４４２による遊技媒体の検出に基づいて第２特別図柄を抽選により決定し（〔第２特別図柄決定手段〕の一種）、始動スイッチ４４６による遊技媒体の検出に基づいて普通図柄を抽選により決定する（〔普通図柄決定手段〕の一種）。
【０１８９】
また、主制御基板９２０は、普通図柄抽選において当りに当選した場合に右進入規制ソレノイド４６２の動作を制御し（〔始動入賞動作制御手段〕の一種）、第２特別図柄抽選において第２特別図柄が通常移行可能小当り及び時短移行可能小当りのいずれか一方に当選した場合に、上大入賞装置４３４における上進入規制ソレノイド４６４及び振分切換ソレノイド４６５の動作を制御する（〔第２の大入賞動作制御手段〕の一種）。また、第１特別図柄抽選において通常大当りに当選した場合（〔第１作動契機〕の一種）、第１特別図柄抽選において時短大当りに当選した場合（〔第２作動契機〕の一種）、第２特別図柄抽選において通常大当りに当選した場合（〔第３作動契機〕の一種）、第２特別図柄抽選において時短大当りに当選した場合（〔第４作動契機〕の一種）、通常遊技状態及び時短遊技状態における第２特別図柄抽選において通常移行可能小当りに当選したときであって所定の有効期間に特定通路スイッチ４４８によって遊技球が検出された場合（〔第５作動契機〕の一種）及び時短遊技状態における第２特別図柄抽選において時短移行可能小当りに当選したときであって所定の有効期間に特定通路スイッチ４４８によって遊技球が検出された場合（〔第６作動契機〕の一種）において、遊技状態を特別遊技状態に移行させて（〔特別遊技状態移行手段〕の一種）、下大入賞装置４３３における下進入規制ソレノイド４６３の動作を制御する（〔第１の大入賞動作制御手段〕の一種）。
【０１９０】
また、主制御基板９２０は、第１特別図柄抽選における通常大当りの当選、第２特別図柄抽選における通常大当りの当選及び第２特別図柄抽選において通常移行可能小当りに当選した後の所定の有効期間における特定通路スイッチ４４８による遊技球の検出を契機とする特別遊技状態の終了に基づいて遊技状態を通常遊技状態に設定し、一方、第１特別図柄抽選における時短大当りの当選、第２特別図柄抽選における時短大当りの当選及び第２特別図柄抽選における時短移行可能小当りに当選した後の所定の有効期間における特定通路スイッチ４４８による遊技球の検出を契機とする特別遊技状態の終了に基づいて遊技状態を時短遊技状態（〔特定遊技状態〕の一種）に設定する（〔遊技状態更新手段〕の一種）。
【０１９１】
ここで、上大入賞装置４３４の構造について詳細に説明する。図２３及び図２４は、それぞれ、上大入賞装置の一例を表す前方視及び後方視の分解斜視図である。図２５は、上大入賞装置における振分機構の動作を説明するための斜視図であり、図２５（Ａ）及び図２５（Ｂ）にはそれぞれ振分機構の非誘導姿勢及び誘導姿勢が示されている。
【０１９２】
上大入賞装置４３４は、図２３及び図２４に示されたように、進入口１１Ａ及び透視窓１１Ｂが形成された前面枠部材１１と、透視窓１１Ｂを背面側から塞ぐように前面枠部材１１に取着される光透過性の背面側窓閉塞部材１２と、透視窓１１Ｂを正面側から塞ぐように前面枠部材１１に取着される光透過性の正面側窓閉塞部材１３と、正面側窓閉塞部材１３の前面側に設けられ、上大入賞装置４３４の内部に進入しなかった遊技球を遊技盤４００の中央側へ案内する案内部材１４と、案内部材１４の内部に配置され案内部材１４を補強する補強部材１５と、補強部材１５を隠すように案内部材１４の前面を被覆する被覆部材１６と、進入口１１Ａの前面側を被覆する進入口被覆部材１７と、進入規制機構４５４を駆動する上進入規制ソレノイド４６４と、進入規制機構４５４の一部を構成し、進入口１１Ａへの遊技球の進入を規制する進入規制部材２０と、進入規制機構４５４の一部を構成し、上進入規制ソレノイド４６４からの動力を進入規制部材２０に伝達する動力伝達部材３０と、進入口１１Ａの奥方に配置され、進入口１１Ａを通過した遊技球を奥方へ案内する主進入通路４０Ａ（〔第１通路〕の一種の一部）及び主進入通路４０Ａに合流する副進入通路４０Ｂを形成する進入通路部材４０と、進入通路部材４０の奥方に配置され、主進入通路４０Ａを通過した遊技球を下方へ案内する垂下通路５０Ａ（〔第１通路〕の一種の一部）を形成する垂下通路部材５０と、透視窓１１Ｂの奥方であって垂下通路部材５０の下方に配置され、垂下通路５０Ａを通過した遊技球を左下方へ案内する緩やかに傾斜した傾斜通路６０Ａ（〔第１通路〕の一種の一部）、傾斜通路６０Ａを通過した遊技球を下方へ誘導する誘導通路６０Ｂ（〔第１通路〕の一種の一部）、誘導通路６０Ｂを通過した遊技球を更に下方に案内する非特定通路６０Ｃ（〔非特定領域〕の一種）、誘導通路６０Ｂの途中から分岐して左下方に延びる分岐通路６０Ｄ（〔第２通路〕の一種）及び分岐通路６０Ｄを通過した遊技球を下方に案内する特定通路６０Ｅ（〔特定領域〕の一種）を形成する振分通路部材６０と、振分機構４５５を駆動する振分切換ソレノイド４６５と、振分機構４５５の一部を構成し、誘導通路６０Ｂに進入した遊技球を分岐通路６０Ｄに誘導して特定通路６０Ｅに案内するか誘導通路６０Ｂに進入した遊技球を分岐通路６０Ｄに誘導せずにそのまま通過させて特定通路６０Ｃに案内するかを切り換える振分部材７０（〔誘導部材〕の一種）と、振分機構４５５の一部を構成し、振分切換ソレノイド４６５からの動力を振分部材７０に伝達する動力伝達部材８０と、振分通路部材６０を収容するようにその背面側を被覆する背面被覆体９０と、背面被覆体９０の背面に取着され、上進入規制ソレノイド４６４及び振分切換ソレノイド４６５への電力の供給を中継する中継基板９８と、を備えている。上大入賞スイッチ４４４は、進入通路部材４０及び垂下通路部材５０に亘って設けられ、非特定通路６０Ｃ及び特定通路６０Ｅよりも遊技球の進行経路の上流側における垂下通路５０Ａを進行する遊技球を検出し、非特定通路スイッチ４４７は、振分通路部材６０に設けられ非特定通路６０Ｃを進行する遊技球を検出し、特定通路スイッチ４４８は、振分通路部材６０に設けられ特定通路６０Ｅを進行する遊技球を検出する。
【０１９３】
上大入賞装置４３４には、進入規制機構４５４や上進入規制ソレノイド４６４の動作を監視するための開閉センサ４９４と、振分機構４５５や振分切換ソレノイド４６５の動作を監視するための振分センサ４９５とが設けられている。また、上大入賞装置４３４における背面被覆体９０の背面には、上大入賞スイッチ４４４、非特定通路スイッチ４４７及び特定通路スイッチ４４８からの信号を中継する中継基板９９が設けられている。なお、中継基板９８には、振動を検出する振動センサ４９２も設けられている。
【０１９４】
上進入規制ソレノイド４６４は、進入通路部材４０及び垂下通路部材５０に挟持されており、固定筒（図示せず）と、固定筒に摺動自在に挿入された可動芯４６４Ｂと、固定筒の周縁に配置されたソレノイドコイル４６４Ｃと、固定筒に可動芯を挿入する方向（以下「挿入方向」とも称す）とは逆方向（以下「反挿入方向」とも称す）に付勢する付勢体（図示せず）とを含み、ソレノイドコイル４６４Ｃの励磁によって付勢体からの付勢力に抗して可動芯４６４Ｂが挿入方向に移動するプル型ソレノイドである。進入規制機構４５４を構成する進入規制部材２０は、進入禁止姿勢において進入口１１Ａを閉鎖したり、進入許容姿勢において遊技球を捕捉したりする基部２１と、基部２１の左右両端から左右方向に突出し、前面枠部材１１に軸支される一対の回動軸部２２Ａ，２２Ｂと、基部２１の左端から下方に突出する被押圧突出部２３とを含んでいる。また、進入規制機構４５４を構成する動力伝達部材３０は、基部３１と、基部３１の前後両端から前後方向に突出し、進入通路部材４０及び垂下通路部材５０に軸支される一対の回動軸部３２Ａ，３２Ｂと、基部２１の前方に突出し、先端が進入規制部材２０の被押圧突出部２３の直下に配置される押圧突出部３３と、上進入規制ソレノイド４６４の可動芯４６４Ｂと連結される連結部３４とを含んでいる。ソレノイドコイル４６４Ｃの非励磁状態において押圧突出部３３は被押圧突出部２３に当接しておらず、進入規制部材２０の自重による回転に伴って進入口１１Ａを閉鎖する進入禁止姿勢をとる。ソレノイドコイル４６４Ｃの励磁に応じて、可動芯４６４Ｂが挿入方向へ移動し、可動芯４６４Ｂの挿入方向への移動に伴い動力伝達部材３０が回転し、動力伝達部材３０の回転に伴い被押圧突出部２３が押圧突出部３３によって押圧されて進入規制部材２０が回転する。その結果、進入規制部材２０は、ソレノイドコイル４６４Ｃの非励磁状態において、進入口１１Ａを開放する進入許容姿勢をとる。
【０１９５】
振分切換ソレノイド４６５は、振分通路部材６０及び背面被覆体９０に挟持されており、固定筒（図示せず）と、固定筒に摺動自在に挿入された可動芯４６５Ｂと、固定筒の周縁に配置されたソレノイドコイル４６５Ｃと、固定筒に可動芯を挿入する方向（以下「挿入方向」とも称す）とは逆方向（以下「反挿入方向」とも称す）に付勢する付勢体（図示せず）とを含み、ソレノイドコイル４６５Ｃの励磁によって付勢体からの付勢力に抗して可動芯４６５Ｂが挿入方向に移動するプル型ソレノイドである。振分機構４５５を構成する振分部材７０は、非誘導姿勢において遊技球の流下に実質的な変化を与えず、誘導姿勢において誘導通路６０Ｂを流下する遊技球を分岐通路６０Ｄに誘導する誘導部７１と、誘導部７１から後方側に突出し、振分通路部材６０に形成された軸受け孔６２に軸支される回動軸部７２と、誘導部７１から後方側に突出し、振分通路部材６０に形成された開孔６３を貫通する被押圧突出部７３とを含んでいる。また、振分機構４５５を構成する動力伝達部材８０は、振分部材７０の被押圧突出部７３と係合する押圧部８３と、振分規制ソレノイド４６５の可動芯４６５Ｂと連結される連結部８４とを含んでいる。
【０１９６】
ソレノイドコイル４６５Ｃの非励磁状態において、図２５（Ａ）に示されたように、押圧部８３の反挿入方向側壁８３Ａは被押圧突出部７３に当接しており、振分部材７０の誘導部７１は、誘導通路６０Ｂの側壁の一部を構成するように誘導通路６０Ｂの外部に配置され（図１１（Ａ）参照）、誘導通路６０Ｂにおける遊技球の流下に実質的な変化を与えない非誘導姿勢をとる。ソレノイドコイル４６５Ｃの励磁に応じて、付勢体からの付勢力に抗して可動芯４６５Ｂが挿入方向へ移動し、可動芯４６５Ｂの挿入方向への移動に伴い動力伝達部材８０が挿入方向へ移動し、動力伝達部材８０の挿入方向への移動に伴い押圧部８３の反挿入方向側壁８３Ｂが被押圧突出部７３によって押圧されて振分部材７０が回転する。その結果、ソレノイドコイル４６５Ｃの励磁状態において、図２５（Ｂ）に示されたように、振分部材７０の誘導部７１は、誘導通路６０Ｂの中間部位において遊技球の非特定通路６０Ｃ側への流下を遮断するように配置され（図１１（Ｂ）参照）、誘導通路６０Ｂを流下する遊技球を誘導部７１と衝突させて分岐通路６０Ｄに誘導する誘導姿勢をとる。逆に、ソレノイドコイル４６５Ｃの消磁に応じて、付勢体からの付勢力に基づいて可動芯４６５Ｂが反挿入方向へ移動し、可動芯４６５Ｂの反挿入方向への移動に伴い動力伝達部材８０が反挿入方向へ移動し、動力伝達部材８０の反挿入方向への移動に伴い押圧部８３の反挿入方向側壁８３Ａが被押圧突出部７３によって押圧されて振分部材７０が回転する。その結果、振分部材７０の誘導部７１は、非誘導姿勢に戻る。
【０１９７】
非特定通路スイッチ４４７と特定通路スイッチ４４８とは、上大入賞スイッチ４４４からの遊技球の経路長が概ね同一であって、上大入賞スイッチ４４４により検出された遊技球をその検出から実質的に同一の時間後に検出できるように配置されている。
【０１９８】
ここで、上大入賞装置４３４における遊技球の進行動作について詳細に説明する。図２６及び図２７の各々は、上大入賞装置４３４における遊技球の進行動作を説明するための説明図であり、図２６（Ａ）及び図２７（Ａ）には上大入賞スイッチ４４４によって検出されるまでの遊技球の進行動作が示され、図２６（Ｂ）及び図２７（Ｂ）には上大入賞スイッチ４４４によって検出されてから非特定通路スイッチ４４７によって検出されるまでの遊技球の進行動作が示され、図２６（Ｃ）及び図２７（Ｃ）には上大入賞スイッチ４４４によって検出されてから特定通路スイッチ４４８によって検出されるまでの遊技球の進行動作が示されている。なお、図２７（Ａ）、図２７（Ｂ）及び図２７（Ｃ）にはそれぞれ図２６（Ａ）におけるＡ−Ａ’矢視断面、図２６（Ｂ）におけるＢ−Ｂ’矢視断面及び図２６（Ｃ）におけるＣ−Ｃ’矢視断面が示されている。
【０１９９】
進入規制機構４５４の進入規制部材２０によって捕捉された遊技球は、図２６（Ａ）及び図２７（Ａ）に示されたように、主進入通路４０Ａの前方に案内されて、主進入通路４０Ａに進入する。進入規制機構４５４が進入許容姿勢である場合において、進入規制部材２０の底面は主進入通路４０Ａの前方側へ向けて傾斜しており、また、主進入通路４０Ａの前方以外、つまり副進入通路４０Ｂ（図２３参照）の前方においては、進入規制部材２０の底面と進入口１１Ａを形成する前面枠部材１１の上壁との間隔が遊技球の直径以下となっている。但し、進入規制機構４５４の進入規制姿勢から進入禁止姿勢への移行時には、進入規制部材２０の回転に応じて遊技球が副進入通路４０Ｂへも進入できるようになり、進入規制機構４５４はその移行を迅速に完了できる。
【０２００】
進入規制部材２０による案内方向と主進入通路４０Ａへ進入方向とは略直交しており、進入規制機構４５４が進入許容姿勢である場合に進入規制部材２０によって捕捉された遊技球は、捕捉された際の速度や方向に概ね依存せずに、略一定の速度及び略一定の方向で主進入通路４０Ａに進入することとなる。また、主進入通路４０Ａの幅は遊技球が１つ通過できる幅に調整されており、遊技球は１球ずつ離隔された状態で進行することとなる。なお、始動入賞装置４３２の配置や大入賞装置４３５の上方に設けられる釘の配列から分かるように、遊技球が進入規制部材２０における主進入通路４０Ａの前方の部位において捕捉されることは実質的にない。
【０２０１】
主進入通路４０Ａの底面は奥側の下方へ向けて緩やかに傾斜しており、主進入通路４０Ａに進入した遊技球は、主進入通路４０Ａの奥方に設けられた垂下通路５０Ａの上方に案内されて、垂下通路５０Ａに進入する。主進入通路４０Ａによる案内方向と垂下通路５０Ａへの進入方向とは略直交しており、主進入通路４０Ａを進行する速度が低減されると共に遊技球ごとの速度差が低減されて垂下通路５０Ａに進入することとなる。なお、主進入通路４０Ａから垂下通路５０Ａへの進行に際して遊技球は屈曲した経路を辿ることとなるが、１球ずつ離隔された状態で案内されるために、先行球と後続球との衝突等の遊技球間の干渉は実質的に発生しない。
【０２０２】
垂下通路５０Ａに進入した遊技球は、垂下通路５０Ａの下方に設けられた傾斜通路６０Ａの上方に案内されて、傾斜通路６０Ａに進入する。なお、垂下通路５０Ａに進入した遊技球は、垂下通路５０Ａを進行する過程において上大入賞スイッチ４４４によって検出される。垂下通路５０Ａによる案内方向と傾斜通路６０Ａへの進入方向とは概ね直交しており、垂下通路５０Ａを進行する速度が低減されると共に遊技球ごとの速度差が更に低減されて垂下通路５０Ａに進入することとなる。なお、垂下通路５０Ａから傾斜通路６０Ａへの進行に際して遊技球は概ね屈曲した経路を辿ることとなるが、１球ずつ離隔された状態で案内されるために遊技球の干渉は実質的に発生しない。
【０２０３】
傾斜通路６０Ａの底面は左側の下方へ向けて緩やかに傾斜しており、傾斜通路６０Ａに進入した遊技球は、図２６（Ｂ）及び図２７（Ｂ）並びに図２６（Ｃ）及び図２７（Ｃ）に示されたように、傾斜通路６０Ａの左方に設けられた誘導通路６０Ｂに案内されて、誘導通路６０Ｂに進入する。垂下通路５０Ａによる案内方向と傾斜通路６０Ａへの進入方向とは概ね直交しているが、傾斜通路６０Ａから誘導通路６０Ｂへの進行に際して遊技球は湾曲した経路を滑らかに辿って垂下通路５０Ａに進入することとなる。なお、傾斜通路６０Ａから誘導通路６０Ｂへの進行に際しても遊技球の干渉は実質的に発生しない。
【０２０４】
誘導通路６０Ｂに進入した遊技球は、振分機構４５５が非誘導姿勢である場合には、図２６（Ｂ）及び図２７（Ｂ）に示されたように、振分部材７０の誘導部７１は、誘導通路６０Ｂの側壁の一部を構成するように誘導通路６０Ｂの外部に配置されているために、誘導通路６０Ｂを直進して非特定通路６０Ｃに案内される。一方、誘導通路６０Ｂに進入した遊技球は、振分機構４５５が誘導姿勢である場合には、図２６（Ｃ）及び図２７（Ｃ）に示されたように、誘導通路６０Ｂの直進過程において振分切換部材７０の誘導部７１に衝突して分岐通路６０Ｄに誘導され、分岐通路６０Ｄを介して特定通路６０Ｅに案内される。なお、振分機構４５５が非誘導姿勢である場合において、分岐通路６０Ｄへの遊技球の進入経路は遮断されていないが誘導通路６０Ｂの構成上、分岐通路６０Ｄへ遊技球が進入することはない。また、振分機構４５５の誘導姿勢から非誘導姿勢への移行において、誘導部７１と誘導通路６０Ｂや分岐通路６０Ｄの側壁とによって遊技球が挟まれて保持されるような現象は発生せず、振分機構４５５の非誘導姿勢において、上大入賞装置４３４の内部に遊技球が滞留することがない。
【０２０５】
振分機構４５５が非誘導姿勢から誘導姿勢への移行を完了した後であって非誘導姿勢への移行を開始する前において、遊技球が誘導部７１に衝突した場合には、その衝突によって遊技球の進路が分岐通路６０Ｄ側に変更される。また、誘導部７１を作動させる振分切換ソレノイド４６５がプル型ソレノイドであるために、遊技球と誘導部７１との衝突において、誘導部７１の微少な非誘導姿勢に戻る移動によって遊技球の反跳が抑制され、滑らかに分岐通路６０Ｄに誘導される。
【０２０６】
振分機構４５５が誘導姿勢から非誘導姿勢への移行を開始した後であって非誘導姿勢への移行を完了する前において、遊技球が誘導部７１に衝突した場合には、誘導部７１を作動させる振分切換ソレノイド４６５がプル型ソレノイドであるために、誘導部７１を非誘導姿勢に戻す移動を促進する力に対してそれを抑制する力が働かないために、遊技球は、誘導部７１を押し退けて直進することとなる。
【０２０７】
振分機構４５５が非誘導姿勢から誘導姿勢への移行を開始した後であって誘導姿勢への移行を完了する前において遊技球が誘導部７１に衝突したときには、誘導姿勢への移行を完了している場合よりも大きな遊技球の反跳を伴って分岐通路６０Ｄに誘導されることもあり、分岐通路６０Ｄや特定通路６０Ｅにおける遊技球の振動等によって分岐通路６０Ｄ及び特定通路６０Ｅを通過する時間が誘導姿勢への移行を完了している場合よりも長くなることもある。しかし、誘導部７１を作動させる振分切換ソレノイド４６５がプル型ソレノイドであるために、遊技球と誘導部７１との衝突における誘導部７１の微少な非誘導姿勢に戻る移動によって遊技球の反跳が抑制されるために、モータ等によって駆動する場合よりもそのような現象の発生を抑制できる。
【０２０８】
ここで、第２特別抽選において小当りに当選した場合の上大入賞装置４３４の動作及び特定通路スイッチ４４８に対する有効期間の設定方式について説明する。図２８〜図３２の各々は上大入賞装置の動作例を表すタイミングチャートであり、図２８には上大入賞装置に遊技球が進入しない場合が示され、図２９、図３０及び図３１にはそれぞれ振分機構の誘導姿勢への移行前、誘導姿勢中及び非誘導姿勢への移行後に遊技球が上大入賞スイッチで検出されて非特定通路に案内される場合が示され、図３２には振分機構の誘導姿勢への移行前に遊技球が上大入賞スイッチで検出されて特定通路に案内される場合が示されている。なお、以下においては、図１８〜図２２も参照する。
【０２０９】
まず、図２８に示されたように、上大入賞装置４３４に遊技球が進入しない場合について説明する。時刻ｔ１における第２特別図柄の確定表示の終了に応じて、特別図柄関連状態識別値が「２」から「７」に変更され、特別図柄関連制御タイマが上大入賞スイッチ４４４に対する有効時間Ｔａに対応する値に設定され、上進入規制ソレノイド４６４の作動フラグが設定される（特別図柄変動開始処理Ｓ１２０６：図１７参照）。これによって、次回のタイマ割込み処理において上進入規制ソレノイド４６４が非励磁状態から励磁状態に移行し（制御信号出力処理Ｓ１１０８：図１６参照）、その結果、進入規制機構４５４が進入禁止姿勢から進入許容姿勢への移行を開始する。なお、特別図柄関連制御タイマは、タイマ割込みごとに、「１」だけ減少する（タイマ更新処理Ｓ１１１０：図１６参照）。
【０２１０】
時刻ｔ１から誘導開始待機時間ＴＢが経過して特別図柄関連制御タイマが時間Ｔｂに対応する誘導開始値となる時刻ｔ２において（Ｓ１３１９：Ｙ）、振分切換ソレノイド４６５の作動フラグが設定される（Ｓ１３２０）。これによって、次回のタイマ割込み処理において振分切換ソレノイド４６５が非励磁状態から励磁状態に移行し（制御信号出力処理Ｓ１１０８）、その結果、振分機構４５４が非誘導姿勢から誘導姿勢への移行を開始する。
【０２１１】
時刻ｔ２から更に最大誘導時間ＴＣが経過して特別図柄関連制御タイマが時間Ｔｃに対応する誘導終了値となる時刻ｔ３において（Ｓ１３２４：Ｙ）、振分切換ソレノイド４６５の作動フラグが解除される（Ｓ１３２５）。これによって、次回のタイマ割込み処理において振分切換ソレノイド４６５が励磁状態から非励磁状態に移行し（制御信号出力処理Ｓ１１０８）、その結果、振分機構４５５が誘導姿勢から非誘導姿勢への移行を開始する。
【０２１２】
時刻ｔ１から最大進入許容時間ＴＤが経過して特別図柄関連制御タイマが上大入賞スイッチ４４４の検出許容延長時間Ｔｄに対応するソレノイド作動終了値となる時刻ｔ４において（Ｓ１３２６：Ｙ）、上進入規制ソレノイド４６４の作動フラグが解除され（Ｓ１３２７）、ソレノイド作動終了フラグが設定される（Ｓ１３２９）。これによって、次回のタイマ割込み処理において上進入規制ソレノイド４６４が励磁状態から非励磁状態に移行し（制御信号出力処理Ｓ１１０８）、その結果、進入規制機構４５４が進入許容姿勢から進入禁止姿勢への移行を開始する。また、ソレノイド作動終了フラグが設定されることによって、次回以降のタイマ割込み処理において、上進入規制ソレノイド４６４及び振分切換ソレノイド４６５を作動させたり停止させたりするための各種の処理（Ｓ１３１９〜Ｓ１３２９）は実行されなくなる。
【０２１３】
時刻ｔ４の後は、更に検出許容延長時間Ｔｄが経過して特別図柄関連制御タイマが「０」となって解除される時刻ｔ５において（Ｓ１３１７：Ｙ）、特別図柄関連状態識別値が「７」から「８」に変更され（Ｓ１３３０）、特別図柄関連制御タイマが最大排出待機時間に対応する値に設定される。更に時刻ｔ５の後は、排出カウンタの値が上大入賞カウンタの値以上となるまで待つこととなるが（Ｓ１４０６〜Ｓ１４１０）、図２８に示された場合には、時刻ｔ５の直後のタイマ割込み処理においてこの条件を満たすために（Ｓ１４１０：Ｙ）、その時刻ｔ６において特別図柄関連状態識別値が「８」から「０」に変更されると共に特別図柄関連制御タイマが解除される（Ｓ１４１３）。これによって、次回の特別図柄に係る単位遊技制御に移行することとなる。
【０２１４】
なお、図２８に示されたように、上大入賞装置４３４に遊技球が進入しない場合には、上大入賞スイッチ４４４の検出フラグが設定されることはなく（Ｓ１３０７：Ｙ）、特定通路有効化待機フラグが設定されることもなく（Ｓ１３０９のスキップ）、また、特定通路有効フラグが設定されることもなく（Ｓ１３１０及び１３２２のスキップ）、非特定通路スイッチ４４７の検出フラグも設定されることはなく（Ｓ１３０１：Ｙ）、同様に、特定通路スイッチ４４８の検出フラグも設定されることはない（Ｓ１３０３：Ｙ）。したがって、大入賞カウンタや排出カウンタが変化することはなく（Ｓ１３０２、Ｓ１３０４及びＳ１３１２のスキップ）、大当りフラグが設定されることもない（Ｓ１３０６のスキップ）。また、上大入賞装置４３４への遊技球の進入個数の上限制限に基づき強制的に進入許容状態から進入禁止状態へ移行させられることもない（Ｓ１３１５〜Ｓ１３１６のスキップ）。
【０２１５】
次に、図２９に示されたように、上大入賞装置４３４に進入した遊技球が、振分機構４５５の誘導姿勢への移行前に上大入賞スイッチ４４４で検出されて、その後、非特定通路６０Ｃに案内される場合について、図２８に示された場合と異なる部分のみを詳細に説明する。
【０２１６】
時刻ｔ２よりも前の時刻ｔｘ１において上大入賞スイッチ４４４の検出フラグが設定されると（Ｓ１３０７：Ｎ）、上大入賞カウンタが「１」だけ増加し（Ｓ１３０８）、特定通路有効化待機フラグが設定される（Ｓ１３０９中のＳ１０３）。
【０２１７】
時刻ｔ２において（Ｓ１３１８：Ｙ）、振分切換ソレノイド４６５の作動フラグが設定される（Ｓ１３１９）と共に、特定通路有効化待機フラグが設定されているために（Ｓ１３２１：Ｙ）、特定通路有効フラグが設定されて（Ｓ１３２０）、特定通路有効化待機フラグが解除される。この特定通路有効フラグの設定によって特定通路スイッチ４４８に対する有効期間ＴＦが開始される。なお、時刻ｔａ１において非特定通路スイッチ４４７の検出フラグが設定されると（Ｓ１３０１：Ｎ）、排出カウンタが「１」だけ増加する（Ｓ１３０２）。
【０２１８】
時刻ｔ４において、上進入規制ソレノイド４６４の作動フラグが解除される（Ｓ１３２７）と共に、時刻ｔ３から特定通路スイッチ４４８の検出許容延長時間ＴＥが経過することとなり特定通路有効フラグが解除される（Ｓ１３２８）。これによって、特定通路スイッチ４４８に対する有効期間ＴＦが終了する。なお、図２９に示されたように、特定通路スイッチ４４８に対する有効期間ＴＦに非特定通路スイッチ４４８の検出フラグが設定されたとしても大当りフラグは設定されない（Ｓ１３０６のスキップ）。
【０２１９】
次に、図３０に示されたように、上大入賞装置４３４に進入した遊技球が、振分機構４５５の誘導姿勢中に上大入賞スイッチ４４４で検出されて、その後、非特定通路６０Ｃに案内される場合について、図２９に示された場合と異なる部分のみを詳細に説明する。
【０２２０】
時刻ｔ２において（Ｓ１３１８：Ｙ）、振分切換ソレノイド４６５の作動フラグが設定される（Ｓ１３１９）が、特定通路有効化待機フラグが設定されていない（Ｓ１３２１：Ｎ）ために、特定通路有効フラグは設定されない（Ｓ１３２０）。したがって、図２９に示された場合（図３０中の破線）と異なり、特定通路スイッチ４４８に対する有効期間ＴＦ’は開始されない。
【０２２１】
時刻ｔ２以後であって時刻ｔ３以前である時刻ｔｘ１’において上大入賞スイッチ４４４の検出フラグが設定されると（Ｓ１３０７：Ｎ）、上大入賞カウンタが「１」だけ増加するが（Ｓ１３０８）、時刻ｔ２以後であるために（Ｓ１０１：Ｎ）、特定通路有効化待機フラグは設定されない（Ｓ１０３のスキップ）。また、時刻ｔｘ１’において、時刻ｔ２以後であって時刻ｔ３以前であり（Ｓ２０１：Ｎ，Ｓ２０２：Ｎ）、また、特定通路有効化待機フラグが解除されているために（Ｓ２０３：Ｎ）、特定通路有効フラグが設定される（Ｓ２０４）。この特定通路有効フラグの設定によって、特定通路スイッチ４４８に対する有効期間ＴＦ’が開始される。
【０２２２】
時刻ｔ４において、上進入規制ソレノイド４６４の作動フラグが解除される（Ｓ１３２７）と共に、時刻ｔ３から特定通路スイッチ４４８の検出許容延長時間ＴＥが経過することとなり特定通路有効フラグが解除される（Ｓ１３２８）。これによって、特定通路スイッチ４４８に対する有効期間ＴＦ’が終了する。なお、時刻ｔａ１’において非特定通路スイッチ４４７の検出フラグが設定されると（Ｓ１３０１：Ｎ）、排出カウンタが「１」だけ増加する（Ｓ１３０２）。
【０２２３】
次に、図３１に示されたように、上大入賞装置４３４に進入した遊技球が、振分機構４５５の非誘導姿勢への移行後に上大入賞スイッチ４４４で検出されて、その後、非特定通路６０Ｃに案内される場合について、図２９に示された場合と異なる部分のみを詳細に説明する。
【０２２４】
時刻ｔ２において（Ｓ１３１８：Ｙ）、振分切換ソレノイド４６５の作動フラグが設定される（Ｓ１３１９）が、特定通路有効化待機フラグが設定されていない（Ｓ１３２１：Ｎ）ために、特定通路有効フラグは設定されない（Ｓ１３２０）。したがって、図２９に示された場合（図３１中の破線）と異なり、特定通路スイッチ４４８に対する有効期間は開始されない。
【０２２５】
時刻ｔ３より後の時刻ｔｙ１において上大入賞スイッチ４４４の検出フラグが設定されると（Ｓ１３０７：Ｎ）、上大入賞カウンタが「１」だけ増加するが（Ｓ１３０８）、時刻ｔ２以後であるために（Ｓ１０１：Ｎ）、特定通路有効化待機フラグは設定されない（Ｓ１０３のスキップ）。また、時刻ｔｙ１において、時刻ｔ３より後であるために（Ｓ２０２：Ｙ）、特定通路有効フラグは設定されない（Ｓ２０４のスキップ）。したがって、特定通路スイッチ４４８に対する有効期間が開始されることはない。なお、時刻ｔｂ１において非特定通路スイッチ４４７の検出フラグが設定されると（Ｓ１３０１：Ｎ）、排出カウンタが「１」だけ増加する（Ｓ１３０２）。
【０２２６】
最後に、図３２に示されたように、上大入賞装置４３４に進入した遊技球が、振分機構４５５の誘導姿勢への移行前に上大入賞スイッチ４４４で検出されて、その後、特定通路６０Ｅに誘導される場合について、図２９に示された場合と異なる部分のみを詳細に説明する。
【０２２７】
時刻ｔ２よりも前の時刻ｔｘにおいて上大入賞スイッチ４４４の検出フラグが設定されると（Ｓ１３０７：Ｎ）、上大入賞カウンタが「１」だけ増加し（Ｓ１３０８）、特定通路有効化待機フラグが設定される（Ｓ１３０９中のＳ１０３）。
【０２２８】
時刻ｔ２において（Ｓ１３１８：Ｙ）、振分切換ソレノイド４６５の作動フラグが設定される（Ｓ１３１９）と共に、特定通路有効化待機フラグが設定されているために（Ｓ１３２１：Ｙ）、特定通路有効フラグが設定されて（Ｓ１３２０）、特定通路有効化待機フラグが解除される。この特定通路有効フラグの設定によって特定通路スイッチ４４８に対する有効期間ＴＦ”が開始される。
【０２２９】
時刻ｔ２以後であり時刻ｔ４以前の時刻ｔａにおいて特定通路スイッチ４４８の検出フラグが設定されると（Ｓ１３０３：Ｎ）、排出カウンタが「１」だけ増加する（Ｓ１３０４）。更に、特定通路有効フラグが設定されているために（Ｓ１３０５：Ｙ）、特定通路有効フラグが解除されると共に大当りフラグが設定される（Ｓ１３０６）。これによって、特定通路スイッチ４４８に対する有効期間ＴＦ”が、図２９に示された場合（図３２中の破線）と異なり、最大有効時間ＴＥの経過を待たずに終了する。
【０２３０】
時刻ｔ４の後は、更に検出許容延長時間Ｔｄが経過して特別図柄関連制御タイマが「０」となって解除される時刻ｔ５において（Ｓ１３１７：Ｙ）、特別図柄関連状態識別値が「７」から「８」に変更され（Ｓ１３３０）、特別図柄関連制御タイマが最大排出待機時間に対応する値に設定される。更に時刻ｔ５の後は、時刻ｔ５の直後のタイマ割込み処理が実行される時刻ｔ６において特別図柄関連状態識別値が「８」から「３」に変更されると共に特別図柄関連制御タイマが作動開始待機時間（オープニング時間）に対応する値に設定され、また、上大入賞カウンタ、排出カウンタ及び大当りフラグは解除される（Ｓ１４１４）。これによって、遊技状態は特別遊技状態に移行することとなる。
【０２３１】
遊技機１００であれば、進入規制機構４５４が進入許容姿勢へ移行したとしても遊技球が上大入賞装置４３４に進入しなかった場合や、振分機構４５５の誘導姿勢への移行開始後に上大入賞スイッチ４４４が遊技球を検出するときのような振分機構４５５が誘導姿勢である間において遊技球が振分機構４５５に到達しない場合に、特定通路スイッチ４４８に対する有効期間が設定されないこととなり、有効期間の制限を強化できる。これによって、振分装置４５５を備える大入賞装置４３４に対する不正行為に基づく強制的な遊技状態の移行が抑制される。
【０２３２】
また、遊技機１００であれば、垂下通路５０Ａにおける上大入賞スイッチ４４４による遊技球の検出部位から誘導通路６０Ｂと分岐通路６０Ｄとの分岐部位まで遊技媒体を滑らかに案内する構成であるために、その検出部位から分岐部位までの遊技球の進行に要する時間分布の広がりを抑制できる。したがって、遊技球がその検出部位から分岐部位までの進行に要する最小移動時間を長く設定できると共に遊技球がその検出部位から分岐部位までの進行に要する最大移動時間を短く設定できる。
【０２３３】
また、遊技機１００であれば、上大入賞スイッチ４４４が遊技球を検出しなかった場合や、振分機構４５５の誘導姿勢への移行開始後に上大入賞スイッチ４４４が遊技球を検出する場合のように、遊技球が誘導姿勢である振分機構４５５に確実に到達しない場合にのみ有効期間が設定されないために、特定領域に遊技媒体が進入したにも関らず特別遊技状態に移行しないような現象の発生を確実に防止できる。
【０２３４】
また、遊技機１００であれば、振分機構４５５を構成する振分部材７０の誘導部７１は、非誘導姿勢及び誘導姿勢の双方において分岐通路６０Ｄを開放しており、誘導姿勢から非誘導姿勢への復帰過程において遊技球と誘導部７１とが衝突したとしても遊技球を分岐通路６０Ｄ側に向かわせる力は誘導姿勢である場合に比べて大きくはならない。これによって、遊技球が分岐通路６０Ｄに進入したとしても振分機構が誘導姿勢である場合と同様に滑らかに分岐通路６０Ｄを通過して特定通路６０Ｅに進行することとなり、誘導部７１の非誘導姿勢への復帰開始から遊技球が特定通路スイッチ４４８によって検出されるまでに必要な時間幅が、分岐通路６０Ｄを閉鎖するような従来の構成に比べて小さくなる。したがって、誘導部７１の非誘導姿勢への移行開始後において確保しなければならない時間を短く設定できることとなり、全体として特定通路スイッチ４４８に対する有効時間を短く設定でき、上大入賞装置４３４に対する不正行為に基づく強制的な特別遊技状態への移行が抑制される。
【０２３５】
また、遊技機１００であれば、誘導部７１が非誘導姿勢である場合において、分岐経路６０Ｄが開放されているとしても、分岐通路６０Ｄを非特定通路６０Ｃに遊技球を案内する誘導通路６０Ｃの途中から分岐させているために、強制的に遊技球を特定通路６０Ｅに誘導するような不正行為も行い難くなっている。更に、上大入賞装置４３４に進入した遊技球は、停止することなく非特定通路６０Ｃ又は特定通路６０Ｅに進行するために、途中で遊技球の進行を停止させる構成を含んでおりその停止によって特定通路に誘導されるか否かの判断ができるような場合に比べて遊技の趣向性が向上する。
【０２３６】
また、遊技機１００であれば、振分切換ソレノイド４６５がプル型ソレノイドであり、誘導部７１が振分切換ソレノイド４６５の消磁状態及び励磁状態においてそれぞれ非誘導姿勢及び誘導姿勢をとるために、誘導姿勢から非誘導姿勢へ復帰する途中の誘導部７１に遊技球が衝突した場合には、遊技球が分岐通路６０Ｄに進入することが抑制される。これは、遊技球と誘導部７１との衝突により非誘導姿勢へ強制的に復帰させる力が振分機構４５５に与えられたとしても、振分切換ソレノイド４６５は既に消磁状態であるために、その力に対する振分切換ソレノイド４６５からの抗力が実質的に発生せず、その結果、遊技球は誘導部７１を押し退けて誘導通路６０Ｂを進行するからである。なお、遊技機１００と異なり振分切換ソレノイド４６５に代えてモータ等を用いる構成においては、非誘導姿勢へ強制的に復帰させる力が振分機構に与えられたとするとその力に対してモータからの強い抗力が発生し、その抗力に基づく反跳によって遊技球が分岐通路６０Ｄに進入する場合がある。更に、振分機構４５５の誘導姿勢への移行完了後や振分機構４５５の非誘導姿勢から誘導姿勢への移行過程において遊技球と誘導部７１とが衝突したとしても、振分機構４５５及び振分切換ソレノイド４６５によって遊技球の反跳が緩和されて分岐通路６０Ｄに送り出されるために、遊技球は滑らかに分岐通路６０Ｄを通過して特定通路６０Ｅに進行する。これは、遊技機１００と異なり振分切換ソレノイド４６５に代えてモータ等を用いる構成においては、振分機構に非誘導姿勢への移行を促進する力が与えられた場合にはその力に対してモータからの強い抗力が発生するが、プル型ソレノイドである場合には振分機構の強制的な変化量に応じて抗力が増加するからである。したがって、特定通路スイッチ４４８に対する有効時間を短く設定できる。
【０２３７】
また、遊技機１００であれば、主進入通路４０Ａと垂下通路５０Ａとの境界部位においてその直前における遊技球ごとの速度及び速度の差が低減されるために、誘導部７１と衝突する際の速度が低速化されると共に均一化される。これによって、遊技球が分岐通路６０Ｄに誘導される際の進行経路が一定化され、遊技球と誘導部７１とが衝突してから特定通路スイッチ４４８によって検出されるまでの時間幅が小さくなる。したがって、特定通路スイッチ４４８に対する有効時間を短く設定できる。また、垂下通路５０Ａと傾斜通路６０Ａとの境界部位及び傾斜通路６０Ａと誘導通路６０Ｂとの各境界部位において遊技球ごとの速度及び速度の差が低減されるために、誘導部７１と衝突する際の速度が更に適度に低速化されると共に均一化される。また、主進入通路４０Ａと垂下通路５０Ａとの境界部位における屈曲方向と、垂下通路５０Ａと傾斜通路６０Ａとの境界部位における曲折方向と、傾斜通路６０Ａと誘導通路６０Ｂとの境界部位における曲折方向が互いに異なるために、遊技球ごとの速度の複数の方向成分の差が低減され、誘導部７１と衝突する際の速度が更に均一化される。また、進入規制部材２０の基部２１による遊技球の誘導方向と主進入通路４０Ａへの進入方向とが実質的に直交するために、その境界部位においても遊技球ごとの速度及び速度の差が低減され、誘導部７１と衝突する際の速度が低速化されると共に均一化される。更に、複数の遊技球が進入規制部材２０の基部２１に略同時に捕捉されたとしてもそれらの遊技球は主進入通路４０Ａに１つずつ非特定通路６０Ｃ又は特定通路６０Ｅまで進入し離隔した状態で進行することとなり、先行の遊技球や後続の遊技球との干渉が抑制される。これによって、誘導部７１と衝突する際の速度が極めて均一化される。
【０２３８】
また、遊技機１００であれば、誘導部７１や特定通路スイッチ４４８が進入口１１Ａから曲折部位を隔てて離隔されているために、振分機構が不正に作動させられたり、特定通路スイッチ４４８を不正に感知させたりする不正行為が行い難くなる。また、進入通路４０Ａと垂下通路５０Ａとの境界部位における屈曲方向と、垂下通路５０Ａと傾斜通路６０Ａとの境界部位における曲折方向と、傾斜通路６０Ａと誘導通路６０Ｂとの境界部位における曲折方向とが互いに異なるために、特定通路スイッチ４４８を不正に感知させたりする不正行為が更に行い難くなる。
【０２３９】
また、遊技機１００であれば、上記の各種の構造上の特徴に基づき、上大入賞スイッチ４４４による遊技球の検出部位から誘導通路６０Ｂと分岐通路６０Ｄとの分岐部位までの進行に要する遊技球ごとの時間の差が低減され、また、遊技球が誘導通路６０Ｂから離脱して分岐通路６０Ｄに誘導される際の進行経路が一定化されて滑らかに進行することとなり、分岐部位から特定通路スイッチ４４８による遊技球の検出部位までの進行に要する遊技球ごとの時間の差が低減されると共に、上大入賞スイッチ４４４による遊技球の検出部位から特定通路スイッチ４４８による遊技球の検出部位までの進行に要する遊技球ごとの時間の差も低減される。したがって、上大入賞スイッチ４４４による遊技球の検出部位から分岐部位までの遊技媒体の進行に対する下限移動時間、分岐部位から特定通路スイッチ４４８による遊技球の検出部位までの遊技球の進行に対する下限移動時間及び上大入賞スイッチ４４４による遊技球の検出部位から特定通路スイッチ４４８による遊技球の検出部位までの遊技球の進行に対する下限移動時間を長く設定することもでき、逆に、上大入賞スイッチ４４４による遊技球の検出部位から分岐部位までの遊技媒体の進行に対する上限移動時間、分岐部位から特定通路スイッチ４４８による遊技球の検出部位までの遊技球の進行に対する上限移動時間及び上大入賞スイッチ４４４による遊技球の検出部位から特定通路スイッチ４４８による遊技球の検出部位までの遊技球の進行に対する上限移動時間を短く設定することもできる。
【０２４０】
［実施形態２］
実施形態２の遊技機について説明する。なお、以下においては、上記の実施形態１の遊技機１００との相違部分についてのみ詳細に説明し、実質的に同一部分については実施形態１と同一の参照符号を付すこととしてその詳細な説明を省略する。
【０２４１】
本実施形態２の遊技機は、上記の実施形態１で説明したように上大入賞スイッチ４４４による遊技球の検出部位から誘導通路６０Ｂと分岐通路６０Ｄとの分岐部位までの遊技球の進行に対する下限移動時間を長く設定できること考慮して特定通路スイッチ４４８に対する有効期間の制限を強化すること以外は、上記の実施形態１と実質的に同一の構成である。図３３及び図３４は、それぞれ上大入賞装置作動処理の一例の前半部及び後半部を表すフローチャートである。また、図３５は、特定通路スイッチに対する有効期間の設定方式の一例を表すタイミングチャートである。
【０２４２】
本実施形態２において、上記の実施形態１の上大入賞装置作動処理Ｓ１２１１（図１８〜図２１）に代えて、図３３及び図３４に示された上大入賞装置作動処理Ｓ２２１１が実行される。上大入賞装置作動処理Ｓ２２１１において、図３３に示されたように、図１８における特定通路有効化待機フラグ更新処理Ｓ１３０９及び特定通路有効フラグ更新処理Ｓ１３１０は実行されない。また、図３４に示されたように、特別図柄関連制御タイマが誘導開始値である場合（Ｓ１３１９：Ｙ）において、図１９に示されたような特定通路有効化待機フラグが設定されているか否かの判定（Ｓ１３２１）ではなく、大入賞カウンタが「０」を超えて大きいか否か（大入賞カウンタが設定されているか否か）の判定が行われ（Ｓ２３３１）、大入賞カウンタが「０」を超えて大きい場合（Ｓ２３３１：Ｎ）には特定通路有効フラグが設定され（Ｓ１３３２）、大入賞カウンタが「０」である場合（Ｓ２３３１：Ｎ）には特定通路有効フラグが設定されない（Ｓ１３３２のスキップ）。
【０２４３】
上大入賞装置作動処理Ｓ２２１１に基づけば、図３５に示されたような時刻ｔ２において上大入賞カウンタが「１」以上である場合、つまり、期間ＴＸ２内において上大入賞スイッチ４４４の検出フラグが設定された場合には、時刻ｔ２から特定通路スイッチ４４８に対する有効期間が開始されるが、時刻ｔ２において上大入賞カウンタが「０」である場合、つまり、期間ＴＹ２内において上大入賞スイッチ４４４の検出フラグが設定された場合には、特定通路スイッチ４４８に対する有効期間は開始されない。したがって、図３５に示されたように、時刻ｔ２から時刻ｔ３までの間の期間ＴＹ２’内の時刻ｔｙ２’において上大入賞スイッチ４４４の検出フラグが設定され、時刻ｔａ２’において非特定通路スイッチ４４７の検出フラグが設定された場合には、上記の実施形態１では破線で示されたように有効期間が設定されるが、本実施形態２では実線で示されたように有効期間は設定されない。なお、本実施形態２においては、最大誘導時間ＴＣが上大入賞スイッチ４４４による遊技球の検出部位から分岐部位までの遊技球の進行に対する下限移動時間ＴＧよりも短く設定されている。
【０２４４】
最大誘導時間ＴＣが下限移動時間ＴＧよりも短い場合には、少なくとも時刻ｔ２以降、厳密には時刻ｔ３よりも下限移動時間だけ前の時刻以降に、上大入賞スイッチ４４４の検出フラグが設定され、上大入賞カウンタが「１」以上となったとしても、その際に上大入賞スイッチ４４４によって検出された遊技球は、実質的に時刻ｔ３よりも後に誘導通路６０Ｂと分岐通路６０Ｄとの分岐部位に到達することとなる。つまり、振分機構４５５との衝突によって遊技球が誘導通路６０Ｂを離脱して分岐通路６０Ｄに進入することは実質的になく、これに伴って特定通路スイッチ４４８によって遊技球が検出されることも実質的にない。
【０２４５】
本実施形態２の遊技機であれば、特定通路スイッチ４４８に対する有効期間の制限を上記の実施形態１の場合に比べて更に強化できると共に、特定通路６０Ｅに遊技球が進入したにも関らず特別遊技状態に移行しないような現象の発生を上記の実施形態１の場合と同様に抑制できる。また、特定通路スイッチ４４８に対する有効期間の開始判定処理を簡素化できる。
【０２４６】
上記の実施形態２においては、大入賞カウンタが「０」を超えて大きいか否かの判定に応じて特定通路有効フラグを更新したが、本発明においては、大入賞カウンタと排出カウンタとの差分が「０」を超えて大きいか否かの判定に応じて特定通路有効フラグを更新する構成とすることもできる。
【０２４７】
［実施形態３］
実施形態３の遊技機について説明する。なお、以下においては、上記の実施形態１の遊技機１００との相違部分についてのみ詳細に説明し、実質的に同一部分については実施形態１と同一の参照符号を付すこととしてその詳細な説明を省略する。
【０２４８】
本実施形態３の遊技機は、上記の実施形態１で説明したように上大入賞スイッチ４４４による遊技球の検出部位から誘導通路６０Ｂと分岐通路６０Ｄとの分岐部位までの遊技媒体の進行に対する下限移動時間を長く設定できること考慮して特定通路スイッチ４４８に対する有効期間の制限を強化すること以外は、上記の実施形態１と実質的に同一の構成である。図３６は、上大入賞装置作動処理の一例の前半部を表すフローチャートである。図３７は、特定通路有効化待機フラグ更新処理の一例を表すフローチャートである。また、図３８は、特定通路スイッチに対する有効期間の設定方式の一例を表すタイミングチャートである。
【０２４９】
本実施形態３において、上記の実施形態１の上大入賞装置作動処理Ｓ１２１１の前半部（図１８）に代えて、図３６に示された上大入賞装置作動処理Ｓ３２１１の前半部が実行される。なお、上大入賞装置作動処理Ｓ３２１１の後半部は、図１９に示された上大入賞装置作動処理Ｓ１２１１の後半部と同一である。また、上大入賞装置作動処理Ｓ３２１１の前半部において、特定通路有効化待機フラグ更新処理Ｓ１３０９に代えて、図３７に示された特定通路有効化待機フラグ更新処理Ｓ３３０９が実行される。具体的には、特定通路有効化待機フラグ更新処理Ｓ３３０９において、図２０に示された場合のような特別図柄関連制御タイマが誘導開始値を超えて大きいか否かの判定（Ｓ１０１）に代えて、図３７に示されたように、特別図柄関連制御タイマが誘導可能下限値Ｔｇ（図３８参照）を超えて大きいか否かの判定（Ｓ３０１）が行われる。
【０２５０】
特定通路有効化待機フラグ更新処理Ｓ３３０９に基づけば、図３８に示されたような期間ＴＸ３内において上大入賞スイッチ４４４の検出フラグが設定された場合には、時刻ｔ２から特定通路スイッチ４４８に対する有効期間が設定されるが、期間ＴＹ３内において上大入賞スイッチ４４４の検出フラグが設定された場合には、特定通路スイッチ４４８に対する有効期間は設定されない。したがって、図３８に示されたように、期間ＴＹ３’内の時刻ｔｙ３’において上大入賞スイッチ４４４の検出フラグが設定され、時刻ｔａ３’において非特定通路スイッチ４４７の検出フラグが設定された場合には、上記の実施形態１では破線で示されたように有効期間が設定されるが、本実施形態３では実線で示されたように有効期間は設定されない。なお、これは上記の実施形態２と比較した場合も同様である。また、期間ＴＹ３”内に上大入賞スイッチ４４４の検出フラグが設定された場合にも、上記の実施形態１では有効期間が設定されるが、本実施形態３では有効期間は設定されない。なお、本実施形態３においては、最大誘導時間ＴＣが上大入賞スイッチ４４４による遊技球の検出部位から分岐部位までの遊技球の進行に対する下限移動時間ＴＧよりも短く設定されている。
【０２５１】
最大誘導時間ＴＣが下限移動時間ＴＧよりも短い場合には、時刻ｔ３よりも下限移動時間だけ前の時刻以降に、上大入賞スイッチ４４４の検出フラグが設定されたとしても、その際に上大入賞スイッチ４４４によって検出された遊技球は、実質的に時刻ｔ３よりも後に誘導通路６０Ｂと分岐通路６０Ｄとの分岐部位に到達することとなる。つまり、振分機構４５５との衝突によって遊技球が誘導通路６０Ｂを離脱して分岐通路６０Ｄに進入することは実質的になく、これに伴って特定通路スイッチ４４８によって遊技球が検出されることも実質的にない。
【０２５２】
本実施形態３の遊技機であれば、特定通路スイッチ４４８に対する有効期間の制限を上記の実施形態１の場合に比べて更に強化できると共に、特定通路６０Ｅに遊技球が進入したにも関らず特別遊技状態に移行しないような現象の発生を上記の実施形態１の場合と同様に抑制できる。また、特定通路スイッチ４４８に対する有効期間の開始判定処理が上記の実施形態１の場合に比べて簡素化できる。なお、特定通路スイッチ４４８に対する有効期間の制限を上記の実施形態２の場合に比べても更に強化できる。
【０２５３】
［実施形態４］
実施形態４の遊技機について説明する。なお、以下においては、上記の実施形態１の遊技機１００との相違部分についてのみ詳細に説明し、実質的に同一部分については実施形態１と同一の参照符号を付すこととしてその詳細な説明を省略する。
【０２５４】
本実施形態４の遊技機は、上記の実施形態１で説明したように上大入賞スイッチ４４４による遊技球の検出部位から誘導通路６０Ｂと分岐通路６０Ｄとの分岐部位までの遊技媒体の進行に対する下限移動時間を長く設定できること考慮して特定通路スイッチ４４８に対する有効期間の制限を強化すること以外は、上記の実施形態１と実質的に同一の構成である。図３９は、上大入賞装置作動処理の一例の前半部を表すフローチャートであり、図４０は、特定通路有効フラグ更新処理の一例を表すフローチャートである。また、図４１は、特定通路スイッチに対する有効期間の設定方式の一例を表すタイミングチャートである。
【０２５５】
上記の実施形態１の上大入賞装置作動処理Ｓ１２１１（図１８及び図２０）に代えて、図３９及び図４０に示された上大入賞装置作動処理Ｓ４２１１が実行される。上大入賞装置作動処理Ｓ４２１１において、図３９に示されたように、図１８における特定通路有効フラグ更新処理Ｓ１３１０に代えて、特定通路有効フラグ更新処理Ｓ４３１０が実行される。具体的には、特定通路有効フラグ更新処理Ｓ４３１０において、図２１に示された場合のような特別図柄関連制御タイマが誘導終了値未満であるか否かの判定（Ｓ２０２）に代えて、図４０に示されたように、特別図柄関連制御タイマが誘導可能下限値Ｔｇ’（図４１参照）未満であるか否かの判定（Ｓ４０２）が行われる。
【０２５６】
特定通路有効フラグ更新処理Ｓ４３１０に基づけば、図４１に示されたような期間ＴＸ４内において上大入賞スイッチ４４４の検出フラグが設定された場合には、時刻ｔ２から特定通路スイッチ４４８に対する有効期間が設定されるが、期間ＴＹ４内において上大入賞スイッチ４４４の検出フラグが設定された場合には、特定通路スイッチ４４８に対する有効期間は設定されない。したがって、図４１に示されたように、期間ＴＹ４’内の時刻ｔｙ４’において上大入賞スイッチ４４４の検出フラグが設定され、時刻ｔａ４’において非特定通路スイッチ４４７の検出フラグが設定された場合には、上記の実施形態１では破線で示されたように有効期間が設定されるが、本実施形態４では実線で示されたように有効期間は設定されない。なお、期間ＴＸ４’内に上大入賞スイッチ４４４の検出フラグが設定された場合は、上記の実施形態１の場合と同様に上大入賞スイッチ４４４の検出フラグの設定に応じて有効期間が設定される。なお、本実施形態４においては、最大誘導時間ＴＣが上大入賞スイッチ４４４による遊技球の検出部位から分岐部位までの遊技媒体の進行に対する下限移動時間ＴＧよりも長く設定されている。
【０２５７】
最大誘導時間ＴＣが下限移動時間ＴＧよりも長い場合には、時刻ｔ３よりも下限移動時間だけ前の時刻以降に、上大入賞スイッチ４４４の検出フラグが設定されたとしても、その際に上大入賞スイッチ４４４によって検出された遊技球は、実質的に時刻ｔ３よりも後に誘導通路６０Ｂと分岐通路６０Ｄとの分岐部位に到達することとなる。つまり、振分機構４５５との衝突によって遊技球が誘導通路６０Ｂを離脱して分岐通路６０Ｄに進入することは実質的になく、特定通路スイッチ４４８によって遊技球が検出されることも実質的にない。
【０２５８】
本実施形態４の遊技機であれば、特定通路スイッチ４４８に対する有効期間の制限を上記の実施形態１の場合に比べて更に強化できると共に、特定通路６０Ｅに遊技球が進入したにも関らず特別遊技状態に移行しないような現象の発生を上記の実施形態１の場合と同様に抑制できる。
【０２５９】
［実施形態５］
実施形態５の遊技機について説明する。なお、以下においては、上記の実施形態１の遊技機１００との相違部分についてのみ詳細に説明し、実質的に同一部分については実施形態１と同一の参照符号を付すこととしてその詳細な説明を省略する。
【０２６０】
本実施形態５の遊技機は、上記の実施形態１で説明したように上大入賞スイッチ４４４による遊技球の検出部位から誘導通路６０Ｂと分岐通路６０Ｄと分岐部位までの遊技球の進行に対する下限移動時間を長く設定できること及びその分岐部位から特定通路スイッチ４４８までの遊技球の進行に対する下限移動時間を長く設定できること考慮して特定通路スイッチ４４８に対する有効期間の制限を強化すること以外は、上記の実施形態１と実質的に同一の構成である。図４２及び図４３は、それぞれ上大入賞装置作動処理の一例の前半部及び後半部を表すフローチャートである。また、図４４は、特定通路スイッチに対する有効期間の設定方式の一例を表すタイミングチャートである。
【０２６１】
本実施形態５において、上記の実施形態１の上大入賞装置作動処理Ｓ１２１１（図１８，図１９及び図２１）に代えて、図４２及び図４３に示された上大入賞装置作動処理Ｓ５２１１が実行される。上大入賞装置作動処理Ｓ５２１１において、図４２に示されたように、図１８における特定通路有効フラグ更新処理Ｓ１３１０は実行されない。また、図４３に示されたように、特別図柄関連制御タイマが誘導開始値である場合（Ｓ１３１９：Ｙ）において、図１９に示されたような特定通路有効フラグの設定に関連する処理（Ｓ１３２１〜Ｓ１３２２）は実行されず、特別図柄関連制御タイマが有効期間開始値Ｔｈ（図４４参照）であるか否かの判定が新たに実行される（Ｓ５３３２）と共に、特別図柄関連制御タイマが有効期間開始値Ｔｈである場合に特定通路有効フラグの設定に関連する処理（Ｓ５３３３〜Ｓ５３３４）が実行される。
【０２６２】
上大入賞装置作動処理Ｓ５２１１に基づけば、図４４に示されたような期間ＴＸ５内において上大入賞スイッチ４４４の検出フラグが設定された場合には、時刻ｔ２よりも分岐部位から特定通路スイッチ４４８までの遊技球の進行に対する下限移動時間ＴＨだけ後の時刻ｔ２’から特定通路スイッチ４４８に対する有効期間が設定され、期間ＴＹ５内において上大入賞スイッチ４４４の検出フラグが設定された場合には、特定通路スイッチ４４８に対する有効期間は設定されない。なお、これは上記の実施形態２と比較した場合も同様である。また、期間ＴＹ５’内に上大入賞スイッチ４４４の検出フラグが設定された場合にも、上記の実施形態１では有効期間が設定されるが、本実施形態５では有効期間は設定されない。なお、本実施形態５においては、最大誘導時間ＴＣが上大入賞スイッチ４４４による遊技球の検出部位から分岐部位までの遊技媒体の進行に対する下限移動時間ＴＧよりも短く設定されている。
【０２６３】
最大誘導時間ＴＣが下限移動時間ＴＧよりも短い場合には、少なくとも時刻ｔ２以降、厳密には時刻ｔ３よりも下限移動時間ＴＧだけ前の時刻以降に、上大入賞スイッチ４４４の検出フラグが設定されたとしても、その際に上大入賞スイッチ４４４によって検出された遊技球は、実質的に時刻ｔ３よりも後に誘導通路６０Ｂと分岐通路６０Ｄとの分岐部位に到達することとなる。つまり、振分機構４５５との衝突によって遊技球が誘導通路６０Ｂを離脱して分岐通路６０Ｄに進入することは実質的になく、特定通路スイッチ４４８によって遊技球が検出されることも実質的にない。更に、振分切換ソレノイド４６５の作動フラグが設定されたとしても分岐部位から特定通路スイッチ４４８までの遊技球の進行に対する下限移動時間ＴＨが経過するまでは実質的に特定通路スイッチ４４８によって遊技球が検出されることも実質的にない。
【０２６４】
本実施形態５の遊技機であれば、特定通路スイッチ４４８に対する有効期間の制限を上記の実施形態１の場合に比べて良好に強化できると共に、特定通路６０Ｅに遊技球が進入したにも関らず特別遊技状態に移行しないような現象の発生を上記の実施形態１の場合と同様に抑制できる。また、特定通路スイッチ４４８に対する有効期間の開始判定処理を上記の実施形態１の場合に比べて簡素化できる。また、上記の実施形態２の場合に比べて特定通路スイッチ４４８に対する有効時間を短縮できるために、特定通路スイッチ４４８に対する有効期間の制限を上記の実施形態２の場合に比べても更に強化できる。
【０２６５】
上記の実施形態５は、実質的には、上記の実施形態２に対して分岐部位から特定通路スイッチ４４８までの遊技球の進行に対する下限移動時間ＴＨを長く設定できることを更に考慮して特定通路スイッチ４４８に対する有効期間の制限を強化する場合に相当するが、本発明においては、上記の実施形態３及び実施形態４に対して下限移動時間ＴＨを長く設定できることを更に考慮して特定通路スイッチ４４８に対する有効時間を短縮する構成とすることもできる。
【０２６６】
［実施形態６］
実施形態６の遊技機について説明する。なお、以下においては、上記の実施形態１の遊技機１００との相違部分についてのみ詳細に説明し、実質的に同一部分については実施形態１と同一の参照符号を付すこととしてその詳細な説明を省略する。
【０２６７】
本実施形態６の遊技機は、上記の実施形態１で説明したように上大入賞スイッチ４４４による遊技球の検出部位から分岐部位までの遊技媒体の進行に対する上限移動時間を短く設定できること考慮して特定通路スイッチ４４８に対する有効期間の制限を強化すること以外は、上記の実施形態１と実質的に同一の構成である。図４５は、上大入賞装置作動処理の一例の前半部を表すフローチャートである。図４６は、特定通路有効化待機フラグ更新処理の一例を表すフローチャートである。また、図４７は、特定通路スイッチに対する有効期間の設定方式の一例を表すタイミングチャートである。
【０２６８】
本実施形態６において、上記の実施形態１の上大入賞装置作動処理Ｓ１２１１の前半部（図１８）に代えて、図４５に示された上大入賞装置作動処理Ｓ６２１１の前半部が実行される。なお、上大入賞装置作動処理Ｓ６２１１の後半部は、図１９に示された上大入賞装置作動処理Ｓ１２１１の後半部と同一である。上大入賞装置作動処理Ｓ６２１１において、図２０に示された特定通路有効化待機フラグ更新処理Ｓ１３０９に代えて、図４６に示された特定通路有効化待機フラグ更新処理Ｓ６３０９が実行される。具体的には、特定通路有効化待機フラグ更新処理Ｓ６３０９において、特別図柄関連制御タイマが誘導開始値Ｔｃを超えて大きい場合（Ｓ１０１：Ｎ）において、図４６に示されたように、特別図柄関連制御タイマが誘導可能上限値Ｔｉ（図４７参照）を超えて大きいか否かの判定（Ｓ６０１）が更に行われる。
【０２６９】
特定通路有効化待機フラグ更新処理Ｓ３３０９に基づけば、図４７に示されたような期間ＴＸ６内において上大入賞スイッチ４４４の検出フラグが設定された場合には、時刻ｔ２から特定通路スイッチ４４８に対する有効期間が設定されるが、期間ＴＹ３内において上大入賞スイッチ４４４の検出フラグが設定された場合や期間ＴＺ内において上大入賞スイッチ４４４の検出フラグが設定された場合には、特定通路スイッチ４４８に対する有効期間は設定されない。したがって、図４７に示されたように、期間ＴＺ内の時刻ｔｚにおいて上大入賞スイッチ４４４の検出フラグが設定され、時刻ｔａ６において非特定通路スイッチ４４７の検出フラグが設定された場合には、上記の実施形態１では破線で示されたように有効期間が設定されるが、本実施形態６では実線で示されたように有効期間は設定されない。なお、これは上記の実施形態２と比較した場合も同様である。また、期間ＴＹ６’内に上大入賞スイッチ４４４の検出フラグが設定された場合にも、上記の実施形態１では有効期間が設定されるが、本実施形態６では有効期間は設定されない。なお、本実施形態６において、最大誘導時間ＴＣが上大入賞スイッチ４４４による遊技球の検出部位から分岐部位までの遊技媒体の進行に対する下限移動時間ＴＧよりも短く設定されている。
【０２７０】
最大誘導時間ＴＣが下限移動時間ＴＧよりも短い場合には、少なくとも時刻ｔ２以降、厳密には時刻ｔ３よりも下限移動時間ＴＧだけ前の時刻以降に、上大入賞スイッチ４４４の検出フラグが設定されたとしても、その際に上大入賞スイッチ４４４によって検出された遊技球は、実質的に時刻ｔ３よりも後に誘導通路６０Ｂと分岐通路６０Ｄとの分岐部位に到達することとなる。つまり、振分機構４５５との衝突によって遊技球が誘導通路６０Ｂを離脱して分岐通路６０Ｄに進入することは実質的になく、特定通路スイッチ４４８によって遊技球が検出されることも実質的にない。更に、時刻ｔ２よりも上限移動時間ＴＩだけ前の時刻以前に、上大入賞スイッチ４４４の検出フラグが設定されたとしても、その際に上大入賞スイッチ４４４によって検出された遊技球は、実質的に時刻ｔ２よりも前に誘導通路６０Ｂと分岐通路６０Ｄとの分岐部位に到達することとなる。つまり、振分機構４５５との衝突によって遊技球が誘導通路６０Ｂを離脱して分岐通路６０Ｄに進入することは実質的になく、特定通路スイッチ４４８によって遊技球が検出されることも実質的にない。
【０２７１】
本実施形態６の遊技機であれば、特定通路スイッチ４４８に対する有効期間の制限を上記の実施形態１の場合に比べて更に強化できると共に、特定通路６０Ｅに遊技球が進入したにも関らず特別遊技状態に移行しないような現象の発生を上記の実施形態１の場合と同様に抑制できる。また、特定通路スイッチ４４８に対する有効期間の開始判定処理が上記の実施形態１の場合に比べて簡素化できる。なお、特定通路スイッチ４４８に対する有効期間の制限を上記の実施形態２の場合に比べても更に強化できる。
【０２７２】
上記の実施形態６は、実質的には、上記の実施形態２に対して上限移動時間ＴＩを短く設定できることを更に考慮して特定通路スイッチ４４８に対する有効期間の制限を更に強化する場合に相当するが、本発明においては、上記の実施形態１、実施形態３、実施形態４及び実施形態５に対して上限移動時間ＴＩを更に考慮して特定通路スイッチ４４８に対する有効期間を更に制限する構成とすることもできる。
【産業上の利用可能性】
【０２７３】
本発明は、弾球遊技機等の遊技機に適している。
【符号の説明】
【０２７４】
２０  ：進入規制部材
２１  ：基部
４０Ａ：主進入通路
５０Ａ：垂下通路
６０Ａ：傾斜通路
６０Ｂ：誘導通路
６０Ｃ：非特定通路
６０Ｄ：分岐通路
６０Ｅ：特定通路
７０  ：振分部材
７１  ：誘導部
１００：遊技機
４３４：上大入賞装置
４４４：上大入賞スイッチ
４４７：非特定通路スイッチ
４４８：特定通路スイッチ
４５４：進入規制機構
４５５：振分機構
４６４：上進入規制ソレノイド
４６５：振分切換ソレノイド
【図１】
2015126933.tif 000003
【図２】
2015126933.tif 000004
【図３】
2015126933.tif 000005
【図４】
2015126933.tif 000006
【図５】
2015126933.tif 000007
【図６】
2015126933.tif 000008
【図７】
2015126933.tif 000009
【図８】
2015126933.tif 000010
【図９】
2015126933.tif 000011
【図１０】
2015126933.tif 000012
【図１１】
2015126933.tif 000013
【図１２】
2015126933.tif 000014
【図１３】
2015126933.tif 000015
【図１４】
2015126933.tif 000016
【図１５】
2015126933.tif 000017
【図１６】
2015126933.tif 000018
【図１７】
2015126933.tif 000019
【図１８】
2015126933.tif 000020
【図１９】
2015126933.tif 000021
【図２０】
2015126933.tif 000022
【図２１】
2015126933.tif 000023
【図２２】
2015126933.tif 000024
【図２３】
2015126933.tif 000025
【図２４】
2015126933.tif 000026
【図２５】
2015126933.tif 000027
【図２６】
2015126933.tif 000028
【図２７】
2015126933.tif 000029
【図２８】
2015126933.tif 000030
【図２９】
2015126933.tif 000031
【図３０】
2015126933.tif 000032
【図３１】
2015126933.tif 000033
【図３２】
2015126933.tif 000034
【図３３】
2015126933.tif 000035
【図３４】
2015126933.tif 000036
【図３５】
2015126933.tif 000037
【図３６】
2015126933.tif 000038
【図３７】
2015126933.tif 000039
【図３８】
2015126933.tif 000040
【図３９】
2015126933.tif 000041
【図４０】
2015126933.tif 000042
【図４１】
2015126933.tif 000043
【図４２】
2015126933.tif 000044
【図４３】
2015126933.tif 000045
【図４４】
2015126933.tif 000046
【図４５】
2015126933.tif 000047
【図４６】
2015126933.tif 000048
【図４７】
2015126933.tif 000049